(57)【要約】  周辺を走行している自動車が、マニュアル仕様車か、自動運転車かを知ることができるようにして、交通安全の向上を図ることができるようにする。  少なくとも、自装置を搭載する搭載車が自動運転モードを備えるか否かの情報を含む自車状況情報と、搭載車を他車と区別して特定させるための情報とを含む搭載車情報を記憶する搭載車情報記憶部と、搭載車情報記憶部から読み出した搭載車情報を含む発信情報を、搭載車の外部に送出する発信情報送出手段とを備える車載装置を提供する。
2018020604.tif 000002
【特許請求の範囲】
【請求項１】
少なくとも、自装置を搭載する搭載車が自動運転モードを備えるか否かの情報を含む自車状況情報と、前記搭載車を他車と区別して特定させるための情報とを含む搭載車情報を記憶する搭載車情報記憶部と、
前記搭載車情報記憶部から読み出した前記搭載車情報を含む発信情報を、前記搭載車の外部に送出する発信情報送出手段と、
を備える車載装置。
【請求項２】
前記発信情報には、自装置を搭載する搭載車の周辺の他車を撮影するためのカメラ部で撮影された撮影情報を含む
ことを特徴とする請求項１に記載の車載装置。
【請求項３】
前記発信情報には、自装置を搭載する搭載車の走行速度及び／または移動方向を検出する検出部で検出された前記走行速度及び／または移動方向を含む
ことを特徴とする請求項１または請求項２に記載の車載装置。
【請求項４】
前記発信情報には、時計部が提供する現在時刻を含む
ことを特徴とする請求項１〜請求項３のいずれかに記載の車載装置。
【請求項５】
前記発信情報には、前記搭載車が無人運転中であるか否かの情報を含む
ことを特徴とする請求項１〜請求項４のいずれかに記載の車載装置。
【請求項６】
前記発信情報は、暗号化及び／または改竄防止処理が施されている
ことを特徴とする請求項１〜請求項５のいずれかに記載の車載装置。
【請求項７】
前記発信情報には、エラー訂正符号及び／またはエラー検出符号が付加されている
ことを特徴とする請求項１〜請求項６のいずれかに記載の車載装置。
【請求項８】
前記発信情報には、現在位置を検出する現在位置検出部で検出された現在位置を含む
ことを特徴とする請求項１〜請求項７のいずれかに記載の車載装置。
【請求項９】
前記発信情報送出手段は、所定の時間間隔で前記発信情報を繰り返し送出する
ことを特徴とする請求項１〜請求項８のいずれかに記載の車載装置。
【請求項１０】
前記所定の時間間隔は所定のタイミング、所定のエリア、または所定の状況で切り替わる
ことを特徴とする請求項９に記載の車載装置。
【請求項１１】
前記発信情報送出手段は、現在位置が、前回の前記発信情報の送出時点における位置から所定距離離れるごとに、前記発信情報を繰り返し送出する
ことを特徴とする請求項１〜請求項８のいずれかに記載の車載装置。
【請求項１２】
前記所定距離は所定のタイミング、所定のエリア、または所定の状況で切り替わる
ことを特徴とする請求項１１に記載の車載装置。
【請求項１３】
前記発信情報送出手段は、所定の位置に設置された装置との通信可能領域になったときに前記発信情報を送出する
ことを特徴とする請求項１〜請求項１２のいずれかに記載の車載装置。
【請求項１４】
前記所定の位置は交差点、高速道路進入地点、合流地点、ロータリー、踏切、料金所、ＳＡ（サービスエリア）、ＰＡ（パーキングエリア）、工事現場、事故現場、交通事故多発地点、信号機設置場所の内から選択された１地点または複数地点あるいは全地点である
ことを特徴とする請求項１３に記載の車載装置。
【請求項１５】
自装置を搭載する搭載車の、外部から観視可能な場所に発光手段を備え、
前記発信情報の内の前記少なくとも、自装置を搭載する搭載車が自動運転モードを備えるか否かの情報を含む自車状況情報を、前記発光手段から発信する
ことを特徴とする請求項１〜請求項１４のいずれかに記載の車載装置。
【請求項１６】
他車からの前記発信情報を、前記他車から直接的に、あるいは間接的に、受信する受信部と、
前記受信部で受信した前記他車からの前記発信情報を処理して、自装置を搭載する搭載車の周辺に存在する他車について、少なくとも自動運転モードを備えるか否かの情報を含む自車状況情報を取得して、出力する受信情報処理部と
を備えることを特徴とする請求項１〜請求項１５のいずれかに記載の車載装置。
【請求項１７】
他車からの前記発信情報を、前記他車から直接的に、あるいは間接的に、受信する受信部と、
前記受信部で受信した前記他車からの前記発信情報を処理して、自装置を搭載する搭載車の周辺に存在する他車について、少なくとも自動運転モードを備えるか否かの情報を含む自車状況情報を取得する受信情報処理部と、
前記受信情報処理部で取得した前記少なくとも自動運転モードを備えるか否かの情報を含む自車状況情報を、自装置を搭載する搭載車の周辺に存在する他車について反映した表示情報を生成して、表示画面に表示する表示手段と、
を備えることを特徴とする請求項１〜請求項１６のいずれかに記載の車載装置。
【請求項１８】
前記発信情報には、前記搭載車の周辺の他車を撮影するためのカメラ部で撮影された撮影情報を含み、
前記受信部で受信した前記発信情報に含まれる前記撮影情報に基づいて、前記発信情報送出手段を備えていない他の自動車の、前記発信情報送出手段を備えている前記搭載車との位置関係を検出する手段を備える
ことを特徴とする請求項１６または請求項１７に記載の車載装置。
【請求項１９】
前記発信情報を送出するタイミングになったか否かを判断する送出タイミング判断手段を備える
ことを特徴とする請求項１〜請求項１８のいずれかに記載の車載装置。
【請求項２０】
前記送出タイミング判断手段で、前記発信情報を送出するタイミングになったと判別したときに、前記搭載車情報記憶部から読み出した前記搭載車情報を含む前記発信情報を生成する発信情報生成手段を備える
ことを特徴とする請求項１９に記載の車載装置。
【請求項２１】
少なくとも、自装置を搭載する搭載車が自動運転モードを備えるか否かの情報を含む自車状況情報と、前記搭載車を他車と区別して特定させるための情報とを含む搭載車情報を記憶する搭載車情報記憶部を備える車載装置のコンピュータを、
前記搭載車情報記憶部から読み出した前記搭載車情報を含む発信情報を、前記搭載車の外部に送出する発信情報送出手段、
として機能させるための車載装置用プログラム。
【請求項２２】
少なくとも、自車が自動運転モードを備えるか否かの情報を含む自車状況情報と、前記自車を他車と区別して特定させるための情報とを含む自車情報を記憶する自車情報記憶部と、
前記自車情報記憶部から読み出した前記自車情報を含む発信情報を、自車の外部に送出する発信情報送出手段と、
を備える自動車。
【請求項２３】
前記発信情報には、自車の周辺の他車を撮影するためのカメラ部で撮影された撮影情報を含む
ことを特徴とする請求項２２に記載の自動車。
【請求項２４】
前記発信情報には、自車の走行速度及び／または移動方向を検出する検出部で検出された前記走行速度及び／または移動方向を含む
ことを特徴とする請求項２２または請求項２３に記載の自動車。
【請求項２５】
前記発信情報には、時計部が提供する現在時刻を含む
ことを特徴とする請求項２２〜請求項２４のいずれかに記載の自動車。
【請求項２６】
前記発信情報には、自車が無人運転中であるか否かの情報を含む
ことを特徴とする請求項２２〜請求項２５のいずれかに記載の自動車。
【請求項２７】
前記発信情報は、暗号化及び／または改竄防止処理が施されている
ことを特徴とする請求項２２〜請求項２６のいずれかに記載の自動車。
【請求項２８】
前記発信情報には、エラー訂正符号及び／またはエラー検出符号が付加されている
ことを特徴とする請求項２２〜請求項２７のいずれかに記載の車載装置。
【請求項２９】
前記発信情報には、現在位置を検出する現在位置検出部で検出された現在位置を含む
ことを特徴とする請求項２２〜請求項２８のいずれかに記載の自動車。
【請求項３０】
前記発信情報送出手段は、所定の時間間隔で前記発信情報を繰り返し送出する
ことを特徴とする請求項２２〜請求項２９のいずれかに記載の自動車。
【請求項３１】
前記所定の時間間隔は所定のタイミング、所定のエリア、または所定の状況で切り替わる
ことを特徴とする請求項３０に記載の自動車。
【請求項３２】
前記発信情報送出手段は、現在位置が、前回の前記発信情報の送出時点における位置から所定距離離れるごとに、前記発信情報を繰り返し送出する
ことを特徴とする請求項２２〜請求項２９のいずれかに記載の自動車。
【請求項３３】
前記所定距離は所定のタイミング、所定のエリア、または所定の状況で切り替わる
ことを特徴とする請求項３２に記載の自動車。
【請求項３４】
前記発信情報送出手段は、所定の位置に設置された装置との通信可能領域になったときに前記発信情報を送出する
ことを特徴とする請求項２２〜請求項３３のいずれかに記載の自動車。
【請求項３５】
前記所定の位置は交差点、高速道路進入地点、合流地点、ロータリー、踏切、料金所、ＳＡ（サービスエリア）、ＰＡ（パーキングエリア）、工事現場、事故現場、交通事故多発地点、信号機設置場所の内から選択された１地点または複数地点あるいは全地点である
ことを特徴とする請求項３４に記載の自動車。
【請求項３６】
自車の、外部から観視可能な場所に発光手段を備え、
前記発信情報の内の前記少なくとも、自車が自動運転モードを備えるか否かの情報を含む自車状況情報を、前記発光手段から発信する
ことを特徴とする請求項２２〜請求項３５のいずれかに記載の自動車。
【請求項３７】
他車からの前記発信情報を、前記他車から直接的に、あるいは間接的に、受信する受信部と、
前記受信部で受信した前記他車からの前記発信情報を処理して、自車の周辺に存在する他車について、少なくとも自動運転モードを備えるか否かの情報を含む自車状況情報を取得する受信情報処理部と、
前記受信情報処理部で取得した前記少なくとも自動運転モードを備えるか否かの情報を含む自車状況情報を、自車の周辺に存在する他車について反映した表示情報を生成して、表示画面に表示する表示手段と、
を備えることを特徴とする請求項２２〜請求項３６のいずれかに記載の自動車。
【請求項３８】
自動運転モードを備える自動車であって、
他車からの前記発信情報を、前記他車から直接的に、あるいは間接的に、受信する受信部と、
前記受信部で受信した前記他車からの前記発信情報を処理して、自車の周辺に存在する他車について、少なくとも自動運転モードを備えるか否かの情報を含む自車状況情報を取得する手段と、
を備え、前記取得した前記自動運転モードを備えるか否かの情報を含む自車状況情報を前記自動運転モードにおける走行制御及び／または駆動制御のための参照情報として用いる
ことを特徴とする請求項２２〜請求項３７のいずれかに記載の自動車。
【請求項３９】
前記発信情報には、自車の周辺の他車を撮影するためのカメラ部で撮影された撮影情報を含み、
前記受信部で受信した前記発信情報に含まれる前記撮影情報に基づいて、前記発信情報送出手段を備えていない他の自動車の、前記発信情報送出手段を備えている自動車との位置関係を検出する手段を備える
ことを特徴とする請求項３７または請求項３８のいずれかに記載の自動車。
【請求項４０】
前記発信情報を送出するタイミングになったか否かを判断する送出タイミング判断手段を備える
ことを特徴とする請求項２２〜請求項３９のいずれかに記載の自動車。
【請求項４１】
前記送出タイミング判断手段で、前記発信情報を送出するタイミングになったと判別したときに、前記搭載車情報記憶部から読み出した前記搭載車情報を含む前記発信情報を生成する発信情報生成手段を備える
ことを特徴とする請求項４０に記載の自動車。
【請求項４２】
少なくとも、自車が自動運転モードを備えるか否かの情報を含む自車状況情報と、前記自車を他車と区別して特定させるための情報とを含む自車情報を記憶する自車情報記憶部を備える自動車のコンピュータを、
前記自車情報記憶部から読み出した前記自車情報を含む発信情報を、自車の外部に送出する発信情報送出手段、
として機能させるための自動車用プログラム。
【請求項４３】
車載装置または自動車と、前記車載装置または前記自動車と無線接続されるサーバ装置とからなり、
前記車載装置または前記自動車は、
少なくとも、自装置を搭載する搭載車または自車が自動運転モードを備えるか否かの情報を含む自車状況情報と、前記搭載車または自車を他車と区別して特定させるための情報とを含む搭載車情報または自車情報を記憶する記憶部と、
前記記憶部から読み出した前記搭載車情報または前記自車情報と、前記搭載車または自車の現在位置を検出する現在位置検出部で検出された現在位置の情報とを含む発信情報を、前記搭載車または自車の外部の前記サーバ装置に送出する発信情報送出手段と、
を備え、
前記サーバ装置は、前記車載装置または前記自動車からの前記発信情報を収集して、バッファリングする手段と、
情報取得要求を受信したときに、前記バッファリングしている前記発信情報に基づいて、前記情報取得要求に含まれる位置情報で特定される位置の周辺に存在する自動車について、少なくとも自動運転モードを備えるか否かの情報を含む提供情報を、前記情報取得要求をしてきた相手に送出する手段と、
を備えることを特徴とする情報提供システム。
【請求項４４】
前記発信情報送出手段は、所定の時間間隔で前記発信情報を繰り返し送出する
ことを特徴とする請求項４３に記載の情報提供システム。
【請求項４５】
前記発信情報送出手段は、現在位置が、前回の前記発信情報の送出時点における位置から所定距離離れるごとに、前記発信情報を繰り返し送出する
ことを特徴とする請求項４３に記載の情報提供システム。
【請求項４６】
前記車載装置または前記自動車は、前記情報取得要求を前記サーバ装置に対して送出する手段を備えると共に、前記サーバ装置から送信されてくる前記提供情報を受信して、前記搭載車または前記自動車の現在位置の周辺に存在する自動車についての前記少なくとも自動運転モードを備えるか否かの情報を含む自車状況情報を取得して出力する受信情報処理手段を備える
ことを特徴とする請求項４３〜請求項４５のいずれかに記載の情報提供システム。
【請求項４７】
前記車載装置または前記自動車は、前記受信情報処理手段で取得した前記少なくとも自動運転モードを備えるか否かの情報を含む自車状況情報を、前記周辺に存在する自動車について反映した表示情報を生成して、表示画面に表示する表示手段を備える
ことを特徴とする請求項４６に記載の情報提供システム。
【請求項４８】
前記サーバ装置と無線接続される情報受信装置を備え、
前記情報受信装置は、
自装置の現在位置の情報を含む前記情報取得要求を前記サーバ装置に対して送出する手段と、
前記情報取得要求に応じて前記サーバ装置から送信されてくる前記提供情報を受信して、前記自装置の現在位置の周辺に存在する自動車についての前記少なくとも自動運転モードを備えるか否かの情報を含む自車状況情報を取得する受信情報処理手段と、
前記受信情報処理手段で取得した前記少なくとも自動運転モードを備えるか否かの情報を含む自車状況情報を、前記自装置の周囲に存在する自動車について反映した表示情報を生成して、表示画面に表示する表示手段と、
を備えることを特徴とする請求項４３〜請求項４７のいずれかに記載の情報提供システム。
【請求項４９】
前記情報受信装置は、携帯端末である
ことを特徴とする請求項４８に記載の情報提供システム。
【請求項５０】
予め定められた所定の位置に設置されているサーバ装置と、前記サーバ装置と無線接続される車載装置または自動車とからなり、
前記車載装置または自動車は、
少なくとも、自装置を搭載する搭載車または自車が自動運転モードを備えるか否かの情報を含む自車状況情報と、前記搭載車または自車を他車と区別して特定させるための情報とを含む搭載車情報または自車情報を記憶する記憶部と、
前記所定の位置に設置されたサーバ装置との通信が可能な領域に入ったか否かを判断する通信可否判断手段と、
前記通信可否判断手段で、前記サーバ装置との通信が可能な領域に入ったと判別したときに、前記記憶部から読み出した前記搭載車情報または前記自車情報を含む前記発信情報を生成する発信情報生成手段と、
前記発信情報生成手段で生成された前記発信情報を、前記サーバ装置に送出する発信情報送出手段と、
を備え、
前記サーバ装置は、前記車載装置または前記自動車からの前記発信情報を収集して、バッファリングする手段と、
前記バッファリングしている前記発信情報に基づいて、前記サーバ装置が設置されている位置の周辺に存在する自動車について、少なくとも自動運転モードを備えるか否かの情報を含む提供情報を生成し、当該生成した提供情報を送出する手段と、
を備えることを特徴とする情報提供システム。
【請求項５１】
前記車載装置または前記自動車は、前記サーバ装置から送信されてくる前記提供情報を受信して、前記所定の位置の周辺に存在する自動車について、前記少なくとも自動運転モードを備えるか否かの情報を含む自車状況情報を取得して出力する受信情報処理手段を備える
ことを特徴とする請求項５０に記載の情報提供システム。
【請求項５２】
前記車載装置または前記自動車は、前記受信情報処理手段で取得した前記少なくとも自動運転モードを備えるか否かの情報を含む自車状況情報を、前記周辺に存在する自動車について反映した表示情報を生成して、表示画面に表示する表示手段を備える
ことを特徴とする請求項５１に記載の情報提供システム。
【請求項５３】
前記所定の位置に設置されたサーバ装置との通信が可能な領域に入ったか否かを判断する通信可否判断手段と、
前記通信可否判断手段により前記通信が可能な領域に入ったと判断したときに、前記サーバ装置から送信されてくる前記提供情報を受信して、前記所定の位置の周辺に存在する自動車について、前記少なくとも自動運転モードを備えるか否かの情報を含む情報を取得して出力する受信情報処理手段と
を備える情報受信装置が設けられる
ことを特徴とする請求項５０〜請求項５２のいずれかに記載の情報提供システム。
【請求項５４】
前記情報受信装置は、携帯端末である
ことを特徴とする請求項５３に記載の情報提供システム。
【請求項５５】
前記発信情報には、前記搭載車または前記自動車の周辺の他車を撮影するためのカメラ部で撮影された撮影情報を含む
ことを特徴とする請求項４３〜請求項５４のいずれかに記載の情報提供システム。
【請求項５６】
前記発信情報には、前記搭載車または前記自動車の走行速度及び／または移動方向を検出する検出部で検出された前記走行速度及び／または移動方向を含む
ことを特徴とする請求項４３〜請求項５５のいずれかに記載の情報提供システム。
【請求項５７】
前記発信情報には、時計部が提供する現在時刻を含む
ことを特徴とする請求項４３〜請求項５６のいずれかに記載の情報提供システム。
【請求項５８】
前記発信情報には、前記搭載車または前記自動車が無人運転中であるか否かの情報を含む
ことを特徴とする請求項４３〜請求項５７のいずれかに記載の情報提供システム。
【請求項５９】
前記発信情報は、暗号化及び／または改竄防止処理が施されている
ことを特徴とする請求項４３〜請求項５８のいずれかに記載の情報提供システム。
【請求項６０】
前記発信情報には、エラー訂正符号及び／またはエラー検出符号が付加されている
ことを特徴とする請求項４３〜請求項５９のいずれかに記載の情報提供システム。
【請求項６１】
前記発信情報には、現在位置を検出する現在位置検出部で検出された現在位置を含む
ことを特徴とする請求項４３〜請求項６０のいずれかに記載の情報提供システム。
【請求項６２】
自動運転モードを備えるか否かの情報を含む自車状況情報には、自動運転モードを備える場合の自動運転モードの詳細情報も含まれる
ことを特徴とする請求項１〜２０のいずれかに記載の車載装置。
【請求項６３】
前記自動運転モードの詳細情報には、手動運転モードを備えずに自動運転モードのみを備える完全自動運転車である旨の情報を含む
ことを特徴とする請求項６２に記載の車載装置。
【請求項６４】
前記自動運転モードの詳細情報には、手動運転モードに切り替えることができない強制自動運転モードである旨の情報を含む
ことを特徴とする請求項６２に記載の車載装置。
【請求項６５】
自動運転モードを備えるか否かの情報を含む自車状況情報には、自動運転モードを備える場合の自動運転モードの詳細情報も含まれる
ことを特徴とする請求項２２〜４１のいずれかに記載の自動車。
【請求項６６】
前記自動運転モードの詳細情報には、手動運転モードを備えずに自動運転モードのみを備える完全自動運転車である旨の情報を含む
ことを特徴とする請求項６５に記載の自動車。
【請求項６７】
前記自動運転モードの詳細情報には、手動運転モードに切り替えることができない強制自動運転モードである旨の情報を含む
ことを特徴とする請求項６５に記載の車載装置。
【請求項６８】
自動運転モードを備えるか否かの情報を含む自車状況情報には、自動運転モードを備える場合の自動運転モードの詳細情報も含まれる
ことを特徴とする請求項４３〜６１のいずれかに記載の情報提供システム。
【請求項６９】
前記自動運転モードの詳細情報には、手動運転モードを備えずに自動運転モードのみを備える完全自動運転車である旨の情報を含む
ことを特徴とする請求項６８に記載の情報提供システム。
【請求項７０】
前記自動運転モードの詳細情報には、手動運転モードに切り替えることができない強制自動運転モードである旨の情報を含む
ことを特徴とする請求項６８に記載の情報提供システム。
【請求項７１】
前記発信情報には、前記搭載車または前記自動車の周辺の他車を撮影するためのカメラ部で撮影された撮影情報を含み、
前記サーバ装置は、受信した前記発信情報に含まれる前記撮影情報に基づいて、前記発信情報送出手段を備えていない他の自動車の、前記発信情報送出手段を備えている前記搭載車または前記自動車との位置関係を検出する手段を備える
ことを特徴とする請求項４３〜請求項６１のいずれかに記載の情報提供システム。
【発明の詳細な説明】
【技術分野】
【０００１】
この発明は、車載装置、自動車、情報提供システム、車載装置用プログラム及び自動車用プログラムに関する。
【背景技術】
【０００２】
近年、運転者による運転操作が無くても自律走行が可能である自動運転モードを備える自動車が登場してきている（例えば、特許文献１（特開２０１２−４８５６３号公報））。この種の自動車としては、手動運転モードと自動運転モードとを切り替え可能なもののほか、自動運転モードのみを備える自動運転車や、無人で自律走行することが可能な自動運転車も登場するものと考えられる。【０００３】
この種の自動車の自動運転モードによる自律走行は、現状では、安全性が容易に確保できる場所や環境でのみ認められるなど、制限が課されている場合が多いが、近い将来、公道を自由に走行することが可能になるものと推察される。
【先行技術文献】
【特許文献】
【０００４】
【特許文献１】特開２０１２−４８５６３号公報
【発明の概要】
【発明が解決しようとする課題】
【０００５】
自動運転モードを備える自動車が、公道を自由に走行することが可能になると、手動運転しかできない自動車（マニュアル仕様車）と、自動運転モードを備える自動車（便宜上、以下の説明では自動運転モードを備える自動車を自動運転車ということにする）とが、同じ道路上を同時に走行するようになる。【０００６】
マニュアル仕様車の場合には、運転者によって交通法規を厳守しなかったり、予測が不可能な振る舞いをすることがあるなどが不可避であるのが現状であるが、自動運転車による自動運転モードでは、交通法規が厳守されると共に、障害物は必ず避けて走行することが予測される。すなわち、マニュアル仕様車と、自動運転車とでは、異なる走行態様を取ることが予測される。【０００７】
したがって、周辺を走行している自動車が、マニュアル仕様車か、自動運転車かを知ることができれば、歩行者や、運転者や、自動車（自動運転車）自身が、それらの自動車の動きや振る舞いを予測して、自己の振る舞いや走行について、安全を確保したり、注意したりすることができる可能性が高まり、事故の発生を未然に防ぐなど、交通安全に役立つようになることが期待できる。つまり、走行中の自動車がマニュアル仕様車か、自動運転車かが分かれば、自分の行動や振る舞いを定めるについて、それを参考にすることができて、交通安全上、好ましい。【０００８】
しかしながら、周辺を走行している自動車が、マニュアル仕様車か、自動運転車かを知る手段は現在のところ存在しない。このため、従来は、歩行者や運転者、また、自動運転車は、周辺の全ての自動車を画一的に取り扱って、自身や自車の行動や振る舞いを決定するしかなかった。【０００９】
この発明は、以上の点に鑑み、周辺を走行している自動車が、マニュアル仕様車か、自動運転車かを知ることができるようにして、交通安全の向上を図ることができるようにすることを目的とする。
【課題を解決するための手段】
【００１０】
上記の課題を解決するために、請求項１の発明は、
少なくとも、自装置を搭載する搭載車が自動運転モードを備えるか否かの情報を含む自車状況情報と、前記搭載車を他車と区別して特定させるための情報とを含む搭載車情報を記憶する搭載車情報記憶部と、
前記搭載車情報記憶部から読み出した前記搭載車情報を含む発信情報を、前記搭載車の外部に送出する発信情報送出手段と、
を備える車載装置を提供する。【００１１】
また、請求項２２の発明は、
少なくとも、自車が自動運転モードを備えるか否かの情報を含む自車状況情報と、前記自車を他車と区別して特定させるための情報とを含む自車情報を記憶する自車情報記憶部と、
前記自車情報記憶部から読み出した前記自車情報を含む発信情報を、自車の外部に送出する発信情報送出手段と、
を備える自動車を提供する。【００１２】
上述の構成の請求項１の発明の車載装置または請求項２２の自動車は、少なくとも、自装置を搭載する搭載車または自車が自動運転モードを備えるか否かの情報を含む自車状況情報と、搭載車または自車を他車と区別して特定させるための情報とを含む搭載車情報または自車情報を含む発信情報を送出する。したがって、その発信情報を受信することで、自動車が、何れの自動車であって、自動運転モードを備えるか否かを認知することが可能になる。このため、歩行者や運転者、また、自動運転車は、自身の行動や振る舞いを、周辺の自動車が自動運転車かマニュアル仕様車かに応じて適切に決定することができて、交通安全の向上を図ることができる。【００１３】
また、請求項４３の発明は、
車載装置または自動車と、前記車載装置または前記自動車と無線接続されるサーバ装置とからなり、
前記車載装置または前記自動車は、
少なくとも、自装置を搭載する搭載車または自車が自動運転モードを備えるか否かの情報を含む自車状況情報と、前記搭載車または自車を他車と区別して特定させるための情報とを含む搭載車情報または自車情報を記憶する記憶部と、
前記記憶部から読み出した前記搭載車情報または前記自車情報と、前記搭載車または自車の現在位置を検出する現在位置検出部で検出された現在位置の情報とを含む発信情報を、前記搭載車または自車の外部の前記サーバ装置に送出する発信情報送出手段と、
を備え、
前記サーバ装置は、前記車載装置または前記自動車からの前記発信情報を収集して、バッファリングする手段と、
情報取得要求を受信したときに、前記バッファリングしている前記発信情報に基づいて、前記情報取得要求に含まれる位置情報で特定される位置の周辺に存在する自動車について、少なくとも自動運転モードを備えるか否かの情報を含む提供情報を、前記情報取得要求をしてきた相手に送出する手段と、
を備えることを特徴とする情報提供システムを提供する。【００１４】
上記の構成の請求項４３の発明の情報提供システムにおいては、車載装置または自動車は、少なくとも、自装置を搭載する搭載車または自車が自動運転モードを備えるか否かの情報を含む自車状況情報と、前記搭載車または自車を他車と区別して特定させるための情報とを含む搭載車情報または自車情報を含む発信情報を送出し、サーバ装置は、当該発信情報を収集してバッファリングする。【００１５】
そして、サーバ装置は、情報取得要求を受信したときに、バッファリングしている発信情報に基づいて、その情報取得要求に含まれる位置情報で特定される位置の周辺に存在する自動車（搭載車も含む）について、少なくとも自動運転モードを備えるか否かの情報を含む提供情報を生成して、情報取得要求をしてきた相手に送出する。【００１６】
したがって、情報取得要求を発信する機能と、提供情報を受信して少なくとも自動運転モードを備えるか否かの情報を含む自車状況情報を認識することができる受信装置の所持者（無人運転の自動運転モードを備える自動運転車を含む）は、自己の現在位置の周辺に存在する車が自動運転モードを備える自動車か否かを判断することができるので、自身の行動や振る舞いを、周辺の自動車が自動運転車かマニュアル仕様車かに応じて適切に決定することができて、交通安全の向上を図ることが期待できる。【００１７】
また、さらに、請求項５０の発明は、
予め定められた所定の位置に設置されているサーバ装置と、前記サーバ装置と無線接続される車載装置または自動車とからなり、
前記車載装置または自動車は、
少なくとも、自装置を搭載する搭載車または自車が自動運転モードを備えるか否かの情報を含む自車状況情報と、前記搭載車または自車を他車と区別して特定させるための情報とを含む搭載車情報または自車情報を記憶する記憶部と、
前記所定の位置に設置されたサーバ装置との通信が可能な領域に入ったか否かを判断する通信可否判断手段と、
前記通信可否判断手段で、前記サーバ装置との通信が可能な領域に入ったと判別したときに、前記記憶部から読み出した前記搭載車情報または前記自車情報を含む前記発信情報を生成する発信情報生成手段と、
前記発信情報生成手段で生成された前記発信情報を、前記サーバ装置に送出する発信情報送出手段と、
を備え、
前記サーバ装置は、前記車載装置または前記自動車からの前記発信情報を収集して、バッファリングする手段と、
前記バッファリングしている前記発信情報に基づいて、前記サーバ装置が設置されている位置の周辺に存在する自動車について、少なくとも自動運転モードを備えるか否かの情報を含む提供情報を生成し、当該生成した提供情報を送出する手段と、
を備えることを特徴とする情報提供システムを提供する。【００１８】
上記の構成の請求項５０の発明の情報提供システムにおいては、所定の位置、例えば交差点など自動車が走行する道路の近傍の位置にサーバ装置が設置されている。そして、車載装置または自動車は、所定の位置に設置されたサーバ装置との通信が可能な領域に入ったか否かを判断し、サーバ装置との通信が可能な領域に入ったと判別したときには、自装置を搭載する搭載車または自車が自動運転モードを備えるか否かの情報を含む自車状況情報と、搭載車または自車を他車と区別して特定させるための情報とを含む搭載車情報または自車情報を含む発信情報を、サーバ装置に送信する。【００１９】
サーバ装置は、自装置と通信が可能な領域に入った車載装置または自動車のそれぞれからの発信情報を収集して、バッファリングする。そして、サーバ装置は、バッファリングしている前記発信情報に基づいて、前記サーバ装置が設置されている位置の周辺に存在する自動車について、少なくとも自動運転モードを備えるか否かの情報を含む提供情報を生成し、その生成した提供情報を送出する。【００２０】
したがって、サーバ装置と通信が可能な領域に存在する受信装置においては、このサーバ装置からの提供情報を受信することができるので、当該受信装置を所持する歩行者や、当該受信装置を搭載する自動車の乗車者は、周辺に存在する他車に関して、少なくとも自動運転モードを備えるか否かを認識することができるようになる。また、当該受信装置を搭載する自動車が無人運転が可能な自動運転モードを備える自動運転車であれば、周辺に存在する他車に関して、少なくとも自動運転モードを備えるか否かを認識し、その認識結果に応じた自動運転を行うように制御することができる。
【発明の効果】
【００２１】
この発明による車載装置または自動車によれば、自装置を搭載する搭載車または自車が自動運転モードを備えるか否かの情報を含む自車状況情報と、前記搭載車または自車を他車と区別して特定させるための情報とを含む搭載車情報を含む発信情報を送出するようにするので、その発信情報に基づいて、周辺の自動車が、マニュアル仕様車か、自動運転モードを備える自動車かを知ることができるようになる。【００２２】
そして、この発明による車載装置または自動車と、車載装置または自動車からの発信情報を受信して提供情報を生成して送出するようにしたサーバ装置とからなる情報提供システムによれば、提供情報により、周辺の自動車がマニュアル仕様車か、自動運転モードを備える自動車かを知ることができるので、交通安全の向上を期待することができる。
【図面の簡単な説明】
【００２３】
【図１】この発明による情報提供システムの第１の実施形態の概要を説明するための図である。
【図２】この発明による車載装置の第１の実施形態のハードウェア構成例を示すブロック図である。
【図３】この発明に適用される発信情報の送信フォーマット例を説明するために用いる図である。
【図４】この発明による情報提供システムを構成する情報提供サーバ装置のハードウェア構成例を示すブロック図である。
【図５】この発明による車載装置の第１の実施形態の処理動作例を説明するためのフローチャートを示す図である。
【図６】この発明による車載装置の第１の実施形態の処理動作例を説明するためのフローチャートを示す図である。
【図７】この発明による車載装置の第１の実施形態における受信装置機能部の表示画像例を示す図である。
【図８】この発明による情報提供システムを構成する情報提供サーバ装置の処理動作例を説明するためのフローチャートを示す図である。
【図９】この発明による情報提供システムを構成する情報提供サーバ装置の処理動作例を説明するためのフローチャートを示す図である。
【図１０】この発明による情報提供システムを構成する情報提供サーバ装置の処理動作例を説明するためのフローチャートを示す図である。
【図１１】この発明による情報提供システムを構成する情報提供サーバ装置が提供するその他のサービス情報の例を説明するための図である。
【図１２】この発明による情報提供システムの第２の実施形態を構成する自動運転車の電子制御回路部の構成例を示すブロック図である。
【図１３】図１２の例の自動運転車の電子制御回路部の処理動作例を説明するためのフローチャートの一部を示す図である。
【図１４】図１２の例の自動運転車の電子制御回路部の処理動作例を説明するためのフローチャートの一部を示す図である。
【図１５】この発明による情報提供システムの第３の実施形態の概要を説明するための図である。
【図１６】この発明による情報提供システムの第３の実施形態を構成する車載装置のハードウェア構成例を示すブロック図である。
【図１７】この発明による情報提供システムの第３の実施形態を構成する情報提供サーバ装置のハードウェア構成例を示すブロック図である。
【図１８】この発明による情報提供システムの第３の実施形態を構成する車載装置の処理動作例を説明するためのフローチャートを示す図である。
【図１９】この発明による情報提供システムの第３の実施形態を構成する情報提供サーバ装置の処理動作例を説明するためのフローチャートを示す図である。
【図２０】この発明による情報提供システムの第３の実施形態を構成する情報提供サーバ装置の処理動作例を説明するためのフローチャートを示す図である。
【図２１】この発明による情報提供システムの第３の実施形態を構成する車載装置における受信装置機能部の表示画像例を示す図である。
【図２２】この発明による情報提供システムの第４の実施形態の概要を説明するための図である。
【図２３】この発明による情報提供システムの第４の実施形態を構成する車載装置の主要な構成例を説明するために用いる図である。
【図２４】この発明による情報提供システムの第４の実施形態を構成する車載装置の主要な構成例を説明するために用いる図である。
【図２５】この発明による情報提供システムの第４の実施形態を構成する車載装置のハードウェア構成例を示すブロック図である。
【発明を実施するための形態】
【００２４】
［第１の実施形態］
図１は、この発明の第１の実施形態の全体の概要を説明するための図である。この第１の実施形態は、この発明の車載装置の実施形態と情報提供サーバとを含む情報提供システムの実施形態である。この図１の情報提供システムの実施形態においては、自動車１のそれぞれに搭載された車載装置２と、情報提供サーバ装置３とが、インターネットを含む通信ネットワーク４を通じて接続されている。
【００２５】
そして、この第１の実施形態では、歩行者５が携帯するいわゆるスマートフォンと呼ばれる高機能携帯端末（以下、スマートフォンという）６も、情報提供サーバ装置３からの提供情報の提供をインターネット４を通じて受けることができる通信装置（情報受信装置）の例として、通信ネットワーク４を通じて情報提供サーバ装置３に接続できるように構成されている。なお、歩行者５が携帯する端末は、スマートフォンに限らず、いわゆるフィーチャーフォンと呼ばれる携帯電話端末であってもよいし、タブレット、眼鏡型端末、時計型端末などであってもよい。
【００２６】
車載装置２は、この第１の実施形態では、後述するような発信情報を送出（送信）する発信装置としての機能のみではなく、情報提供サーバ装置３から提供情報の提供を通信ネットワーク４を通じて受けることができる受信装置としての機能も備える。なお、車載装置２としては、発信情報を送出する発信装置としての機能のみを備える装置の構成であってもよいし、情報提供サーバ装置３からの提供情報の提供をインターネット４を通じて受けることができる受信装置の機能のみを備える装置の構成としてもよい。しかし、この実施形態では、情報提供サーバ装置３で、できるだけ多くの車載装置２からの発信情報を収集することができるように、情報提供サーバ装置３からの提供情報を受信することができる受信装置の機能を有する車載装置２は、必ず、発信装置の機能を有するように構成した。
【００２７】
車載装置２の搭載車としての自動車１のそれぞれは、図１では、区別をしなかったが、マニュアル仕様車と、自動運転モードを備える自動運転車とがある。そして、自動車１が自動運転車の場合には、マニュアル運転モードと自動運転モードとを切り替えられるタイプ、自動運転モードのみのタイプ、無人運転が可能なタイプなど、複数タイプに分類することができるものである。
【００２８】
車載装置２には、少なくとも、自装置が搭載されている自動車１（以下搭載車１という）が自動運転モードを備えるか否かの情報を含む自車状況情報と、搭載車１を他車と区別して特定させるための情報とを含む搭載車情報を記憶する搭載車情報記憶部が設けられている。自動運転モードを備えるか否かの情報を含む自車状況情報としては、後述するように、自動運転モードと手動運転モードとを切り替え可能であるか、自動運転中であるか、無人運転中であるかなどの情報を含むことができる。
【００２９】
車載装置２は、搭載車情報記憶部に記憶されている搭載車情報を含む発信情報を、通信ネットワーク４を通じて情報提供サーバ装置３に送信する。車載装置２には、情報提供サーバ装置３のインターネット上のアドレスであるＵＲＬ（Uniform Resource Locator）が記憶されている。
【００３０】
車載装置２は、この実施形態では、搭載車情報記憶部に記憶されている搭載車情報に加えて、後述するように、現在位置の情報、走行速度、走行方向、現在時刻、乗車者の人数などの付加情報と、識別情報（ＩＤ（Identification））とを付加した発信情報を、通信ネットワーク４を通じて情報提供サーバ装置３に送信する。識別情報としては、この例では後述するように、搭載車１のナンバープレートのナンバーが用いられる。識別情報としては、搭載車１のナンバープレートのナンバーの情報に限られる訳ではなく、例えば車載装置２のそれぞれにユニークに予め付与されている製造番号などの識別情報であってもよい。
【００３１】
この実施形態では、車載装置２の搭載車１が走行移動することを考慮して、車載装置２からの発信情報の発信は、繰り返しなされる。車載装置２からの発信情報の送出タイミングは、一定の時間毎に行ってもよいし、あるいは搭載車１の走行距離が、所定の距離だけ変化する（増加する）毎などであってもよい。発信情報の繰り返しの送出タイミングの一定の時間間隔や、所定の距離毎の距離間隔は、現在位置が存する地域や走行している道路などのエリア毎で切り替わるようにしてもよい。すなわち、例えば都市部と郊外・田舎・砂漠(米国、サウジアラビア、エジプト、オーストラリアなど砂漠のある国や地域の場合)、あるいは、高速道と一般道とで、前記一定時間間隔や距離間隔を変えるようにしてもよい。また、深夜や早朝などの交通量の少ない時間帯や通勤ラッシュ時のような交通量の多い時間帯と、その他の時間帯とで、前記一定時間間隔や距離間隔を変えるようにしてもよい。また、薄暮などの交通事故の起こりやすい時間帯と、その他の時間帯とで、前記一定時間間隔や距離間隔を変えるようにしてもよい。さらに、交通量の多いエリアや交通事故多発エリアと、その他のエリアで、前記一定時間間隔や距離間隔を変えるようにしてもよい。その場合には、予め定められた所定のタイミング（時間）になったり、所定のエリア（場所）に入ると、前記一定時間間隔や距離間隔が変わる。なお、交通量の多い時間帯や交通事故の起こりやすい時間帯、また、交通量の多いエリアや交通事故の起こりやすいエリアの場合、その他の時間帯やその他のエリアと比べ、前記一定時間間隔は短くなり、前記所定の距離間隔も短くする。
【００３２】
また、搭載車１が高速走行中（例えば時速８０ｋｍ以上）は、単位時間当たりの走行移動距離が長いため、所定時間間隔を短くし（例えば通常１０秒間隔のところを半分の５秒間隔にする）、渋滞などのときの低速走行中あるいは走行移動がほとんどない場合は、単位時間当たりの走行移動距離が短いため、所定時間間隔を長くし（例えば通常１０秒間隔のところを３倍の３０秒間隔にする）というように、所定の状況によって前記一定時間間隔を変えるようにしてもよい。さらに、搭載車１がウィンカーを出したり、ハザードランプを点けたり、バックしたりするときなどに、所定の状況と判断して、前記一定時間間隔や距離間隔を短く変えるようにしてもよい。
【００３３】
なお、以下の例では、車載装置２からの発信情報の送出タイミングは、説明の簡単のために、現在位置が存するエリアに関係なく、一定時間毎とされる。
【００３４】
以上は、車載装置２の発信装置としての機能部分の説明である。車載装置２の受信装置としての機能部分については、後述する。
【００３５】
情報提供サーバ装置３は、自動車１のそれぞれに搭載されている各車載装置２から発信された前記発信情報を受信して収集し、受信処理用のバッファメモリにバッファリングして、発信情報を識別情報に関連付けて管理する。
【００３６】
そして、この第１の実施形態においては、情報提供サーバ装置３は、通信ネットワーク４を通じて、情報提供要求を受け付けると、その情報提供要求に含まれる位置情報を基準とした所定の領域範囲に所在する、車載装置２を搭載する自動車（搭載車）についての提供情報を生成して、当該要求してきた相手方に送信して提供する。ここで、提供情報には、情報提供要求に含まれる位置情報を基準とした所定の領域範囲に所在する自動車（他車のみでなく自車を含む）と、それらの自動車のそれぞれについて、少なくとも自動運転モードを備えるか否かを示す情報が含まれている。
【００３７】
この場合に、この実施形態では、提供情報に含まれる所定の領域範囲に所在する自動車の情報には、それぞれの自動車の所在位置の位置情報が含まれている。また、提供情報には、情報提供要求に含まれる位置情報を基準とした所定の領域範囲の地図情報が付加されていてもよい。例えばスマートフォン６からの情報提供要求の場合には、情報提供サーバ装置３から、地図情報も表示用として提供されるようにしてもよい。スマートフォン６の場合でも、ナビゲーション機能が働いていて、現在位置周辺の地図情報が表示されている場合において、情報提供要求がされた場合には、情報提供サーバ装置３からの地図情報の提供は不要としてもよい。
【００３８】
次に、この第１の実施形態の車載装置２の受信装置に機能について説明する。すなわち、車載装置２は、位置情報として搭載車１の現在位置情報を含めた情報提供要求を、情報提供サーバ装置３に対して送出する手段を備える。この場合に、情報提供要求は、搭載車１に乗車中の乗車者の、タッチパネル２１３や音声認識を用いた音声入力装置（図示せず）等を通じた指示操作によって指定された時間区間でのみ、一定時間間隔で送出することもできるし、搭載車１のアクセサリースイッチ（ＡＣＣスイッチ）がオンとされて、車載装置２に電源が投入されている間中は、一定時間間隔で常時送出するように構成することもできる。なお、無人運転の場合、搭載車１の所有者や利用者、あるいは管理者、管理会社などにより遠隔操作でＡＣＣスイッチをオン・オフできるようにしてもよい。
【００３９】
なお、スマートフォン６から情報提供要求を送出する場合には、一定時間間隔ではなく、スマートフォン６が所定距離移動したら、次の情報提供要求を送出するようにすることもできる。また、歩行者５が横断歩道など道路を横断しようとするとき、路地から大きな通りに出るというような危険性を伴うとき、あるいは歩行を止めたときのようにスマートフォン６をしっかり見ることができるとき、タクシーを拾うために周囲のタクシーの状況を確認したいときなど、所定の状況になったとき、次の情報提供要求を送出するようにするようにしてもよい。
【００４０】
そして、車載装置２は、情報提供要求を送出したときには、当該情報提供要求に応じて情報提供サーバ装置３から送られてくる提供情報を受信して、搭載車１の乗車者に呈示（表示）する機能を備える。例えば、車載装置２は、情報提供サーバ３から受信した提供情報に基づいて、当該車載装置２が備える表示装置の表示画面に、搭載車１の現在位置を基準とした所定の領域範囲の地図情報を表示すると共に、その表示された地図領域範囲に存在する自動車の情報と、その自動車のそれぞれが自動運転モードを備えるか否かを示す例えば所定のマークなどの表示情報を、地図上に重畳表示するようにする。
【００４１】
車載装置２の搭載車１が自動運転モードを備える自動運転車の場合には、情報提供サーバ装置３から受信した提供情報に基づいて、周辺の他車のそれぞれの位置情報と、当該他車が自動運転モードを備えるか否かの情報（さらに、自動運転中であるか、無人運転中であるかなどの情報を含んでいてもよい）を、自動運転車の走行制御や駆動制御用の電子回路（コンピュータ）に出力して、前記提供情報を、自車の安全な走行のための参照情報の一部として使用することができるようにする。なお、提供情報を自車の安全な走行のための参照情報として使用するためのアプリケーションプログラムは、自動運転車１の電子回路のコンピュータに予めインストールしておくようにするのは言うまでもない。
【００４２】
また、この第１の実施形態では、歩行者５が携帯するスマートフォン６には、上述した車載装置２の受信装置の機能と同様の機能を実現するためのアプリケーションソフトウェアを予めインストールすることで、上述の車載装置２の受信装置と同様にして、情報提供サーバ装置３からの情報提供を受けることができる。
【００４３】
すなわち、スマートフォン６の使用者は、タッチパネルや音声などの操作入力手段を通じて所定の操作をすることで、情報提供要求を通信ネットワーク４を通じて情報提供サーバ装置３に送ることができる。この場合の情報提供要求には、スマートフォン６を携帯する歩行者５の現在位置の情報が位置情報として含められると共に、識別情報、この例の場合、スマートフォン６の電話番号が識別情報として含められる。なお、識別情報はスマートフォン６のメールアドレスなどでもよい。
【００４４】
この情報提供要求を受けた情報提供サーバ装置３は、歩行者５の現在位置を中心した所定の領域範囲についての提供情報を生成し、通信ネットワーク４を通じて、情報提供要求をしてきたスマートフォン６に送る。
【００４５】
スマートフォン６は、情報提供要求に応じて情報提供サーバ装置３から送られてくる提供情報を受信して、歩行者５に、その周辺に存在する自動車の情報と、それら自動車が自動運転モードを備えるか否かを呈示する。例えば、スマートフォン６が備える表示装置の表示画面に、歩行者５の現在位置を中心とした所定の領域範囲の地図情報を表示すると共に、その表示された地図領域範囲に存在する周辺の自動車の情報と、その周辺の自動車が自動運転モードを備えるか否かを、地図上に重畳表示するようにする。
【００４６】
以上のようにして、第１の実施形態の情報提供システムにおいては、車載装置２が、その搭載車１が自動運転モードを備えるか否かの情報を含む自車状況情報と、その搭載車１を他車と区別して特定させるための情報と、現在位置情報などの付加情報を含む発信情報を情報提供サーバ装置３に送出して、情報提供サーバ装置３に収集させることができる。
【００４７】
このため、情報提供サーバ装置３は、車載装置２の受信装置の機能部やスマートフォン６からの情報提供要求を受けたときには、上述したような提供情報を生成して、当該要求をしてきた車載装置２やスマートフォン６に提供することができる。これにより、車載装置２の搭載車１の運転者や、スマートフォン６を携帯する歩行者５は、周辺を走行している自動車が、マニュアル仕様車か、自動運転車かを把握することが可能になって、自身の行動に注意を払うことができ、交通安全の向上を図ることができる。また、搭載車１が自動運転モードを備える自動運転車であれば、自動運転モードにおける走行を、提供情報をも参照しながら行うことができ、交通安全の向上を図ることができる。
【００４８】
なお、スマートフォン６を携帯するのは歩行者に限定されるものではなく、自転車の運転者や、自動２輪などの運転者や同乗者が携帯している場合であっても勿論よい。この場合、スマートフォン６を携帯する自転車や自動２輪などの運転者や同乗者は、周辺を走行している自動車が、マニュアル仕様車か、自動運転車かを把握することが可能になって、自身の運転や行動に注意を払うことができ、交通安全の向上を図ることができる。
【００４９】
［車載装置２のハードウェア構成例］
図２は、この実施形態の車載装置２のハードウェア構成例を示す図である。この第１の実施形態では、車載装置２は、いわゆるカーナビゲーション装置の構成を備えており、いわばカーナビゲーション（以下、カーナビと略称する）装置に、上記の発信装置の機能と、上記の受信装置の機能を追加した構成と同等である。
【００５０】
すなわち、この実施形態の車載装置２は、コンピュータ（マイクロプロセッサ）で構成される制御部２０１に対して、システムバス２００を介して、無線通信部２０２、搭載車情報記憶部２０３、現在位置検出部２０４、走行速度及び方向検出部２０５、時計部２０６、カメラ群２０７、発信情報生成発信部２０８、情報提供要求部２０９、受信情報処理部２１０、表示情報生成部２１１、表示部２１２、タッチパネル２１３、カーナビ機能部２１４、カーナビ用データベース２１５、のそれぞれが接続されて構成されている。
【００５１】
制御部２０１は、内蔵するメモリに格納されているプログラムを実行することで、発信情報を生成して発信する発信装置の機能を実行し、また、情報提供要求を送信して、それに応じて情報提供サーバ装置３から送られてくる提供情報を受信して処理する受信装置の機能を実行する。
【００５２】
無線通信部２０２は、この実施形態では、通信ネットワーク４を通じて情報提供サーバ装置３などの通信を行う機能を備える。この無線通信部２０２は、スマートフォン６と同様に、携帯電話網を通じた無線通信機能で構成したり、Ｗｉ−Ｆｉ（Wireless Fidelity）（登録商標）の無線通信機能などにより構成したりすることができる。
【００５３】
搭載車情報記憶部２０３は、当該車載装置２が搭載されている搭載車１が自動運転モードを備えるか否かの情報を含む自車状況情報と、搭載車１を他車と区別して特定させるための情報とからなる搭載車情報を記憶している。この搭載車情報は、車載装置２が、搭載車１に工場出荷時に搭載される場合には、工場において、作業者により入力されて格納される。また、車載装置２が、搭載車１に販売時に搭載される場合には、ディーラーなど販売店において、販売者により入力されて格納される。もちろん、作業者や販売者による搭載車情報の入力は、直接入力の場合でも、自動車会社などの所定のサーバからのダウンロード入力であってもよい。さらに、車載装置２が、搭載車１に販売後に搭載される場合には、搭載車１の所有者や使用者、あるいは管理者や管理会社などにより入力されて格納される。
【００５４】
搭載車情報記憶部２０３に記憶される、搭載車１が自動運転モードを備えるか否かの情報を含む自車状況情報としては、この例では、搭載車１がマニュアル仕様車か、自動運転モードを備える自動運転車か、そして、自動運転車であれば、マニュアル運転モードと自動運転モードとを切り替えられるタイプ、自動運転モードのみのタイプ、無人運転が可能なタイプなどの複数タイプの内のいずれのタイプかなどの情報を含む。なお、自動運転車に搭載され利用されるＡＩ（Artificial  Intelligence；人工知能）の開発元やバージョンなど、ソースが何であるか、レベルの高さがどれぐらいかなどが特定できる場合は、それらの情報を自車状況情報として含んでもよい。また、ＡＩの場合、一般的に学習により進化し、安全性や走行性能などを高めていくため、走行時間や走行距離と、ＡＩに依拠する安全性や走行性能などの間には高い相関があるため、走行時間や走行距離を自車状況情報として含めるようにしてもよい。なお、ＡＩは、ＬＳＩなどハードウェアで搭載される場合と、ソフトウェアで搭載される場合がある。
【００５５】
また、搭載車情報記憶部２０３に記憶される、搭載車１を他車と区別して特定させるための情報としては、この例では、ナンバープレートに記載されている搭載車の登録番号（以下、ナンバーと称する）、車種及び車名、ボディーカラー、製造会社名（自動車会社名）などの情報を含む。
【００５６】
なお、搭載車１を他車と区別して特定させるための情報としては、他車と異なる情報のみならず、当該自動車の仕様の情報などを含んでもよいことは言うまでもない。搭載車情報記憶部２０３に記憶される搭載車情報の例としては、例えば、国番号（どこの国の車か）、製造会社（自動車会社）、車種、車名、排気量、駆動方式（ガソリン、ＰＨＶ（Plug−in Hybrid Vehicle）、ＥＶ（Electric Vehicle）、燃料電池車など）、自動運転モードの有無、乗車可能人数、ナンバープレートのナンバー、一般車両か特殊車両（救急車、消防自動車、パトカー、タクシー、バスなど）か、その他のメーカーオプション（製造会社が自由に設定可能）などとされる。
【００５７】
現在位置検出部２０４は、主として、ＧＰＳ衛星からの電波を受信して自車の現在位置を検出する。現在位置検出部１１０は、ＧＰＳ衛星からの電波により検出された位置の精度は悪いので、ＧＰＳ衛星からの電波の受信で検出された現在位置の情報のみではなく、加速度センサ、ジャイロセンサ、方位センサ、カメラ群２０７の撮影画像（カーナビ機能を併用）などをも用いることで、より精度の高い現在位置を検出確認するようにしている。
【００５８】
走行速度及び方向検出部２０５は、速度センサのセンサ出力から、あるいは、時計部２０６からの時刻変化の間の現在位置検出部２０４で検出された現在位置の位置変化から、搭載車１の走行速度を検出し、また、加速度センサ、ジャイロセンサや方位センサのセンサ出力から、搭載車１の移動速度を検出する。
【００５９】
時計部２０６は、年、月、日、時、分、秒の時間情報を生成する。車載装置２の制御部２０１は、この時計部２０６の時間情報に基づいて、後述する発信情報の送出（送信）タイミングを管理する。
【００６０】
カメラ群２０７は、搭載車１の車内を撮影する１〜複数個のカメラと、搭載車１の前方、側方、後方など、車外の周囲を撮影する１〜複数個のカメラとを含む。車内を撮影するカメラは、例えば運転席と助手席の間に設置されたバックミラー（後写鏡、ルームミラー）やフロントウインドウの上部などに取り付けられ、運転席に座った乗車者（運転者）を撮影するカメラの他、助手席や、後部座席に座った乗車者（同乗者）を撮影するためのカメラを含む。
【００６１】
また、搭載車１の周囲を撮影するカメラは、例えばバックミラーの裏側に取り付けられて、搭載車１の前方の他車のナンバープレートを含む後部を主として撮影するカメラや、搭載車１の後部に取り付けられて、搭載車１の後方の他車のナンバープレートを含む前部を主として撮影するカメラや、例えばドアミラーまたはフェンダーミラーに取り付けられて左右の側方の他車を撮影するカメラなどを含む。また、カメラ群２０７は、情報提供サーバ装置３において、自車が何処を走行しているかを認識するための資料となる周辺の環境（風景、建物やランドマークなど）を撮影するカメラも含む。
【００６２】
発信情報生成発信部２０８は、この例では、時計部２０６の時間情報に基づいて、一定時間間隔で発信情報を生成し、生成した発信情報を無線通信部２０２を通じ、通信ネットワーク４を通じて情報提供サーバ装置３に送信する。発信情報生成発信部２０８は、情報提供サーバ装置３のインターネット上のアドレスであるＵＲＬの記憶部を含む。
【００６３】
この実施形態では、発信情報生成発信部２０８は、車載装置２に設定された発信情報を送出する期間においてのみ、上記の発信情報の生成及び発信処理を実行する。発信情報を送出する期間は、使用者により、設定することができるように構成されている。すなわち、この実施形態では、後述するタッチパネル２１３を通じて、使用者は、発信情報生成発信部２０８を働かせたいタイミングで発信情報の発信開始操作をすると共に、発信情報生成発信部２０８の発信操作を停止させたいタイミングで発信停止操作をすることができる。また、この実施形態では、使用者は、タッチパネル２１３を通じて、搭載車１においてＡＣＣスイッチがオンとされて、車載装置２に電源が投入されている間は、常に発信情報生成発信部２０８を働かせるように設定することもできる。
【００６４】
発信情報生成発信部２０８は、この実施形態では、生成する発信情報は、搭載車情報記憶部２０３から読み出した搭載車情報と、現在位置検出部２０４で検出された発信情報生成時の現在位置と、走行速度及び方向検出部２０５で検出された発信情報生成時の搭載車１の走行速度及び移動方向の情報と、時計部２０６からの発信情報生成時の時間情報と、カメラ群２０７からの撮影画像情報とを含む。発信情報生成発信部２０８が生成する発信情報は、その他の情報、例えば乗車者の人数（タクシーの場合の空車／乗車中を含む）、運転者の有無（運転席の乗車者の有無）、走行中の道路が一般道あるいは高速道か、などの情報を含むようにしてもよい。
【００６５】
発信情報生成発信部２０８が生成し、送信する発信情報の送信情報フォーマットの例を図３に示す。すなわち、図３に示すように、発信情報の先頭には、同期信号が付加され、当該同期信号の直後に発信情報が挿入される。この発信情報に続いて、当該発信情報についてのエラー検出符号（ＥＤＣ（Error Detection Code））及びエラー訂正符号（ＥＣＣ（Error Correction Code））が付加される。そして、発信情報生成発信部２０８は、図３の情報フォーマットの発信情報を、暗号化処理すると共に、例えばＭＡＣ（Message Authentication Code；メッセージ認証符号）を使用した改竄防止処理を施して送信する。ＭＡＣは、発信情報（元データ）に共通鍵を加え、それにハッシュ関数を適用して生成することができる。
【００６６】
図３には、上述した発信情報の内容の一例を示した。すなわち、発信情報は、上述したように、搭載車情報記憶部２０３から読み出された搭載車情報からなる固定情報と、その他の可変情報とで構成されている。なお、図３の例の固定情報としての搭載車情報は、車載装置２が搭載車１に工場出荷時に記憶されている場合として示している。なお、この例では、搭載車情報には、走行距離などの一部可変情報が含まれている。図３では、発信情報はナンバープレートのナンバー自身などが識別情報となるので、特に識別情報は別途付加することはしなかったが、車載装置２毎にユニークに付与された識別情報を、発信情報の付加情報とするようにしてもよい。
【００６７】
情報提供要求部２０９は、情報提供サーバ装置３からの提供情報の受信を要求する情報提供要求を生成して、無線通信部２０２を通じて情報提供サーバ装置３に送る機能を実行する。情報提供要求には、当該情報提供要求時の現在位置検出部２０４で検出された現在位置の情報と、識別情報として、この例では、搭載車１のナンバープレートのナンバーが含まれる。
【００６８】
この例の車載装置２では、情報提供要求部２０９は、自装置から発信情報を送出する期間においてのみ、情報提供要求を送出することができるように構成されている。これは、情報提供サーバ装置３が、車載装置２からの発信情報をできるだけ多く収集することができるようにするためである。なお、車載装置２から発信情報を送出する期間が、搭載車１のＡＣＣスイッチがオンとされている間の全ての期間として設定されているときには、情報提供要求部２０９からの情報提供要求の送出可能期間は、当該ＡＣＣスイッチがオンとされている間の全ての期間の内の、使用者により指定された期間のみとすることもできる。
【００６９】
受信情報処理部２１０は、情報提供要求に応じて情報提供サーバ装置３から送られてくる提供情報を受信して、当該提供情報を解析して、車載装置２が搭載されている搭載車１が存在する位置の周辺に存在する他車の位置情報を取得する処理を行う。
【００７０】
表示情報生成部２１１は、カーナビ機能部２１４及びカーナビ用データベース２１５と協働して、車載装置２が搭載されている搭載車１が存在する位置の周辺の地図画像を表示部２１２の表示画面に表示すると共に、搭載車１の現在位置を表示し、かつ、カーナビの経路案内モードのときには、当該経路案内ルートを表示する表示情報を生成する。また、表示情報生成部２１１は、更に、車載装置２が情報提供要求を情報提供サーバ装置３に対して発したときには、情報提供サーバ装置３から受信した提供情報から取得された車載装置２が搭載されている搭載車１が存在する位置の周辺に存在する他車の位置情報を用いて、当該周辺に存在する他車を、表示画面の地図画像に重畳して表示するための表示情報を生成するようにする。
【００７１】
表示部２１２は、例えばＬＣＤ（Liquid  Crystal  Display；液晶ディスプレイ）からなる。タッチパネル２１３は、ＬＣＤからなる表示部２１２の表示画面の上に、指によるタッチ入力が可能なタッチセンサが重畳されて配設されたものである。表示部２１２の表示画面には、制御部２０１の制御に基づき、ソフトウェア（キーボードの文字入力用ボタンを含む）を含む表示画像が表示される。そして、タッチパネル２１３は、表示画面に表示されているソフトウェアボタン上の指によるタッチを検出すると、そのタッチを制御部２０１に伝達する。これを受けた制御部２０１は、ソフトウェアボタンに対応する制御処理を実行するように構成されている。なお、ソフトウェアボタンは、別途キーボードなどを用いることで対応してもよい。
【００７２】
カーナビ機能部２１４に接続されているカーナビ用データベース２１５には、国内の地図及び経路案内データが、予め格納されている。カーナビ機能部２１４は、カーナビ用データベース２１５に記憶されている地図や、経路案内データに基づいて、搭載車１が指定された目的地まで移動するのを補助するように案内するための機能部である。
【００７３】
なお、図２おける現在位置検出部２０４、走行速度及び方向検出部２０５、発信情報生成発信部２０８、情報提供要求部２０９、受信情報処理部２１０、表示情報生成部２１１、カーナビ機能部２１４の各機能は、制御部２０１が備えるプログラムが実行するソフトウェア機能部の構成とすることができる。
【００７４】
［情報提供サーバ装置３のハードウェア構成例］
図４は、情報提供サーバ装置３のハードウェア構成例を示すブロック図である。この例の情報提供サーバ装置３は、コンピュータで構成される制御部３０１に対して、システムバス３００を通じて無線通信部３０２、受信情報処理部３０３、受信情報バッファ部３０４、受信情報解析処理部３０５、解析結果バッファ部３０６、時計部３０７、提供情報要求受付部３０８、提供情報生成部３０９、地図情報データベース３１０、のそれぞれが接続されて構成されている。
【００７５】
制御部３０１は、内蔵するメモリに格納されているプログラムを実行することで、通信ネットワーク４を通じて発信情報を受信して収集し、提供情報を生成するためにバッファリングしておく機能を実行し、また、情報提供要求を受信したときに、それに応じて提供情報を生成して、情報提供要求してきた相手に送信する機能を実行する。
【００７６】
無線通信部３０２は、この実施形態では、通信ネットワーク４を通じて車載装置２やスマートフォン６と通信を行う機能を備える。この無線通信部３０２も、携帯電話網を通じて無線通信機能で構成したり、Ｗｉ−Ｆｉ（Wireless Fidelity）（登録商標）の無線通信機能などにより構成したりすることができる。
【００７７】
受信情報処理部３０３は、車載装置２からの発信情報を受信して、暗号化及び改竄防止処理を解除する処理をすると共に、発信情報に付加されているエラー検出符号を用いて、発信情報についてのエラーを検出し、エラー訂正符号を用いて、そのエラーを訂正する処理を行う。そして、受信情報処理部３０３は、前記の処理を終了して結果の発信情報を、受信情報バッファ部３０４に送る。
【００７８】
受信情報バッファ部３０４は、受信情報処理部３０３からの発信情報を受け取って、例えばナンバープレートのナンバーを識別情報として、格納保持する。受信情報バッファ部３０４は、同じ識別情報の発信情報を新たに受け取ったら、旧い発信情報を新しい発信情報により上書きするようにする。なお、受信情報バッファ部３０４は、同じ識別情報の発信情報を新たに受け取ったら、旧い発信情報と共に一纏めに紐づけて格納しておき、当該発信情報を送出した搭載車１の振る舞いを検出するのに役立てるようにしてもよい。
【００７９】
受信情報解析処理部３０５は、受信情報バッファ部３０４に格納されている多量の発信情報を解析して、発信情報のそれぞれに含まれている位置情報に基づいて、各車載装置２が搭載されている搭載車１のそれぞれが存在している地図上の位置を特定する情報を生成する。この場合に、発信情報に含まれている周辺の撮影画像情報を、地図上の位置を特定する場合において用いることで、地図上の位置の確度を向上させることができる。
【００８０】
そして、受信情報解析処理部３０５は、各車載装置２が搭載されている各搭載車１が、地図上のいずれの道路の何処に存在しているかの情報を生成し、その生成した情報のそれぞれに各車載装置２の発信情報（識別情報のみでもよい）とを対応付けると共に、自動運転モードを備えるか否かを示すフラグ情報（マニュアル仕様車か、自動運転モードを備える自動車かを示す情報）を付加したものを解析結果の情報として、解析結果バッファ部３０６に格納する。なお、搭載車１が自動運転モードを備える場合には、当該搭載車１が自動運転中であるかどうかや、無人運転中であるかどうかの情報も含むことができる。なお、この場合に、自動運転モードを備える場合には、前述した自動運転モードのタイプを示す情報をも付加するようにしてもよい。
【００８１】
また、受信情報解析処理部３０５は、発信情報に含まれるカメラ群２０７の撮影画像情報を解析し、搭載車１の前後や側方の他車のナンバープレートのナンバーを検出する。そして、受信情報解析処理部３０５は、その検出したナンバーを用いて、搭載車１と、他車の位置関係を判断する。この場合に、検出したナンバーの他車は、車載装置２を搭載している搭載車１である場合もあるし、搭載車１ではない非搭載車である場合もある。他車が搭載車１である場合には、その発信情報に含まれる撮影画像情報を解析することで、搭載車１と他車（非搭載車）との間についての更なる位置関係を確認することができる。
【００８２】
他車が搭載車１である場合には、その発信情報が得られているので、その発信情報からナンバーが分かり、当該他車が搭載車１であることを確認することができ、その位置情報及び自動運転モードを備えているか否かの情報も得られる。しかし、他車が車載装置２を搭載していない非搭載車である場合には、当該非搭載車からは位置情報が得られないので、搭載車１から受信した発信情報に含まれる撮影画像情報から判断された他車（搭載車１及び位置が判明している非搭載車を含む）との位置関係と、他車の既知の位置情報から、当該非搭載車の位置情報を推定して取得しておくようにする。
【００８３】
なお、非搭載車からは発信情報が得られないので、当該非搭載車については、自動運転モードを備えるか否かの情報を含む自車状況情報は直接的には得られない。しかし、搭載車１からの撮影画像情報から、自動車の車体のデザインにより種別や車名が特定でき、さらに、車体に付加されているエンブレムなどを取得することができる。そこで、それらの情報を用いて、インターネットを通じて搭載車の製造会社（自動車会社）のホームページにアクセスすることで、当該搭載車の仕様などが分かり、自動運転モードを備えるか否かが判明する場合もある。このようにして非搭載車についても自動運転モードを備えるか否かの情報を含む自車状況情報が得られる場合には、解析結果バッファ部３０６の非搭載車の情報に、その判明した自動運転モードを備える否かの情報を、当該非搭載車の他車の位置情報に対応付けて、格納することができる。なお、非搭載車についても識別情報は、この例ではナンバープレートのナンバーとしている。
【００８４】
また、非搭載車であっても、搭載車１からの撮影画像情報から、運転席に運転手がいるかいないかが判断でき、その結果、運転席に運転手がいないと判断された場合は、完全自動運転であることが識別できる。また、運転席に運転手がいても、ステアリング（ハンドル）から運転手の両手が離れていると判断された場合は、自動運転であることが識別できる。さらに、搭載車１からの撮影画像情報から、ステアリング（ハンドル）がないことが認識できれば、完全自動運転であることが識別できる。
【００８５】
以上のように、解析結果バッファ部３０６には、搭載車１である自動車については、地図上の位置情報及び自動運転モードを備えるか否かの情報を含む自車状況情報が格納される。また、解析結果バッファ部３０６には、搭載車１からの発信情報に含まれる撮影画像情報から位置関係が推定可能な非搭載車である自動車についてその推定された地図上の位置情報（存在情報）が含まれ、更に、上述したように、撮影画像情報から推定可能な場合には、当該非搭載車について、自動運転モードを備えるかどうかのフラグも付加される。
【００８６】
受信情報解析処理部３０５は、受信情報バッファ部３０４に新たな発信情報が格納される毎に、受信情報バッファ部３０４に格納されている情報を解析して、解析結果を更新し、更新した解析結果を解析結果バッファ部３０６に格納する。
【００８７】
なお、受信情報解析処理部３０５は、同じ識別情報で紐づけられる発信情報の受信間隔が比較的長い場合には、受信情報解析処理部３０５は、発信情報に含まれる現在位置と、走行速度と、走行方向と、現在時刻の情報と、地図情報に含まれる道路情報（経路情報）とを用いて、時間経過に応じた搭載車の現在位置を計算により求め（補間処理）、その求めた現在位置を用いて解析結果を更新し、更新した解析結果を解析結果バッファ部３０６に格納しておくようにする。
【００８８】
時計部３０７は、年、月、日、時、分、秒の時間情報を生成する。受信情報解析処理部３０５は、この時計部３０７からの時間情報に基づいて、前述した受信した発信情報の位置情報の補間処理をする。
【００８９】
提供情報要求受付部３０８は、車載装置２あるいはスマートフォン６からの情報提供要求を受け付け、受け付けた情報提供要求に含まれる現在位置の情報及び識別情報を抽出し、その抽出した現在位置の情報及び識別情報を、提供情報生成部３０９に転送して、提供情報の生成及び送出の開始を指示する。提供情報要求受付部３０８は、また、情報提供要求をしてきた車載装置２あるいはスマートフォン６の送信元のアドレスをも、提供情報の送り先の情報として提供情報生成部３０９に渡す。提供情報生成部３０９は、提供情報の生成及び送出の開始を指示を受け取ると、提供情報を生成して送出する処理を、例えば提供情報が更新されるタイミングに応じた一定時間ごとに、繰り返す。
【００９０】
そして、提供情報要求受付部３０８は、情報提供要求してきた車載装置２や、スマートフォン６から情報提供要求の終了通知を受け取った時には、その旨を提供情報生成部３０９に通知する。提供情報生成部３０９は、この情報提供要求の終了通知を受け取ると、提供情報を生成して送出する処理を終了する。なお、車載装置２は、走行中やカーナビ機能動作中は、情報提供要求をするという設定になっていたときには、搭載車１でアクセサリースイッチ（ＡＣＣスイッチ）がオフとされて動作停止操作がなされたときに、情報提供サーバ装置３に対して、情報提供要求終了通知を送った後、動作終了となる。
【００９１】
提供情報生成部３０９は、提供情報要求受付部３０８から受け取った現在位置の情報を参照情報として解析結果バッファ部３０６を検索し、地図上において前記現在位置の情報を基準とした所定の領域範囲に存在する自動車の位置情報を抽出する。この場合に、現在位置を基準にした所定の領域範囲は、情報提供要求をしてきたのが、スマートフォン６である場合には、現在位置を中心とした周辺領域範囲とされる。そして、情報提供要求をしてきたのが車載装置２である場合には、自車位置を表示される地図画像の端部位置として、搭載車１の発信情報を参照することで検出される搭載車１の移動方向における所定の領域範囲とされる。なお、情報提供要求をしてきたのがスマートフォン６か、車載装置２かの区別は、車載装置２からの情報提供要求には、搭載車１のナンバーが識別情報として含まれており、スマートフォン６の情報提供要求に含まれる識別情報（加入者電話番号やメールアドレスなど）とは異なることにより可能である。
【００９２】
所定の領域範囲に存在する自動車には、情報提供要求をした車載装置２が搭載されている搭載車１自身も含まれているが、情報提供要求に含まれている識別情報と、解析結果バッファ部３０６に格納されている情報に含まれる自動車の識別情報とを参照することで、何れが情報提供要求をしてきた搭載車１であるかを識別可能である。そこで、提供情報には、地図上において、情報提供要求してきた搭載車１には、他車と区別することが可能なようにするマーク情報を、関連付けて付加するようにする。
【００９３】
そして、提供情報生成部３０９は、当該所定の領域範囲に存在する自動車の位置情報と、それらの自動車について自動運転モードを備えるか否かのフラグが付加されている場合には、そのフラグをも付加して提供情報を生成する。さらに、提供情報生成部３０９は、自動運転モードを備える自動車であって、自動運転中のものには、その旨を示す情報を含めるようにする。
【００９４】
そして、提供情報生成部３０９は、生成した提供情報を、情報提供要求を送ってきた相手先に、無線通信部３０２を通じて送信するようにする。上述したように提供情報生成部３０９は、情報提供要求が終了するまで、以上の処理を、解析結果バッファ部３０６の内容に従って繰り返して行う。この場合において、情報提供要求してきた車載装置２の搭載車の現在位置は、前述したように発信情報に応じて更新されるので、提供情報も、その更新された現在位置を基準として更新されて提供されるものである。
【００９５】
地図情報データベース３１０は、解析結果バッファ部３０６で、解析結果を地図上の位置情報を用いて生成するための地図情報データを提供する。なお、提供情報要求受付部３０８で受け付けた提供情報要求を発信したのが、スマートフォン６である場合には、提供情報生成部３０８で生成された前記情報に加えて、前記提供情報要求に含まれる現在位置を中心とした前記所定の領域範囲の地図情報も、この地図情報データベース３１０から抽出されて送出される。スマートフォン６が、地図情報データベースを備えている場合には、そのような地図情報の送付を不要としてもよい。
【００９６】
なお、図４における受信情報処理部３０３、受信情報解析処理部３０５、提供情報要求受付部３０８、提供情報生成部３０９の各機能は、制御部３０１が備えるプログラムが実行するソフトウェア機能部の構成とすることができる。
【００９７】
次に、以上のような構成を備える車載装置２及び情報提供サーバ装置３における処理動作の例を以下に説明する。
【００９８】
［車載装置２の発信情報の発信動作］
図５は、車載装置２における発信情報の発信動作の一例の流れを説明するためのフローチャートである。この図５に示したフローチャートの各ステップの処理は、制御部２０１が、内蔵するプログラムに従って、図２おける発信情報生成発信部２０８、情報提供要求部２０９、受信情報処理部２１０、表示情報生成部２１１、カーナビ機能部２１４の各機能を、ソフトウェア機能部として実行する場合として説明する。
【００９９】
まず、制御部２０１は、搭載車１が運転動作中は常に発信するに設定されているか否か判別し（ステップＳ１）、設定されていないと判別したときには、発信開始操作がされたか否か判別する（ステップＳ２）。ステップＳ２で、発信開始操作がなされていないと判別したときには、制御部２０１は、処理をステップＳ２に戻す。
【０１００】
そして、制御部２０１は、ステップＳ１で、搭載車１が運転動作中は常に発信するに設定されていると判別したとき、また、ステップＳ２で、発信開始操作がなされたと判別したときには、一定時間間隔で発信する発信情報の送出タイミングとなったか否か判別する（ステップＳ３）。ステップＳ３で、発信情報の送出タイミングとなってはいないと判別したときには、制御部２０１は、処理ステップＳ３に戻して、発信情報の送出タイミングとなるのを待つ。
【０１０１】
ステップＳ３で、発信情報の送出タイミングとなったと判別したときには、制御部２０１は、搭載車情報記憶部２０３から搭載車情報を読み出すると共に、現在位置検出部２０４で検出された現在位置の情報を取得し、また、カメラ群２０７の撮影画像情報を収集し、更に、走行速度及び方向検出部２０５からの走行速度の情報及び移動方向の情報を取得する（ステップＳ４）。
【０１０２】
そして、制御部２０１は、ステップＳ４で収集した情報を用いて発信情報を生成し、生成した発信情報にエラー検出符号及びエラー訂正符号を付加し、更に、発信情報に対して暗号化処理並びに改竄防止処理を施す（ステップＳ５）。次に、制御部２０１は、ステップＳ４で生成した発信情報を、情報提供サーバ装置３に対して送信する（ステップＳ６）。
【０１０３】
このステップＳ６の次には、制御部２０１は、発信停止操作がなされたか否か判別し（ステップＳ７）、発信停止操作がなされていないと判別したときには、処理をステップＳ３に戻し、次の発信情報の送出タイミングを待ち、送出タイミングが到来したら、上述のステップＳ４〜ステップＳ６の処理を繰り返す。
【０１０４】
ステップＳ７で発信停止操作がなされたと判別したときには、制御部２０１は、処理をステップＳ２に戻し、発信開始操作がされるのを待つ。なお、搭載車１の運転が終了して、電源がオフとされると、この処理ルーチンは自動的に終了となるものである。
【０１０５】
［車載装置２の情報提供要求及び提供情報の受信処理］
図６は、車載装置２における情報提供要求及び提供情報の受信処理動作の一例の流れを説明するためのフローチャートである。この図６に示したフローチャートの各ステップの処理も、制御部２０１が、内蔵するプログラムに従って、図２おける発信情報生成発信部２０８、情報提供要求部２０９、受信情報処理部２１０、表示情報生成部２１１、カーナビ機能部２１４の各機能を、ソフトウェア機能部として実行する場合として説明する。
【０１０６】
制御部２０１は、タッチパネル２１３を通じて情報提供要求開始操作がなされたか否か判別し（ステップＳ１１）、情報提供要求開始操作がなされていないと判別したときには、ステップＳ１１の処理に戻って、情報提供要求開始操作がなされるのを待つ。
【０１０７】
ステップＳ１１で、情報提供要求開始操作がなされたと判別したときには、制御部２０１は、現在位置検出部２０４で検出された現在位置の情報と、識別情報としてこの例では搭載車１のナンバープレートのナンバーを含めた情報提供要求を生成して、情報提供サーバ装置３に対して提供情報を送出する（ステップＳ１２）。
【０１０８】
そして、制御部２０１は、送信した情報提供要求に応じて情報提供サーバ装置３から送られてくる提供情報を受信するのを待ち（ステップＳ１３）、提供情報を受信したと判別したときには、提供情報による表示画面を表示部２１２に表示する（ステップＳ１４）。この場合に、車載装置２の制御部２０１は、カーナビ機能部２１４の機能により表示部２１２の表示画面には、図７に示すように、車載装置２が搭載されている搭載車１の現在位置周辺の地図上における他車の情報が表示される。
【０１０９】
そして、図７に示すように、この地図上には、道路上に各自動車マーク（図７では五角形マーク）が表示されると共に、それぞれの自動車マークの近傍に自動運転モードを備える否かのマークが表示されると共に、自動運転モードを備える自動車が自動運転中であるときには、そのマーク表示が例えば点滅などにより識別表示される。図７において、「Ａｕｔｏ」は、自動運転モードを備える自動車であることを示し、「Ｍａｎｕ」は、自動運転モードを備えない自動車（マニュアル仕様車）であることを示し、「Ａｕｔｏ」の表示の周囲に点列を付加したものは点滅により自動運転中であることを示している。そして、情報提供要求した車載装置２が搭載されている搭載車１は、図７で例えば黒く塗りつぶして示すようにして、他車と区別表示される。なお、前述したように、発信情報に含まれる撮影画像情報から存在が確認され、自動運転モードを備えるか否か不明な自動車には、「Ａｕｔｏ」や「Ｍａｎｕ」のマークは付加されない。
【０１１０】
なお、マークは「Ａｕｔｏ」や「Ｍａｎｕ」に限られるものではなく、「自動」や「手動」などであってもよい。また、手動運転モードを備えずに自動運転モードのみを備える完全自動運転車の場合は「Ｐ・Ａｕｔｏ」や「完全自動」のマークをつけてもよい。さらに無人運転の場合は「無人」のマークをつけてもよい。
【０１１１】
ステップＳ１４の次には、制御部２０１は、情報提供要求の終了操作がなされたか否か判別し（ステップＳ１５）、情報提供要求の終了操作がなされていないと判別したときには、前回の情報提供要求の送出タイミングから一定時間が経過したか否か判別する（ステップＳ１６）。ステップＳ１６で、一定時間経過していないと判別したときには、制御部２０１は、処理をステップＳ１５に戻す。そして、ステップＳ１６で、一定時間経過したと判別したときには、処理をステップＳ１２に戻して、次の情報提供要求を、識別情報と、その時点の現在位置の情報とを含めて送信し、このステップＳ１２以降の処理を繰り返す。
【０１１２】
そして、ステップＳ１５で、情報提供要求の終了操作がなされたと判別したときには、制御部２０１は、情報提供要求の終了通知を情報提供サーバ装置３に送信する（ステップＳ１７）。そして、このステップＳ１７の後には、ステップＳ１１に処理を戻し、このステップＳ１１以降の処理を繰り返す。
【０１１３】
なお、図６の例は、車載装置２のタッチパネル２１３を通じて搭載車１の乗車者が情報提供要求開始操作及び情報提供要求終了操作をする場合の処理の流れの一例である。搭載車１のＡＣＣスイッチがオンとされて、車載装置２に電源電圧が投入しているときには、常に情報提供サーバ装置３に情報提供要求をする場合には、ステップＳ１１は、電源が投入されたか否かを検出するステップに置き換わり、また、ステップＳ１５は、電源がオフされたか否かを検出するステップに置き換わる。そして、ステップＳ１７の次には、ステップＳ１１に戻ることなく、処理ルーチンを終了するようにすることになる。
【０１１４】
また、スマートフォン６からの情報提供要求の場合の処理の流れについては、図６と同様になるので、ここでは、その説明は省略する。なお、スマートフォン６の場合において、情報提供要求を一定時間毎ではなく、所定の移動距離ごとに送信する場合には、図６のステップＳ１６の処理は、一定時間の経過ではなく、情報提供要求を送出した前回の現在位置からの所定距離だけ移動したか否かの処理となる。
【０１１５】
なお、車載装置２では、カーナビ機能部２１４を用いた経路案内動作中か否かに関係なく、上述の情報提供要求の処理動作が可能であることは言うまでもない。
【０１１６】
［情報提供サーバ装置３の処理動作］
次に、情報提供サーバ装置３の処理動作の例を、図８〜図１０のフローチャートを参照しながら説明する。なお、図８〜図１０の例は、制御部３０１が、図４における受信情報処理部３０３、受信情報解析処理部３０５、提供情報要求受付部３０８、提供情報生成部３０９の各機能を、ソフトウェア機能部として実行する場合として説明する。
【０１１７】
制御部３０１は、車載装置２からの発信情報を受信したか否か判別する（図８のステップＳ２１）。ステップＳ２１で、車載装置２からの発信情報を受信したと判別したときには、制御部３０１は、受信した発信情報を、受信情報バッファ部３０４に格納してバッファリングする（ステップＳ２２）。そして、制御部３０１は、図９に示した、受信した発信情報の解析処理ルーチンを起動して、発信情報について解析処理を行わせるようにする（ステップＳ２３）。そして、制御部３０１は、処理をステップＳ２１に戻し、このステップＳ２１以降の処理を繰り返す。
【０１１８】
また、ステップＳ２１で、車載装置２からの発信情報を受信してはいないと判別したときには、制御部３０１は、情報提供要求を受信したか否か判別する（ステップＳ２４）。このステップＳ２４で、情報提供要求を受信してはいないと判別したときには、制御部３０１は、処理をステップＳ２１に戻して、このステップＳ２１以降の処理を繰り返す。
【０１１９】
ステップＳ２４で、情報提供要求を受信したと判別したときには、受信した情報提供要求に応じた提供情報の生成及び送信処理ルーチンを起動し（ステップＳ２５）、情報提供要求に対する提供情報の生成及び送信処理を行わせるようにする。そして、制御部３０１は、処理をステップＳ２１に戻し、このステップＳ２１以降の処理を繰り返す。
【０１２０】
次に、ステップＳ２３の受信した発信情報の解析処理ルーチンについて、図９のフローチャートを参照して説明する。
【０１２１】
制御部３０１は、受信した発信情報の暗号化の復号処理を行うと共に、改竄防止処理の解除処理を行い、その処理結果について、エラー検出及びエラー訂正処理を実行する（ステップＳ３１）。そして、エラー検出及びエラー訂正処理を終了した、受信した発信情報についての解析処理を、上述したようにして行い（ステップＳ３２）、その解析処理結果を、解析結果バッファ部３０６に格納して、解析結果バッファ部３０６の内容を更新する（ステップＳ３３）。そして、この処理ルーチンを終了する。
【０１２２】
次に、ステップＳ２５の情報提供要求に応じた提供情報生成及び送信処理ルーチンの例について、図１０のフローチャートを参照して説明する。
【０１２３】
制御部３０１は、情報提供要求してきた相手が、車載装置２か、スマートフォン６かを、その識別情報から判断する（ステップＳ４１）。次に、制御部３０１は、情報提供要求に含まれている現在位置の位置情報を基準にした所定の領域範囲を、前述したようにして、ステップＳ４１で判断した相手に応じて決定する（ステップＳ４２）。
【０１２４】
次に、制御部３０１は、ステップＳ４２で決定した所定の領域に存在する自動車と、そのそれぞれが自動運転モードを備えるか否かの情報を含む提供情報を生成する（ステップＳ４３）。この場合に、情報提供要求してきた相手が車載装置２であれば、当該車載装置２を搭載している搭載車１がどれであるかの情報も、提供情報に含める。また、情報提供要求してきた相手がスマートフォン６であれば、前記所定の領域の地図情報も、提供情報に含める。
【０１２５】
次に、制御部３０１は、ステップＳ４３で生成した提供情報を、情報提供要求してきた相手に対して送信する（ステップＳ４４）。
【０１２６】
そして、制御部３０１は、情報提供要求の終了通知を受信したか否か判別し（ステップＳ４５）、情報提供要求の終了通知を受信してはいないと判別したときには、次の情報提供要求を受信するのを待ち（ステップＳ４６）、次の情報提供要求を受信したと判別したときには、処理をステップＳ４１に戻して、このステップＳ４１以降の処理を繰り返す。ステップＳ４５で、情報提供要求の終了通知を受信したと判別したときには、制御部３０１は、この処理ルーチンを終了する。
【０１２７】
［第１の実施形態の効果］
上述した実施形態の車載装置２によれば、自装置を搭載する搭載車が自動運転モードを備えるか否かの情報を含む自車状況情報と、当該搭載車を他車と区別して特定させるための情報とを含む搭載車情報を含む発信情報を送出するようにする。したがって、この車載装置を搭載する搭載車からの発信情報に基づいて、自動車の運転者や歩行者は、自分の周辺の自動車が、マニュアル仕様車か、自動運転モードを備える自動車かを知ることができるようになる。これにより、自動車の運転者や歩行者は、自分の周辺の自動車が、マニュアル仕様車か、自動運転モードを備える自動車かに応じた行動をすることが可能になり、交通安全の向上を期待することができる。
【０１２８】
また、上述した実施形態の車載装置２と、情報提供サーバ装置３とからなる情報提供システムによれば、情報提供サーバ３装置は、車載装置２からの発信情報を収集して、その発信情報に含まれる位置情報に基づいて管理し、情報提供要求した者に対する提供情報として、その位置の周辺に存在する搭載車の位置情報と、それぞれの搭載車が自動運転モードを備える自動車であるか否かを通知することができる。したがって、情報提供要求した者は、自分の周辺の自動車が、マニュアル仕様車か、自動運転モードを備える自動車かに応じた行動をすることが可能になり、交通安全の向上を期待することができる。
【０１２９】
そして、この実施形態の車載装置２と、情報提供サーバ装置３とからなる情報提供システムによれば、車載装置２は、搭載車１に設置したカメラ群２０７の撮影画像情報を発信情報に含めて情報提供サーバ装置３に送信するので、情報提供サーバ装置３では、その発信情報に含まれる撮影画像情報から、搭載車１の周囲の自動車を特定することが可能となり、車載装置２を搭載していない自動車の存在位置も推定することができる。更に、車載装置２を搭載していない自動車についても、撮影画像情報から、自動運転モードを備える自動車であるかどうかを判定することができる場合もある。これにより、情報提供要求した者の周辺の自動車に関する情報量が多くなるので、より交通安全の向上が期待できる。
【０１３０】
［第１の実施形態の変形例］
上述の実施形態の車載装置は、カーナビ装置に、発信装置の機能及び提供情報の受信装置の機能を搭載した構成であったが、車載装置の構成は、このような構成に限られるものではない。例えば、発信装置の機能のみを備える車載装置の構成であってもよい。また、車載用のカメラ装置に、発信装置の機能や提供情報の受信装置の機能を搭載した車載装置の構成であってもよい。
【０１３１】
また、上述の実施形態の車載装置は、表示部を具備しているが、搭載車に表示部が備えられている場合には、車載装置が生成した表示情報を、搭載車の表示部に供給するように出力する構成とすることで、車載装置は、表示部を備えない構成とすることもできる。また、カメラ群も、車載装置が備えるのではなく、搭載車に備えられているものを利用する構成とすることもできる。
【０１３２】
上述の実施形態の情報提供システムにおいては、情報提供サーバ装置３は、情報提供要求してきた相手の現在位置の周辺に存在する自動車の位置情報と、各自動車が自動運転モードを備えるか否かの情報を含む自車状況情報を、情報提供要求してきた相手に提供するようにしたが、情報提供サーバ装置３は、収集した発信情報を用いて、その他のサービス情報を提供することもできる。
【０１３３】
図１１は、情報提供サーバ装置３が提供するその他のサービス情報の例を説明するための図である。上述したように、情報提供サーバ装置３が収集する発信情報には、搭載車の位置情報と当該搭載車が自動運転モードを備えるか否かの情報を含む自車状況情報とを含む。そこで、情報提供サーバ装置３では、所定の単位地域範囲内に存在する自動車の数を、前述したようにして検出した自動車の位置情報を用いて検知することができると共に、その自動車のうち、自動運転モードを備える自動車がどの程度含まれるかを検出することができる。
【０１３４】
所定の単位地域範囲の例としては、地図情報において、経線および緯線で地域を網の目状に区画したメッシュを用いることができる。図１１は、所定の地図エリアにおけるメッシュを説明するためのもので、図１１において、矩形の小領域７がそれぞれメッシュである。なお、メッシュの大きさは、多段階に定められており、図１１の例は、そのうちの例えば縦１ｋｍ×横１ｋｍの大きさのメッシュの場合として例示した。
【０１３５】
情報提供サーバ装置３は、収集した発信情報に基づいて、メッシュ毎に、当該メッシュ内に位置する自動車の数を計算すると共に、そのメッシュ内の自動車の内の自動運転モードを備える自動車の割合を計算して求めることができる。そして、情報提供サーバ装置３は、その計算結果に応じた情報を、情報提供してきた相手に提供することができる。図１１の例においては、メッシュ内の自動車の数が多いメッシュほど、濃い色を付与して示していると共に、各メッシュ内の自動運転モードを備える自動車の割合が数値によりパーセント表示されている。なお、色の付してないメッシュは自動車の数が所定数以下（例えば１０台以下）であり、自動車の数が少ないためにパーセント表示もしていない。
【０１３６】
もちろん、各メッシュ内の自動運転モードを備える自動車の割合ではなく、マニュアル運転モードのみを備える自動車（マニュアル仕様車）の割合が数値によりパーセント表示することもできる。また、各メッシュ内の自動運転モードを備える自動車の割合またはマニュアル運転モードのみを備える自動車（マニュアル仕様車）の割合を色の濃さで示し、各メッシュ内の自動車の数を色の濃さではなく、実数で表示してもよい。もちろん表示方法は、これらに限定されるものではない。
【０１３７】
これにより、情報提供サーバ装置３は、メッシュ毎に、自動車の数を知ることができると共に、自動運転モードを備える搭載車が多いメッシュや少ないメッシュなどを、情報提供要求してきた相手に報知することができる。
【０１３８】
なお、情報提供サーバ装置３から提供するその他のサービスとしては、上述したメッシュ毎の自動運転モードを備える搭載車の割合の報知サービスに限られるものではなく、収集した発信情報に基づいたサービスであれば、種々のものが可能である。例えば、情報提供サーバ装置３が、車載装置２やスマートフォン６からの経路探索要求に応じて、指定された出発地から目的地までの経路を探索して、その探索結果を提供することができる機能を備える装置である場合には、前記経路探索要求の条件として、例えば「マニュアル仕様車が少ない経路を選択」などの条件を受け付けて、その条件に適合した経路を探索して提供するサービスを提供することができる。
【０１３９】
［第２の実施形態］
上述の第１の実施形態の車載装置２の受信機能においては、情報提供サーバ装置３から受信した提供情報に基づいて、車載装置の周辺の自動車の位置及び自動運転モードを備えるか否かの情報を含む自車状況情報を、表示部の表示画面に表示して、搭載車の乗車者に報知して、その注意喚起のために用いるようにした。しかし、発信装置を搭載する自動車が、自動運転モードを備えている場合には、その周辺の自動車の位置及び自動運転モードを備えるか否かの情報を含む自車状況情報を、自動運転モードにおける動作時の参照用情報として用いるようにすることで、自動運転モードにおける自動車の動作の安全性の向上を図ることできると期待できる。
【０１４０】
第２の実施形態は、その場合の実施形態であり、自動運転モードを備える自動車の電子制御回路部に、第１の実施形態における発信装置の機能と提供情報の受信装置の機能とを組み込んだ構成とした場合である。なお、この第２の実施形態におけるその他の構成、つまり、情報提供サーバ３やスマートフォン６の構成は、上述の第１の実施形態と同様の構成とすることができる。
【０１４１】
図１２は、上述した第１の実施形態の発信装置の機能を搭載し、自動運転モードを備える自動車である自動運転車１Ａの電子制御回路部１０の一例のハードウェア構成例を示す図である。なお、この実施形態の自動運転車１Ａは、電気自動車の場合の例である。ただし、バッテリーは、図１２では図示を省略した。
【０１４２】
また、この実施形態の自動運転車１Ａは、自動運転モードと、手動運転モードとを備えている。手動運転モードは、自動運転車ではない通常の自動車と同様に、運転者のアクセルペダル操作やブレーキペダル操作、シフトレバー操作及びステアリング操作（ハンドル操作）に応じた走行ができるモードである。また、自動運転モードは、運転者がアクセルペダル操作やブレーキペダル操作、シフトレバー操作及びステアリング操作をしなくても、自動運転車１Ａ自身が自動的（自律的）に障害物を回避しながら進路変更をする走行モードである。
【０１４３】
自動運転車１Ａの運転者は、例えば後述するタッチパネル１１２を通じた所定の操作により、手動運転モードで走行中の自動運転車１Ａを自動運転モードに切り替えることができると共に、自動運転モードで走行中に、運転者がアクセルペダル操作やブレーキペダル操作、シフトレバー操作またはステアリング操作など所定の操作をすると、自動的に手動運転モードに戻るように構成されている。
【０１４４】
図１２に示すように、電子制御回路部１０は、コンピュータを搭載して構成されている制御部１０１に対して、システムバス１００を通じて、無線通信部１０２、モータ駆動制御部１０３、ステアリング駆動制御部１０４、手動／自動運転モード切替制御部１０５、レーダー群１０６、カメラ群１０７、センサ群１０８、周囲移動体把握部１０９、現在位置検出部１１０、表示部１１１、タッチパネル１１２、カーナビ機能部１１３、自車情報記憶部１１４、走行速度及び方向検出部１１５、発信情報生成発信部１１６、情報提供要求部１１７、受信情報処理部１１８、表示情報生成部１１９、時計部１２０、のそれぞれが接続されている。
【０１４５】
モータ駆動制御部１０３には、モータ駆動部１３１が接続されている。ステアリング駆動制御部１０４には、ステアリング駆動部１３２が接続されている。手動／自動運転モード切替制御部１０５には、手動運転操作検知部１３３が接続されている。また、カーナビ機能部１１３には、カーナビ用データベース１３４が接続されている。
【０１４６】
無線通信部１０２は、第１の実施形態の無線通信部２０２と同様の機能を備える。
【０１４７】
モータ駆動制御部１０３は、制御部１０１の制御の下に、この実施形態の電気自動車で構成される自動運転車１Ａのモータ駆動部１３１への駆動信号の供給を制御して、自動運転車１Ａの走行開始、走行速度制御（ブレーキ制御及びアクセル制御を含む）、走行停止などを制御するようにする。
【０１４８】
ステアリング駆動制御部１０４は、制御部１０１の制御の下に、この実施形態の自動運転車１Ａのステアリング駆動部１３２への駆動制御信号の供給を制御して、自動運転車１Ａの進路変更の制御をするようにする。
【０１４９】
手動／自動運転モード切替制御部１０５は、タッチパネル１１２を通じた選択操作入力に応じて、自動運転車１Ａの運転モードを、手動運転モードと、自動運転モードとのいずれかに切り替える制御を行う。手動運転操作検知部１３３は、運転者によるアクセルペダル操作やブレーキペダル操作、シフトレバー操作さらにはステアリング操作の操作情報を受けて、その手動運転操作情報を手動／自動運転モード切替制御部１０５に供給する。
【０１５０】
手動／自動運転モード切替制御部１０５は、自動運転車１Ａが手動運転モードのときには、この手動運転操作検知部１３３からの手動運転操作情報を、モータ駆動制御部１０３、ステアリング駆動制御部１０４に供給して、モータ駆動部１３１、ステアリング駆動部１３２を、運転者のペダル操作やシフトレバー操作、ステアリング操作（ハンドル操作）に応じて制御する。
【０１５１】
また、手動／自動運転モード切替制御部１０５は、自動運転車１Ａが自動運転モードのときには、後述するようにして、レーダー群１０６、カメラ群１０７、センサ群１０８、周囲移動体把握部１０９の出力に基づいて制御部１０１で生成される自動運転操作情報を、モータ駆動制御部１０３、ステアリング駆動制御部１０４に供給して、モータ駆動部１３１、ステアリング駆動部１３２を、自動運転操作情報により駆動制御する。なお、自動運転モードにおいては、カーナビ機能部１１３において、運転者などにより設定された行先（目的地）に対する現在位置からの経路が探索され、その探索された経路に沿って走行するように制御される。
【０１５２】
なお、手動運転モードを備えずに自動運転モードのみを備える完全自動運転車の場合、手動／自動運転モード切替制御部１０５、手動運転操作検知部１３３は、もちろん備えていない。また、手動運転操作に必要なアクセルペダル、ブレーキペダル、シフトレバー、ステアリング（ハンドル）などもなくてもよい。ただし、安全確保のために、ブレーキペダル（ブレーキボタン、ブレーキに対応するタッチパネル入力や音声入力でもよい）を備え、ブレーキ操作だけは手動で対応できるようにしてもよい。
【０１５３】
レーダー群１０６は、自動運転車１Ａの車両の周囲に存在する人や物との距離を測るためのもので、レーザー・レーダーやミリ波レーダーなどからなる。レーザー・レーダーは、例えば天井やバンパー付近に埋め込まれ、ミリ波レーダーは、例えば車両の前部及び後部に設けられている。レーザー・レーダーとミリ波レーダーの両方を備えてもよいし、一方のみであってもよい。また、マイクロ波レーダーなど、その他のレーダーを用いてもよい。さらに、レーダーと同様の目的でソナー（図示せず）を用いることができる。
【０１５４】
カメラ群１０７は、第１の実施形態のカメラ群２０７に対応するもので、自動運転車１Ａの車内を撮影する１〜複数個のカメラと、自動運転車１Ａの前方、側方、後方など、車外の周囲を撮影する１〜複数個のカメラとを含む。
【０１５５】
センサ群１０８は、ドアの開閉や窓の開閉を検知する開閉検知センサ、シートベルト着用を検出するためのセンサ、運転席や助手席などの座席に乗車者が着座したことを検知する着座センサなどの他、車外の近傍の人物を検知する人感センサ（赤外線センサ）や自動運転のための補助となる情報を取得するための各種センサからなる。自動運転のための補助となる情報を取得するための各種センサとしては、例えば車両やタイヤの振動を検出するための振動センサ、タイヤの回転数を検出する回転数センサ、方位を検出するための地磁気センサ、加速度を検出するための加速度センサ、角度や角速度を検出するためのジャイロセンサ（ジャイロスコープ）、などが含まれる。また、この実施形態では、センサ群１０８には、右ウインカーや左ウインカー（方向指示器）やハザードランプ（非常点滅灯）の点灯を検知するセンサも含まれている。
【０１５６】
周囲移動体把握部１０９は、レーダー群１０６やセンサ群１０８、また、カメラ群１０７の撮影画像を用いて、自車の周囲の移動体（人物を含む）を把握するようにする。周囲移動体把握部１０９は、例えばベイズ理論に基づいた処理を行うことで、周囲の障害物や移動体を把握するようにする。
【０１５７】
現在位置検出部１１０は、第１の実施形態の車載装置２の現在位置検出部２０４に対応するもので、ＧＰＳ衛星からの電波を受信して、自車の現在位置を検出する。現在位置検出部１１０は、ＧＰＳ衛星からの電波により検出された位置の精度は悪いので、ＧＰＳ衛星からの電波の受信で検出された現在位置の情報のみではなく、センサ群１０８に含まれる１〜複数個のセンサ及びレーダー群１０６、カメラ群１０７の撮影画像（ナビ機能を併用）などをも用いると共に、例えばベイズ理論に基づいた処理を行うことで、より精度の高い現在位置を検出確認するようにしている。
【０１５８】
自動運転車１Ａは、自動運転モードにおいては、現在位置検出部１１０や周囲移動体把握部１０９において、レーダー群１０６、カメラ群１０７、センサ群１０８、ＧＰＳ衛星からの電波の受信で取得した位置情報などの各種情報、つまり、人間の目や耳から得る情報に対応する情報をベイズ理論などにより処理し、これに基づき、制御部１０１は、自車の進路変更や障害物の回避など知的な情報処理（ＡＩ（人工知能））及び制御（ＡＩ（人工知能））を行って、自動運転操作情報を生成する。そして、生成された自動運転操作情報に基づいて、モータ駆動制御部１０３によりモータ駆動部１３１が駆動され、ステアリング駆動制御部１０４によりステアリング駆動部１３２が駆動されることで、自律移動制御がなされる。したがって、この実施形態では、自律移動制御手段は、制御部１０１と、レーダー群１０６、カメラ群１０７、センサ群１０８、周囲移動体把握部１０９、現在位置検出部１１０、及びモータ駆動制御部１０３、モータ駆動部１３１、ステアリング駆動制御部１０４、ステアリング駆動部１３２、更に後述するカーナビ機能部１１３とにより構成される。
【０１５９】
表示部１１１は、第１の実施形態の車載装置２の表示部２１２に対応するもので、例えばＬＣＤからなる。タッチパネル１１２は、第１の実施形態の車載装置２のタッチパネル２１３に対応するもので、ＬＣＤからなる表示部１１１の表示画面の上に、指によるタッチ入力が可能なタッチセンサが重畳されて配設されたものである。表示部１１１の表示画面には、制御部１０１の制御に基づき、ソフトウェアボタン（キーボードの文字入力用ボタンを含む）を含む表示画像が表示される。そして、タッチパネル１１２は、表示画面に表示されているソフトウェアボタン上の指によるタッチを検出すると、そのタッチを制御部１０１に伝達する。これを受けた制御部１０１は、ソフトウェアボタンに対応する制御処理を実行するように構成されている。なお、ソフトウェアボタンは、別途キーボードなどを用いることで対応してもよい。
【０１６０】
カーナビ機能部１１３は、第１の実施形態の車載装置２のカーナビ機能部２１４に対応するもので、カーナビ機能部１１３に接続されているカーナビ用データベース１３４には、国内の地図及び経路案内データが、予め格納されている。カーナビ機能部１１３は、カーナビ用データベース１３４に記憶されている地図や、経路案内データに基づいて、自動運転車１が指定された目的地まで移動するのを補助するように案内するための機能部である。この実施形態では、カーナビ機能部１１３は、手動運転モードと、自動運転モードとで、若干異なる処理をするように構成されている。
【０１６１】
すなわち、手動運転モードにおいては、カーナビ機能部１１３は、表示部１１１の表示画面上において、目的地までの経路（ルート）を明示的に表示する地図上に、現在位置検出部１１０で検出確認されている自車位置を重畳表示した画像を表示すると共に、自車の移動に伴い、地図上の自車位置（現在位置）を移動させ、かつ、ルート上の交差点や分岐点など、経路案内が必要な箇所で音声案内をするようにする。これは、通常のカーナビ機能と同様である。
【０１６２】
一方、自動運転モードにおいては、カーナビ機能部１１３は、自車の現在位置が目的地までのルート上から離れているときには、その離間方向及び距離の情報を制御部１０１に通知すると共に、自車の現在位置が目的地までのルート上に在るときには、自車の移動に伴い、ルート上の交差点や分岐点などの手前で、ルートに沿った進路方向の変更指示情報を制御部１０１に通知するようにする。制御部１０１は、このカーナビ機能部１１３から通知された情報と、現在位置検出部１１０の現在位置確認結果及び周囲移動体把握部１０９の把握結果とに基づいて、自車がルート上を指示された通りの進路をとって移動するように、モータ駆動制御部１０３を通じてモータ駆動部１３１を制御すると共に、ステアリング駆動制御部１０４を通じてステアリング駆動部１３２を制御するための自動運転操作情報を生成する。したがって、自動運転モードにおけるカーナビ機能部１１３及び制御部１０１による目的地までの経路案内により、乗車者が無人の状態においても、自動運転車１Ａは、目的地まで移動することができる。
【０１６３】
自車情報記憶部１１４は、第１の実施形態の車載装置２の搭載車情報記憶部２０３に対応するもので、自動運転車１Ａについて、第１の実施形態おける搭載車の搭載車情報と同様の情報が、自車情報として記憶されている。
【０１６４】
走行速度及び方向検出部１１５は、第１の実施形態の車載装置２の走行速度及び方向検出部２０５に対応するもので、走行速度及び方向検出部２０５と同様の構成を備える。また、発信情報生成発信部１１６、情報提供要求部１１７、受信情報処理部１１８、表示情報生成部１１９及び時計部１２０は、第１の実施形態の車載装置２の発信情報生成発信部２０８、情報提供要求部２０９、受信情報処理部２１０、表示情報生成部２１１及び時計部２０６に対応するもので、それらと同様の構成を備えるので、ここでは、その詳細な説明は省略する。
【０１６５】
以上のように、自動運転車１Ａの電子制御回路部１０は構成されるが、図１２に示した各処理ブロックのうち、モータ駆動制御部１０３、ステアリング駆動制御部１０４、手動／自動運転モード切替制御部１０５、周囲移動体把握部１０９、現在位置検出部１１０、カーナビ機能部１１３、走行速度及び方向検出部１１５、発信情報生成発信部１１６、情報提供要求部１１７、受信情報処理部部１１８、表示情報生成部１１９、の各処理機能は、制御部１０１がプログラムを実行することで行うソフトウェア処理として実現することができる。
【０１６６】
［第２の実施形態の自動運転車１Ａでの処理動作の例］
この第２の実施形態の自動運転車１Ａにおける発信情報の送出動作は、上述の第１の実施形態の車載装置２の場合と同様であるので、その説明は省略する。この第２の実施形態の自動運転車１Ａでは、情報提供サーバ３から受信した提供情報の利用方法が、第１の実施形態と異なる。
【０１６７】
図１３及び図１４のフローチャートを参照して、この第２の実施形態の自動運転車１Ａにおける情報提供要求及び提供情報の受信処理の流れの例について説明する。この図１３及び図１４に示したフローチャートの各ステップの処理は、自動運転車１Ａの電子制御回路部１０の制御部１０１が、内蔵するプログラムに従って、図１２おける発信情報生成発信部１１６、情報提供要求部１１７、受信情報処理部１１８、表示情報生成部１１９、カーナビ機能部１１３の各機能を、ソフトウェア機能部として実行する場合として説明する。
【０１６８】
制御部１０１は、自車である自動運転車１Ａで自動運転モードが選択中の状態であるか否か判別する（ステップＳ５１）。このステップＳ５１で、自動運転モードが選択中の状態であると判別したときには、制御部１０１は、現在位置検出部１１０で検出された現在位置の情報と、自車の識別情報の例としてのナンバープレートのナンバーの情報とを含めた情報提供要求を生成して、その生成した情報提供要求を情報提供サーバ装置３に通信ネットワーク４を通じて送る（ステップＳ５２）。
【０１６９】
次に、制御部１０１は、情報提供サーバ装置３からの提供情報を受信するのを待ち（ステップＳ５３）、提供情報を受信したと判別したときには、受信した提供情報を表示部１１１の表示画面に表示すると共に、提供情報に含まれる自動車の位置情報と、それぞれが自動運転モードを備えるか否かの情報を含む自車状況情報をも参照して、自動運転操作情報を生成するようにする。すなわち、例えば、自動運転モードを備えていて、自動運転中の他車については、例えばウインカーを出してから右左折するなどのように交通規則に準拠した振る舞いをすると予測してその動きに注意すると共に、マニュアル仕様車の場合には、交通規則に準拠しない不測の振る舞いもすることを予想して、車間距離を自動運転車の場合より長めに確保するなど、その動きに注意するようにした自動運転操作情報を生成するようにする。
【０１７０】
次に、制御部１０１は、情報提供要求の終了操作がなされたか否か判別し（ステップＳ５５）、情報提供要求の終了操作がなされていないと判別したときには、前回の情報提供要求の送出タイミングから一定時間が経過したか否か判別する（ステップＳ５６）。ステップＳ５６で、一定時間経過していないと判別したときには、制御部１０１は、処理をステップＳ５５に戻す。そして、ステップＳ５６で、一定時間経過したと判別したときには、処理をステップＳ５２に戻して、次の情報提供要求を、識別情報と、その時点の現在位置の情報とを含めて送信し、このステップＳ５２以降の処理を繰り返す。
【０１７１】
そして、ステップＳ５５で、情報提供要求の終了操作がなされたと判別したときには、制御部１０１は、情報提供要求の終了通知を情報提供サーバ装置３に送信する（ステップＳ５７）。そして、このステップＳ５７の後には、ステップＳ５１に処理を戻し、このステップＳ５１以降の処理を繰り返す。
【０１７２】
そして、ステップＳ５１で、自車は自動運転モードの選択中の状態ではないと判別したときには、制御部１０１は、前述した第１の実施形態の車載装置２と同様の処理を行う。すなわち、制御部１０１は、タッチパネル１１２を通じて情報提供要求開始操作がなされたか否か判別し（ステップＳ６１）、情報提供要求開始操作がなされていないと判別したときには、ステップＳ６１の処理に戻って、情報提供要求開始操作がなされるのを待つ。
【０１７３】
ステップＳ６１で、情報提供要求開始操作がなされたと判別したときには、制御部１０１は、現在位置検出部１１０で検出された現在位置の情報と、識別情報としてこの例では、搭載車１のナンバープレートのナンバーを含めた情報提供要求を生成して、情報提供サーバ装置３に対して提供情報を送出する（ステップＳ６２）。
【０１７４】
そして、制御部１０１は、送信した情報提供要求に応じて情報提供サーバ装置３から送られてくる提供情報を受信するのを待ち（ステップＳ６３）、提供情報を受信したと判別したときには、提供情報による表示画面を表示部１１１に表示する（ステップＳ６４）。この場合に、制御部１０１は、カーナビ機能部１１３の機能により表示部１１１の表示画面には、図７に示したように、自車（自動運転車１Ａ）の現在位置周辺の地図上における他車の情報が表示される。なお、その場合、マニュアル仕様車のみや自動運転車のみに限定して表示するようにしてもよい。
【０１７５】
ステップＳ６４の次には、制御部１０１は、情報提供要求の終了操作がなされたか否か判別し（ステップＳ６５）、情報提供要求の終了操作がなされていないと判別したときには、前回の情報提供要求の送出タイミングから一定時間が経過したか否か判別する（ステップＳ６６）。ステップＳ６６で、一定時間経過していないと判別したときには、制御部１０１は、処理をステップＳ６５に戻す。そして、ステップＳ６６で、一定時間経過したと判別したときには、制御部１０１は、処理をステップＳ６２に戻して、次の情報提供要求を、識別情報と、その時点の現在位置の情報とを含めて送信し、このステップＳ６２以降の処理を繰り返す。
【０１７６】
そして、ステップＳ６５で、情報提供要求の終了操作がなされたと判別したときには、制御部１０１は、情報提供要求の終了通知を情報提供サーバ装置３に送信する（ステップＳ６７）。そして、このステップＳ６７の後には、図１３のステップＳ５１に処理を戻し、このステップＳ５１以降の処理を繰り返す。
【０１７７】
この第２の実施形態の自動運転車１Ａによれば、自車の周辺の他車が自動運転モードを備えるか否か、自動運転モードを備える場合には、自動運転中であるかどうかを検知することができ、その検知した結果を、自動運転モードにおける自動運転操作情報の生成に反映させるようにしたので、自動運転モード時における交通安全の向上が更に期待できるという効果がある。
【０１７８】
なお、上述の自動運転車は、自動運転モードと手動運転モードとを切り替えることができる仕様であったが、手動運転モードを備えずに自動運転モードのみを備える完全自動運転車であってもよい。その場合には、自車情報に、当該完全自動運転車である旨の情報を含めて発信情報を送信するようにする。そして、情報提供サーバ装置は、発信情報を解析した結果から生成する提供情報に、自動車が完全自動運転車である場合には、それを示す情報を含めるようにして、受信側（搭載車や自動運転車）では、それを表示部に表示したり、自動運転操作情報の生成に利用することができるようにする。
【０１７９】
また、自動運転車が、自動運転モードと手動運転モードとを切り替えることができる仕様である場合においても、交通安全上、手動運転モードに切り替えることができない強制自動運転モードを備える場合も想定できる。その場合、自動運転車が、その強制自動運転モードとなっているときには、当該自動運転車からの発信情報には、当該強制自動運転モード中であることを示す情報を含めるようにする。そして、情報提供サーバ装置は、発信情報を解析した結果から生成する提供情報に、自動車が強制自動運転モード中である場合には、それを示す情報を含めるようにして、受信側（搭載車や自動運転車）では、それを表示部に表示したり、自動運転操作情報の生成に利用することができるようにする。
【０１８０】
［第３の実施形態］
上述の第１の実施形態及び第２の実施形態における情報提供システムにおいては、車載装置２あるいは自動運転車１Ａ（自動車）は、発信情報は常に、あるいは、乗車者が指定した期間において、情報提供サーバ装置３に送るようにすると共に、情報提供要求を情報提供サーバ装置３に送信したときに提供情報を受信することができるようにした。
【０１８１】
この第３の実施形態の情報提供システムにおいては、車載装置あるいは自動運転車は、必要な場合にのみ発信情報を情報提供サーバ装置に送信すると共に、情報提供要求をすることなく、必要な提供情報を受け取ることができるように構成する。
【０１８２】
図１５は、この第３の実施形態の情報提供システムの概要を説明するための図である。この第３の実施形態の場合の情報提供サーバ装置３Ｂは、道路に沿った位置であって、主要な場所や交通事故多発地点などの所定の場所に設置される。情報提供サーバ装置３Ｂが設置される所定の場所の例としては、交差点、信号機設置場所、高速道路進入地点、合流地点、ロータリー、踏切、料金所、ＳＡ（サービスエリア）、ＰＡ（パーキングエリア）、工事現場、事故現場、交通事故多発地点などが挙げられるが、それらの全ての地点に設置する必要はなく、その内の選択された１種以上の地点で良い。また、情報提供サーバ装置３Ｂは、信号機設置場所に併設するようにしてもよいし、信号機自身に内蔵するようにしてもよい。図１５の例は、情報提供サーバ装置３Ｂが信号機のある交差点に設置されている場合の例である。
【０１８３】
そして、この第３の実施形態の場合の車載装置２Ｂを搭載する搭載車１Ｂまたは自動運転車１ＢＡは、情報提供サーバ装置３Ｂが備える無線通信部と通信可能となる地域範囲に入ると、自動的に発信情報を情報提供サーバ装置３Ｂに送信し、また、情報提供サーバ装置３Ｂから送出される提供情報を自動的に受信するように構成されている。
【０１８４】
この第３の実施形態の車載装置２Ｂのハードウェア構成例を図１６に示す。この第３の実施形態の車載装置２Ｂのハードウェア構成例においては、図２に示した第１の実施形態の車載装置２のハードウェア構成例において、情報提供要求部２０９を備えない構成にほぼ等しい。ただし、この第３の実施形態の車載装置２Ｂの制御部２０１Ｂ及び無線通信部２０２Ｂは、第１の実施形態の車載装置２の制御部２０１及び無線通信部２０２と、その構成（ソフトウェアを含む）が若干異なる。
【０１８５】
すなわち、無線通信部２０２Ｂは、情報提供サーバ装置３Ｂの無線通信部と無線通信が可能な地域領域に入ると、自動的に情報提供サーバ装置３Ｂの無線通信部との通信を開始し、無線通信が可能な地域領域から逸脱すると、自動的に情報提供サーバ装置３Ｂの無線通信部との通信を停止するように構成されている。
【０１８６】
制御部２０１Ｂは、無線通信部２０２Ｂが、情報提供サーバ装置３Ｂと通信可能となったか否かを監視しており、無線通信部２０２Ｂが情報提供サーバ装置３Ｂと通信可能となったことを確認したときには、発信情報生成発信部２０８を制御して、発信情報の一定時間毎の送信を開始させるようにすると共に、受信情報処理部２１０を制御して、情報提供サーバ装置３Ｂからの提供情報を受信して、表示情報生成部２１１に転送する処理を行わせるようにする。そして、制御部２０１Ｂは、無線通信部２０２Ｂが、情報提供サーバ装置３Ｂと通信不能になったら、発信情報生成発信部２０８からの発信情報の送信を停止させ、受信情報処理部２１０での提供情報の受信処理を停止させるように制御する。
【０１８７】
その他の構成部の処理内容は、上述した第１の実施形態の車載装置２と同様であるので、その説明は省略する。
【０１８８】
また、自動運転車１ＢＡの構成は、図１１に示した第２の実施形態の自動運転車１Ａと、上述した車載装置２Ｂと車載装置２との違いと同様の違いがあるだけであるので、その構成及び説明は、ここでは省略する。
【０１８９】
また、この第３の実施形態の情報提供サーバ装置３Ｂのハードウェア構成例を図１７に示す。この第３の実施形態の情報提供サーバ装置３Ｂのハードウェア構成例においては、図４に示した第１の実施形態の情報提供サーバ装置３のハードウェア構成例において、提供情報要求受付部３０８を備えず、その代わりにカメラ群３１１が追加された構成にほぼ等しい。カメラ群３１１は、情報提供サーバ装置３Ｂが設置されている位置の近傍の道路を走行する自動車を撮影するためのものである。
【０１９０】
そして、この第３の実施形態の情報提供サーバ装置３Ｂの制御部３０１Ｂ及び無線通信部３０２Ｂは、第１の実施形態の情報提供サーバ装置３の制御部３０１及び無線通信部３０２と、その構成（ソフトウェアを含む）が若干異なる。その他は、第１の実施形態の情報提供サーバ装置３と同様の構成とされている。
【０１９１】
情報提供サーバ装置３Ｂにおいては、無線通信部３０２Ｂの無線通信可能領域内に車載装置２Ｂあるいは自動運転車１ＢＡが入ると、当該車載装置２Ｂあるいは自動運転車１ＢＡから発信情報が送られてくるので、制御部３０１Ｂの制御に従い、受信情報処理部３０３、受信情報バッファ部３０４、受信情報解析処理部３０５Ｂ、解析結果バッファ部３０６Ｂが、その受信した発信情報を受信して一時格納し、解析処理を行って、解析結果を格納する処理を実行する。
【０１９２】
このとき、この第３の実施形態の情報提供サーバ装置３では、受信情報解析処理部３０５Ｂでは、カメラ群３１１で撮影された画像情報をも用いて、情報提供サーバ装置３Ｂの位置の近傍の自動車を検知し、自動運転モードを備えるか否かの判定も行うようにする。なお、図１５に示したように、同じ交差点の位置などに、複数台の情報提供サーバ装置３Ｂを設ける場合には、互いの情報提供サーバ装置３Ｂ間で、それぞれのカメラ群３１１の撮影画像情報を送受するようにして、それら複数の情報提供サーバ装置３Ｂで得られた撮影画像情報を、受信情報解析処理部３０５Ｂで解析するようにしてもよい。そして、このように、複数台の情報提供サーバ装置３Ｂを設ける場合には、互いの解析結果バッファ部３０６Ｂの情報内容を送受して、同一の解析結果となるように調整するようにする。
【０１９３】
なお、この第３の実施形態の情報提供サーバ装置３Ｂにおける地図情報データベース３１０に格納する地図情報としては、当該情報提供サーバ装置３Ｂが設置されている近傍の領域範囲であって、無線通信部３０２Ｂの無線通信が可能な領域の地図情報のみで良い。
【０１９４】
［車載装置２Ｂの処理動作例］
次に、車載装置２Ｂの処理動作例について、図１８のフローチャートを参照して説明する。この図１８の例においても、フローチャートの各ステップの処理動作を車載装置２Ｂの制御部２０１Ｂが実行するものとして説明する。
【０１９５】
先ず、制御部２０１Ｂは、情報提供サーバ装置３Ｂとの無線通信可能領域内に入ったか否か監視する（ステップＳ７１）。そして、車載装置２Ｂが情報提供サーバ装置３Ｂとの無線通信可能領域内に入ったと判別したときには、制御部２０１Ｂは、情報提供サーバ装置３Ｂとの無線通信を開始し（ステップＳ７２）、情報提供サーバ装置３Ｂからの提供情報を受信したか否か判別する（ステップＳ７３）。
【０１９６】
そして、ステップＳ７３で、情報提供サーバ装置３Ｂからの提供情報を受信したと判別したときには、制御部２０１Ｂは、情報提供サーバ装置３Ｂからの提供情報の受信処理を実行する（ステップＳ７４）。この提供情報の受信処理の処理内容は、前述の第１の実施形態と同様であるので、その詳細な説明は省略する。
【０１９７】
また、ステップＳ７３で、情報提供サーバ装置３Ｂからの提供情報を受信してはいないと判別したときには、制御部２０１Ｂは、発信情報を一定時間間隔で発信する処理を実行する（ステップＳ７５）。この発信情報の発信処理の処理内容も、前述した第１の実施形態と同様であるので、その詳細な説明は省略する。
【０１９８】
ステップＳ７４またはステップＳ７５の次には、制御部２０１Ｂは、車載装置２Ｂが情報提供サーバ３Ｂとの無線通信可能範囲外となったか否か判別する（ステップＳ７６）。このステップＳ７６で、車載装置２Ｂが情報提供サーバ３Ｂとの無線通信可能範囲外となってはいないと判別したときには、制御部２０１Ｂは、処理をステップＳ７３に戻し、このステップＳ７３以降の処理を繰り返す。
【０１９９】
また、ステップＳ７６で、車載装置２Ｂが情報提供サーバ３Ｂとの無線通信可能範囲外となったと判別したときには、制御部２０１Ｂは、情報提供サーバ装置３との無線通信を停止し（ステップＳ７７）、発信情報の発信処理及び情報提供サーバ装置３Ｂからの提供情報の受信処理を停止する（ステップＳ７８）。そして、制御部２０１Ｂは、処理をステップＳ７１に戻し、このステップＳ７１以降の処理を繰り返す。
【０２００】
なお、自動運転車１ＢＡの処理動作例も、この図１８に示した車載装置２Ｂの処理動作例とほぼ同様であるので、ここでは、その説明は省略する。
【０２０１】
［情報提供サーバ装置３Ｂの処理動作例］
次に、情報提供サーバ装置３Ｂの処理動作例について、図１９及び図２０のフローチャートを参照しながら説明する。なお、この例においても、図１９及び図２０のフローチャートの各ステップの処理動作を情報提供サーバ装置３Ｂの制御部３０１Ｂが実行するものとして説明する。
【０２０２】
情報提供サーバ装置３Ｂの制御部３０１Ｂは、図１９の発信情報の受信処理ルーチンと、図２０の提供情報の送信処理ルーチンとを並列の実行する。先ず、図１９の発信情報の受信処理ルーチンについて説明する。
【０２０３】
制御部３０１Ｂは、車載装置２Ｂあるいは自動運転車１ＢＡからの発信情報を受信したか否か監視する（ステップＳ８１）。このステップＳ８１で、発信情報を受信したと判別したときには、制御部３０１Ｂは、受信した発信情報を受信情報バッファ部３０４に格納してバッファリングする（ステップＳ８２）。
【０２０４】
そして、制御部３０１Ｂは、受信した発信情報と、カメラ群３１１の撮影画像情報とを解析することで、情報提供サーバ装置３Ｂが設置されている領域における自動車を検知すると共に、検知した自動車について、自動運転モードを備えているかどうかを可能な限り検知する（ステップＳ８３）。そして、その解析結果を解析結果バッファ部３０６Ｂに格納して更新する（ステップＳ８４）。
【０２０５】
このステップＳ８４の次には、制御部３０１Ｂは、処理をステップＳ８１に戻し、このステップＳ８１以降の処理を繰り返す。
【０２０６】
次に、情報提供サーバ装置３Ｂにおける提供情報の送出（送信）処理について図２０を参照して説明する。
【０２０７】
制御部３０１Ｂは、提供情報の送出タイミングであるか否か監視する（ステップＳ９１）。このステップＳ９１で、提供情報の送出タイミングであると判別したときには、制御部３０１Ｂは、当該時点における解析結果バッファ部３０６Ｂから提供情報を抽出して、提供情報を送出する（ステップＳ９２）。この場合、提供情報は、ブロードキャストにより無線通信可能領域に存在する全ての車載装置２Ｂや自動運転車１ＢＡが受信可能な状態で送信する。
【０２０８】
そして、制御部３０１Ｂは、提供情報の送出を完了したか否か確認の判別を行い（ステップＳ９３）、提供情報の送出を完了したことを確認したら、処理をステップＳ９１に戻して、このステップＳ９１以降の処理を繰り返す。
【０２０９】
［第３の実施形態の車載装置２Ｂにおける表示例］
この第３の実施形態の車載装置２Ｂにおける、表示部２１２の表示画面に表示される、受信した提供情報に基づいた表示画像の例を図２１に示す。この図２１の例においては、情報提供サーバ装置３Ｂが設置されている交差点の近傍の地図上において、情報提供サーバ装置３Ｂでの解析処理の結果として検知された位置に自動車マークが表示されると共に、その自動車マークの近傍に、それぞれの自動車について自動運転モードを備える否かのマークが、前述した図７の例と同様にして、表示される。
【０２１０】
なお、図２１の例では、自搭載車あるいは自身の自動運転車は、周囲に点線を付して示したように、点滅表示するなど強調表示することで、他車と区別ができるようにしている。また、図２１では、表示を省略したが、図７の例と同様にして、自動運転モードを備える自動車が自動運転中であるかどうかも表示することができる。もちろん、表示はこの例に限られるものでなく、例えば色分け表示などをしてもよい。
【０２１１】
［第３の実施形態の効果］
この第３の実施形態の情報提供システムにおいては、車載装置２Ｂを搭載している搭載車１Ｂや、車載装置２Ｂと同様の機能を搭載する自動運転車１ＢＡは、情報提供サーバ装置３Ｂが設置されている交差点を通過するときには、自動的に、情報提供サーバ装置３Ｂと無線通信が可能となり、情報提供サーバ装置３Ｂからの提供情報を受信することができる。すなわち、搭載車１Ｂや自動運転車１ＢＡの乗車者は、情報提供要求の操作などの操作をしなくても、情報提供サーバ装置３Ｂとの通信が可能な領域を通過するときには、自車の周辺の他車の情報を知ることができるので、非常に便利である。また、自動運転モード中の自動運転車１ＢＡは、情報提供サーバ装置３Ｂが設置されている場所では、周辺の自動車の情報に基づいて自動運転が可能になるので、交通安全の向上が期待できる。
【０２１２】
したがって、第３の実施形態によれば、情報提供サーバ装置３Ｂを、交通安全上の要となる交差点等の場所に設置することで、より交通安全の向上を図ることができる。
【０２１３】
そして、上述の第３の実施形態においては、情報提供サーバ装置３Ｂが備えるカメラ群３１１の撮影画像情報を用いて、当該情報提供サーバ装置３Ｂの近傍の所定領域範囲に存在する自動車を検知するので、車載装置２Ｂを搭載する搭載車や、自動運転車１ＢＡ以外の他車も、ほぼすべて検知することが可能になる。このため、図２１に示すように、自動運転モードを備えているか否かを示すマークが付与されていない自動車も表示されて、これらの自動車と、搭載車及び自動運転車との位置関係が確実に把握することができるようになるので、交通安全の向上の効果が非常に高くなると期待される。
【０２１４】
［第３の実施形態の変形例］
この第３の実施形態においても、歩行者が携帯する携帯端末の例としてのスマートフォンに、車載装置２Ｂの提供情報の受信機能を装備させることにより、歩行者も、車載装置２Ｂや自動運転車の乗車者と同様に、自動的に、周囲の自動車が自動運転モードを備えるか否かの情報を含む自車状況情報を知ることができる。その場合には、スマートフォンは、所定の位置に設置された情報提供サーバ装置との通信が可能な領域に入ったか否かを判断する通信可否判断手段と、この通信可否判断手段により情報提供サーバ装置との通信が可能な領域に入ったと判断したときに、情報提供サーバ装置から送信されてくる提供情報を受信して、自分が居る現在位置の周辺に存在する自動車について、少なくとも自動運転モードを備えるか否かの情報を含む情報を取得して表示出力する受信情報処理手段とを備えるものである。
【０２１５】
なお、上述の第３の実施形態においては、情報提供サーバ装置３Ｂ内にカメラ群３１１を設けるように説明したが、カメラ群３１１を構成するカメラのそれぞれは、交差点の信号機や、信号機の支柱、中央分離体内の支柱、歩道橋などに設置して、より確実に当該交差点の領域を通過する自動車を撮影することができるようにすることもできる。その場合には、カメラのそれぞれと、情報提供サーバ装置３Ｂとの間は、有線で接続してもよいし、無線で接続するようにしてもよい。
【０２１６】
［第４の実施形態］
以上の実施形態では、情報提供サーバ装置が発信情報を収集し、その収集した発信情報から提供情報を生成して、情報提供してきた相手装置に提供するようにした。しかし、情報提供サーバ装置を経由することなく、自動車同士で発信情報の授受をし、自動車の車載装置あるいは自動車自身で、受信した発信情報から、周囲の自動車に関する自動運転モードを備えるか否かの情報を含む自車状況情報を報知する情報を生成するようにしてもよい。第４の実施形態は、その場合の例である。なお、発信情報の授受は、自動車同士に限らず、自動車と歩行者でも考えられる。この場合、自動車が発信情報を発信し、歩行者が携帯する携帯端末、例えばスマートフォンが受信する場合が考えられる。さらに、歩行者のみならず、自転車の運転者や、自動２輪などの運転者や同乗者であっても同様に考えられる。つまり、自動車が発信情報を発信し、当該運転者や同乗者が携帯する携帯端末、例えばスマートフォンが受信する場合が考えられる。
【０２１７】
図２２〜図２５を参照して、この第４の実施形態の車載装置について説明する。なお、第４の実施形態の自動運転車は、当該自動運転車の電子制御回路部に、第４の実施形態の車載装置の機能が搭載され、受信した発信情報から生成した、周囲の自動車に関する自動運転モードを備えるか否かの情報を含む自車状況情報を、自動運転モードにおける自動運転操作情報の生成用に用いることが追加されるのみで、以下に説明する車載装置の実施形態と同様の構成を備えるものである。
【０２１８】
図２２は、この第４の実施形態の概要を説明するための図である。すなわち、搭載車１Ｃに搭載されている車載装置２Ｃのそれぞれは、自搭載車１Ｃの前方及び後方、さらには側方の他の搭載車１Ｃの車載装置２Ｃと無線通信することが可能なように構成されている。そして、車載装置２Ｃのそれぞれは、自搭載車１Ｃの識別情報と位置情報と搭載車情報とを含む発信情報を他の搭載車１Ｃの車載装置２Ｃに発信すると共に、他の搭載車１Ｃの車載装置２Ｃからの発信情報を受信して収集し、自搭載車１Ｃの周囲の他の搭載車１Ｃが自動運転モードを備えるか否かの情報を含む自車状況情報を取得し、乗車者に報知するようにする。
【０２１９】
さらに、この第４の実施形態の車載装置２Ｃは、車載装置２Ｃを備えない他車や、歩行者に対しても、自搭載車１Ｃが自動運転モードを備えるか否かの情報を含む自車状況情報を発信して報知することができる発信情報報知手段を備えるように構成されている。
【０２２０】
この第４の実施形態では、発信情報報知手段は、自搭載車１Ｃが自動運転モードを備えるか否かを含む自車状況情報を発信して報知することができるように構成されている。発信情報報知手段は、車載装置２Ｃを備えない他車の乗車者や、歩行者などが視覚的に検知することができるように、外部から観視可能な場所に設けられる。したがって、車載装置２Ｃは、搭載しているカメラ群による撮影画像情報を介して、発信情報報知手段からの搭載車１Ｃが自動運転モードを備えるか否かの情報を含む自車状況情報を取得することが可能である。
【０２２１】
発信情報報知手段の一例を図２３及び図２４を参照して説明する。この例では、搭載車１Ｃの車体の前部や、後部に外部から観視可能なように取り付けられているナンバープレート１１Ｃの周囲を囲むように、発信情報報知手段の一例としてのリング状の発光部１２Ｃが設けられている。このリング状の発光部１２Ｃは、例えば、光を散乱させる材料からなるリング状チューブ内に多数の発光ダイオードを配列させた構成のものとすることができる。
【０２２２】
そして、この実施形態においては、図２４に示すようにして、リング状の発光部１２Ｃの発光態様を変更することで、外部に、自動運転モードを備えるか否かの情報を含む自車状況情報を発光により報知することができる。すなわち、搭載車１Ｃがマニュアル仕様車であれば、図２４（Ａ）に示すように、リング状の発光部１２Ｃを消灯状態とする。そして、搭載車１Ｃが自動運転モードを備えるが、自動運転モードでの運転中ではない場合には、図２４（Ｂ）に示すように、リング状の発光部１２Ｃを点灯状態とする。さらに、搭載車１Ｃが自動運転モードを備え、かつ、自動運転モードでの運転中である場合には、図２４（Ｃ）に示すように、リング状の発光部１２Ｃを点滅あるいはフラッシングさせるようにする。
【０２２３】
こうして、この第４の実施形態の車載装置２Ｃを搭載した搭載車１Ｃは、発信信号を無線送出するだけでなく、発信情報報知手段により、自動運転モードを備えるか否かの情報を含む自車状況情報を外部の者が視覚的に検知可能の状態で送出（報知）する。したがって、外部の者（他の搭載車１Ｃの乗車者、搭載車１Ｃではない他車の乗車者、歩行者など）は、目視で、搭載車１Ｃが自動運転モードを備えるか否か、また、現在自動運転モードで運転中か否かを検知することができ、交通安全の向上を期待できる。自動運転車は、カメラで発信情報報知手段による報知情報を検知することができることは前述した通りである。
【０２２４】
この第４の実施形態の車載装置２Ｃのハードウェア構成例を図２５に示す。この図２５の車載装置２Ｃにおいて、図２に示した第１の実施形態の車載装置２と同一部分には、同一の参照符号を付してその説明は省略する。
【０２２５】
図２５に示すように、この第４の実施形態の車載装置２Ｃにおいては、無線通信部２０２の代わりに、発信情報送出部２２１と、発信情報受信部２２２とを備える。また、発光部１２Ｃの発光を駆動制御する発光部駆動制御部２２３がシステムバス２００に接続される。
【０２２６】
さらに、この第４の実施形態の車載装置２Ｃにおいては、第１の実施形態の車載装置２と異なる構成（ソフトウェア処理が異なるものを含む）の制御部２０１Ｃと、受信情報処理部２１０Ｃと、表示情報生成部２１１Ｃとが、システムバス２００に接続される。その他は、第１の実施形態の車載装置２と同様の構成とされる。
【０２２７】
発信情報送出部２２１及び発信情報受信部２２２は、搭載車１Ｃの近傍の他の搭載車１Ｃの車載装置２Ｃとの通信が可能になるもので構成されている。例えばＷｉ−Ｆｉ（Wireless Fidelity）（登録商標）規格の無線通信など電波を用いたものに限らず、光通信、赤外線通信、超音波通信などであってもよい。
【０２２８】
そして、制御部２０１Ｃは、発信情報生成発信部２０８で生成された発信情報を、発信情報送出部２２１を通じて発信する。この場合の発信も、一定時間間隔あるいは所定の走行距離間隔でなされる。この発信情報送出部２２１からの発信情報の発信に加えて、制御部２０１Ｃは、搭載車情報記憶部２０３に記憶されている搭載車情報の自動運転モードを備えるか否かの情報を含む自車状況情報に基づいて、発光部駆動制御部２２３を通じて発光部１２Ｃの発光態様を制御することで、発信情報に含まれる自動運転モードを備えるか否か情報と同様の情報を外部に報知する。
【０２２９】
そして、制御部２０１Ｃは、他車の車載装置２Ｃからの発信情報を発信情報受信部２２２で受信すると、その受信情報を受信情報処理部２１０Ｃに蓄積してバッファリングする。そして、制御部２０１Ｃは、表示情報生成部２１１Ｃに対して、受信情報処理部２１０Ｃに蓄積されている受信情報から表示情報を生成するように制御指示する。この例の受信情報処理部２１０Ｃ及び表示情報生成部２１１Ｃは、前述した情報提供サーバ装置３の受信情報バッファ部３０４と受信情報解析処理部３０５と解析結果バッファ部３０６の機能を実行する構成を備えるものとなっている。したがって、車載装置１Ｃでは、車載装置２Ｃを搭載する搭載車１Ｃ同士の位置関係や、自動運転モードを備えるか否かの情報を検知することができるだけでなく、発信情報に含まれる撮影画像情報を用いて、車載装置２Ｃを搭載していない非搭載車についても、位置関係や、自動運転モードを備えるか否かの情報を検知することができるものである。
【０２３０】
そして、表示情報生成部２１１Ｃは、解析結果バッファ部３０６の機能部に格納されている解析結果から表示情報を生成して、その表示情報を表示部２１２の表示画面に表示する。この場合には、表示部２１２の表示画面には、例えば図２１に示したのと同様の表示画像が表示される。
【０２３１】
なお、搭載車１Ｃが自動運転車である場合には、解析結果バッファ部３０６の機能部に格納されている解析結果から自動運転操作情報が生成されるのは、前述の実施形態と同様である。
【０２３２】
［第４の実施形態の効果］
上述したように、第４の実施形態の車載装置あるいは自動車（自動運転車を含む）は、発信情報の内の少なくとも自動運転モードを備えるか否かの情報を含む自車状況情報を、発信情報報知手段により発信して報知する。したがって、他車や歩行者は、発信情報の受信装置を備えなくても、搭載車が自動運転モードを備えるか否かや、自動運転中かなどの情報を獲得することができて、交通安全上、非常に有益であり、交通安全の向上が期待できる。
【０２３３】
また、第４の実施形態の車載装置あるいは自動車においても、他車の車載装置や、他の自動車からの発信情報を受信して、搭載車や自車の周辺の他車の自動運転モードを備えるか否かを含む自車状況情報を把握することできるので、前述の実施形態と同様にして、交通安全の向上を期待できる。
【０２３４】
そして、この第４の実施形態においては、上述の情報提供システムのような情報提供サーバ装置を設ける必要がなく、単に、車載装置あるいは当該車載装置の機能を備える自動車があればよいので、インフラストラクチャーの整備が容易であり、コスト的にも有利である。
【０２３５】
［第４の実施形態の変形例］
なお、発信情報報知手段の例としての発光部１２Ｃは、上述した構成例に限られるものではなく、種々の構成が可能であることは言うまでもない。例えば、リング状のネオン管やライトバルブなどを用いた発光体の構成とすることもできる。また、リング状ではなく、外部に、自動運転モードを備えるか否かの情報を含む自車状況情報を発光により報知することができるものであれば、どのような形状及び構成を備えるものであってもよい。もちろん、発光部１２Ｃは、ナンバープレートの周囲に限らず、エンブレムの周囲であってもよいし、バンパーに設置してもよく、外部から観視可能な場所であればいずれの場所であってもよい。また、ヘッドライト、テールランプ、サイドウィンカーなどの周辺に設置してもよいし、当該ライト等自体を発光部１２として共用してもよい。もちろん、発光部１２Ｃの設置箇所は１箇所に限る必要はなく、複数箇所でもよい。
【０２３６】
そして、発光態様としては、図２４に示した例に限られるものではなく、他の発光態様により、無人の自動運転中などを報知するようにしてもよい。
【０２３７】
また、発信情報報知手段としては、発光部１２Ｃではなく、ＬＣＤなどを用いた表示画面を備える表示体に、「マニュアル仕様車」、「自動運転車」、「自動運転車（自動運転中）」、「自動運転車（無人）」などの文字を表示して報知するようにしてもよい。表示体は、複数のＬＥＤにより文字表示するものであってもよい。
【０２３８】
なお、発信情報報知手段としては、発光や表示に限定されるものではない。例えば、スピーカ（図示せず）を用いて、「マニュアル仕様車です」、「自動運転車です」、「手動運転中です」、「自動運転中です」、「無人運転中です」などの音声を放音して報知するようにしてもよい。また、音の高低や断続音のピッチで、手動運転と自動運転などを報知できるようにしてもよい。
【０２３９】
このような音声や音による発信情報報知手段により、自動運転モードを備えるか否かの情報を含む自車状況情報を外部の者が聴覚的に検知可能の状態で送出（報知）する。したがって、外部の者（他の搭載車１Ｃの乗車者、搭載車１Ｃではない他車の乗車者、歩行者など）は、耳で、搭載車１Ｃが自動運転モードを備えるか否か、また、現在自動運転モードで運転中か否かを検知することができ、交通安全の向上を期待できる。自動運転車は、発信情報報知手段による報知情報をマイクロフォン（図示せず）で収音し、音声を音声認識したり、音の周波数分析やピッチ検出をしたりして、当該報知情報を検知することができる。
【０２４０】
［その他の実施形態又は変形例］
なお、上述の実施形態の説明では、説明を容易にするために、提供情報の受信装置の機能としては、自動運転モードを備える自動車について、無人運転（無人運転中）かどうかは、表示することはしなかったが、発信情報には、その情報が含まれているので、無人運転（無人運転中）かどうかの情報も、併せて提供情報に含ませて、その旨を表示させたり、自動運転操作情報の生成のための参照情報とするようにしても、勿論よい。
【０２４１】
その他、発信情報に含まれる情報の内で交通安全の向上に寄与する情報を、提供情報に含ませて、あるいは反映させて提供することで、交通安全の向上のために、より有益な情報を受けることができるものである。例えば、ハザードランプの点灯の有無を発信情報に含ませるようにすれば、当該情報を搭載車や自動車の緊急事態を示す提供情報として提供することができる。
【０２４２】
なお、図３に示した発信情報の送信フォーマットは一例であり、これに限られるものではない。例えば、この発明の車載装置の搭載車やこの発明の自動車の緊急事態、異常事態や事故などのトラブル情報の有無やトラブル内容を当該送信フォーマットに含むようにしてもよい。この場合、当該搭載車や当該自動車の交通事故（カメラで衝突映像を撮影して検知、または、振動センサ、加速度センサ、ジャイロセンサ、マイクロフォンで衝撃や衝撃音により検知、または、図示しないがエアバックの作動で検知）、火災（カメラで火災映像を撮影して検知、または、図示しないが火災センサ、煙センサ、熱センサで火災や火災に伴う煙や高温を検知することで検知）、ガスの充満（図示しないがガスセンサでガスの発生を検知）、エンジンストップ（エンジンがかからないことを検知）、運転者や乗車者の急病など異常事態（カメラで運転者や乗車者の急変を撮影し検知、または図示しないがマイクロフォンで運転者や乗車者の異常音や音声で検知）などの検知により、トラブル情報が「無」から「有」に変更される。そして、検知したトラブル内容とともに送信フォーマットに含まれ、発信情報としてサーバ装置や他車、歩行者などに送信される。もちろん、交通事故の大きさなど、トラブルの大きさも送信フォーマットに含めるようにしてもよい。
【０２４３】
当該トラブル情報は、上述のハザードランプの場合と同様に、搭載車や自動車の緊急事態を示す提供情報として提供することができる。交通事故などの情報は、その事故現場や周辺の道路が通行止めや渋滞につながることが多いため、提供情報としては極めて有用である。
【０２４４】
なお、この発明は、トラック、バス、タクシー、パトカー、救急車、消防自動車などを含む自動車のみならず、モーターボートやフェリーなどの船舶、航空機やヘリコプターなどの飛行体などにも適用可能である。
【０２４５】
なお、自動運転モードには、いわゆるオートパイロットやオートクルーズ、プロパイロットのような部分自動運転ないし運転支援システムも含む。
【符号の説明】
【０２４６】
１…自動車（搭載車）、２…車載装置、３…情報提供サーバ装置、４…通信ネットワーク、６…スマートフォン、１Ａ…自動運転車、１０…自動運転車１Ａの電子制御回路、１１４…自車情報記憶部、２０３…搭載車情報記憶部、１１０，２０４…現在位置検出部、１０７，２０７…カメラ群、１１６，２０８…発信情報生成発信部、２０９…情報提供要求部、１１９，２１１…表示情報生成部、１１１，２１２…表示部、１２０，２０６…時計部、３０４…受信情報バッファ部、３０５…受信情報解析部、３０６…解析結果バッファ部、３０８…提供情報要求受付部、３０９…提供情報生成部
【図１】
2018020604.tif 000003
【図２】
2018020604.tif 000004
【図３】
2018020604.tif 000005
【図４】
2018020604.tif 000006
【図５】
2018020604.tif 000007
【図６】
2018020604.tif 000008
【図７】
2018020604.tif 000009
【図８】
2018020604.tif 000010
【図９】
2018020604.tif 000011
【図１０】
2018020604.tif 000012
【図１１】
2018020604.tif 000013
【図１２】
2018020604.tif 000014
【図１３】
2018020604.tif 000015
【図１４】
2018020604.tif 000016
【図１５】
2018020604.tif 000017
【図１６】
2018020604.tif 000018
【図１７】
2018020604.tif 000019
【図１８】
2018020604.tif 000020
【図１９】
2018020604.tif 000021
【図２０】
2018020604.tif 000022
【図２１】
2018020604.tif 000023
【図２２】
2018020604.tif 000024
【図２３】
2018020604.tif 000025
【図２４】
2018020604.tif 000026
【図２５】
2018020604.tif 000027
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
車載装置または自動車と、前記車載装置または前記自動車と無線接続されるサーバ装置とを備える情報提供システムであって、
前記車載装置または前記自動車は、
現在位置を検出する現在位置検出部と、
自装置を搭載する搭載車または自車の周囲の他車と、前記搭載車または前記自車との位置関係が検出可能な撮影画像情報を得るためのカメラと、
少なくとも、前記搭載車または前記自車が自動運転モードを備えるか否かの情報を含む搭載車状況情報または自車状況情報と、撮影画像情報から前記搭載車または前記自車を他車と区別して特定させるための情報とを含む搭載車情報または自車情報を記憶する記憶部と、
前記記憶部から読み出した前記搭載車情報または前記自車情報と、前記現在位置検出部で検出された現在位置の情報と、前記カメラで撮影された撮影画像情報とを含む発信情報を、前記搭載車または前記自車の外部の前記サーバ装置に送出する発信情報送出手段と、
を備え、
前記サーバ装置は、
１または複数の前記車載装置または前記自動車からの前記発信情報を収集し、前記発信情報を前記車載装置毎または前記自動車毎に蓄積してバッファリングする手段と、
前記バッファリングしている前記車載装置毎または前記自動車毎の前記発信情報に含まれる前記現在位置の情報と、前記カメラで撮影された前記撮影画像情報とに基づいて、所定の領域範囲に存在する１または複数の自動車の位置関係を算出する算出手段と、
前記算出手段で算出した１または複数の自動車の位置関係とを、前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する提供情報生成手段と、
前記提供情報生成手段で生成した前記提供情報を、情報提供要求をしてきた相手に送出する提供情報送出手段と、
を備えることを特徴とする情報提供システム。
【請求項２】
前記サーバ装置は、前記情報提供要求を受信したときに、前記算出手段、前記提供情報生成手段及び前記提供情報送出手段を動作させる
ことを特徴とする請求項１に記載の情報提供システム。
【請求項３】
前記サーバ装置は、前記情報提供要求を受信したときに、前記情報提供要求に含まれる位置情報を基準にして前記所定の領域範囲を定める
ことを特徴とする請求項１または請求項２に記載の情報提供システム。
【請求項４】
前記サーバ装置の前記算出手段は、前記サーバ装置と無線接続する機能を備えない自動車または前記車載装置の非搭載車と前記車載装置または前記自車との位置関係を、前記発信情報に含まれる前記現在位置の情報と、前記カメラで撮影された前記撮像画像情報とから算出する
ことを特徴とする請求項１〜請求項３のいずれかに記載の情報提供システム。
【請求項５】
前記サーバ装置の前記算出手段は、前記カメラで撮影された前記撮影画像情報から前記周辺の他車のナンバープレートのナンバーを認識することにより、前記周辺の他車を認識し、その認識結果を用いて、前記サーバ装置と無線接続する機能を備えない自動車または前記車載装置の非搭載車と前記車載装置または前記自車との位置関係を算出する
ことを特徴とする請求項４に記載の情報提供システム。
【請求項６】
前記サーバ装置は、前記サーバ装置と無線接続する機能を備えない自動車または前記車載装置の非搭載車と前記車載装置または前記自車との位置関係と、前記発信情報に含まれる前記現在位置の情報とから、前記サーバ装置と無線接続する機能を備えない自動車または前記車載装置の非搭載車の位置を推定する
ことを特徴とする請求項４または請求項５に記載の情報提供システム。
【請求項７】
前記サーバ装置は、前記カメラで撮影された前記撮影画像情報に含まれる前記他車の車体のデザインやエンブレムなどの特徴情報と、自動車会社のホームページの情報とから、前記サーバ装置と無線接続する機能を備えない自動車または前記車載装置の非搭載車が前記自動運転モードを備えるか否かを判別する手段を備え、
前記提供情報には、前記自動運転モードを備えるか否かが判明した前記サーバ装置と無線接続する機能を備えない自動車または前記車載装置の非搭載車については前記自動運転モードを備えるか否かを示す付加表示が含まれている
ことを特徴とする請求項４〜請求項６のいずれかに記載の情報提供システム。
【請求項８】
前記車載装置または前記自動車は、
前記情報提供要求を前記サーバ装置に対して送出する手段と、
前記情報提供要求に応じて前記サーバ装置から送られてくる前記提供情報を受信して、前記提供情報に基づく表示画像を表示する表示手段を備え、
前記表示画像には、自車載装置が搭載されている搭載車または自車の位置を示す表示を含む
ことを特徴とする請求項１〜請求項７のいずれかに記載の情報提供システム。
【請求項９】
前記サーバ装置と無線接続される提供情報受信装置を備え、
前記提供情報受信装置は、
自装置の現在位置の情報を含む前記情報提供要求を前記サーバ装置に対して送出する手段と、
前記情報提供要求に応じて前記サーバ装置から送信されてくる前記提供情報を受信して、前記提供情報に基づく表示画像を表示する表示手段と
を備え、
前記表示画像には、自端末の位置を示す表示を含む
ことを特徴とする請求項１〜請求項８のいずれかに記載の情報提供システム。
【請求項１０】
前記提供情報受信装置は、携帯端末である
ことを特徴とする請求項９に記載の情報提供システム。
【請求項１１】
前記提供情報受信装置は、前記車載装置または前記自動車及び前記サーバ装置と無線接続される携帯端末であって、
前記情報提供要求には、前記車載装置または前記自動車と、前記携帯端末のいずれであるかを示す識別情報を含み、
前記サーバ装置は、前記情報提供要求に含まれる前記識別情報により、前記情報提供要求してきたのは、前記前記車載装置または前記自動車か、あるいは、前記携帯端末かを判別し、その判別結果に基づいて、前記提供情報受信装置の現在位置の情報を基準にした所定の領域範囲を、前記車載装置または前記自動車と、前記携帯端末とで異なるものとする
ことを特徴とする請求項９または請求項１０に記載の情報提供システム。
【請求項１２】
前記発信情報送出手段は、所定の時間間隔で前記発信情報を繰り返し送出する
ことを特徴とする請求項１〜請求項１１のいずれかに記載の情報提供システム。
【請求項１３】
前記発信情報送出手段は、現在位置が、前回の前記発信情報の送出時点における位置から所定距離離れるごとに、前記発信情報を繰り返し送出する
ことを特徴とする請求項１〜請求項１２のいずれかに記載の情報提供システム。
【請求項１４】
予め定められた所定の位置に設置されているサーバ装置と、前記サーバ装置と無線接続される車載装置または自動車とからなり、
前記車載装置または前記自動車は、
現在位置を検出する現在位置検出部と、
自装置を搭載する搭載車または自車の周囲の他車と、前記搭載車または前記自車との位置関係が検出可能な撮影画像情報を得るためのカメラと、
少なくとも、前記搭載車または前記自車が自動運転モードを備えるか否かの情報を含む搭載車状況情報または自車状況情報と、撮影画像情報から前記搭載車または前記自車を他車と区別して特定させるための情報とを含む搭載車情報または自車情報を記憶する記憶部と、
前記サーバ装置との通信が可能な領域に入ったか否かを判断する通信可否判断手段と、
前記通信可否判断手段で、前記サーバ装置との通信が可能な領域に入ったと判別したときに、前記サーバ装置との無線通信を開始する手段と、
前記記憶部から読み出した前記搭載車情報または前記自車情報と、前記現在位置検出部で検出された現在位置の情報と、前記カメラで撮影された前記撮影画像情報とを含む発信情報を生成する発信情報生成手段と、
前記発信情報生成手段で生成された前記発信情報を、前記サーバ装置に送出する発信情報送出手段と、
を備え、
前記サーバ装置は、
前記車載装置または前記自動車からの前記発信情報を収集し、前記発信情報を前記車載装置毎または前記自動車毎に蓄積してバッファリングする手段と、
前記バッファリングしている前記車載装置毎または前記自動車毎の前記発信情報に含まれる前記現在位置の情報と、前記カメラで撮影された前記撮影画像情報とに基づいて、前記サーバ装置が設置されている位置の周辺の所定の領域範囲に存在する１または複数の自動車の位置関係を算出する手段と、
前記算出した１または複数の自動車の位置関係を前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する手段と、
前記生成した提供情報を、無線通信可能となっている相手に送出する手段と、
を備えることを特徴とする情報提供システム。
【請求項１５】
前記サーバ装置は、前記サーバ装置と無線接続する機能を備えない自動車または前記車載装置の非搭載車と前記車載装置または前記自車との位置関係を、前記発信情報に含まれる前記現在位置の情報と、前記カメラで撮影された前記撮像画像情報とから算出する
ことを特徴とする請求項１４に記載の情報提供システム。
【請求項１６】
前記サーバ装置は、前記カメラで撮影された前記撮影画像情報から前記周辺の他車のナンバープレートのナンバーを認識することにより、前記周辺の他車を認識し、その認識結果を用いて、前記サーバ装置と無線接続する機能を備えない自動車または前記車載装置の非搭載車と前記車載装置または前記自車との位置関係を算出する
ことを特徴とする請求項１５に記載の情報提供システム。
【請求項１７】
前記サーバ装置は、前記サーバ装置と無線接続する機能を備えない自動車または前記車載装置の非搭載車と前記車載装置または前記自車との位置関係と、前記発信情報に含まれる前記現在位置の情報とから、前記前記サーバ装置と無線接続する機能を備えない自動車または前記車載装置の非搭載車の位置を推定する
ことを特徴とする請求項１５または請求項１６に記載の情報提供システム。
【請求項１８】
前記サーバ装置は、前記カメラで撮影された前記撮影画像情報に含まれる前記他車の車体のデザインやエンブレムなどの特徴情報と、自動車会社のホームページの情報とから、前記サーバ装置と無線接続する機能を備えない自動車または前記車載装置の非搭載車が前記自動運転モードを備えるか否かを判別する手段を備え、
前記提供情報には、前記自動運転モードを備えるか否かが判明した前記サーバ装置と無線接続する機能を備えない自動車または前記車載装置の非搭載車については前記記自動運転モードを備えるか否かを示す付加表示が含まれている
ことを特徴とする請求項１４〜請求項１７のいずれかに記載の情報提供システム。
【請求項１９】
前記車載装置または前記自動車は、前記サーバ装置から送信されてくる前記提供情報を受信して、前記提供情報に基づく表示画像を表示する表示手段を備え、
前記表示画像には、前記自動運転モードを備えるか否かを示す付加表示が、前記所定の領域に存在する自動車について反映されていると共に、自車載装置が搭載されている搭載車または自車の位置を示す表示を含む
ことを特徴とする請求項１４〜請求項１８のいずれかに記載の情報提供システム。
【請求項２０】
前記所定の位置に設置されたサーバ装置との通信が可能な領域に入ったか否かを判断する通信可否判断手段と、
前記通信可否判断手段により前記通信が可能な領域に入ったと判断したときに、前記サーバ装置との無線通信を開始し、前記サーバ装置から送信されてくる前記提供情報を受信して、前記自動運転モードを備えるか否かを示す付加表示が、前記所定の領域に存在する自動車について反映されていると共に、自装置の位置を示す表示を含む表示画像を表示する表示手段と
を備える提供情報受信装置が設けられることを特徴とする請求項１４〜請求項１９のいずれかに記載の情報提供システム。
【請求項２１】
前記提供情報受信装置は、携帯端末である
ことを特徴とする請求項２０に記載の情報提供システム。
【請求項２２】
前記発信情報には、前記自装置を搭載する搭載車または前記自車の走行速度及び／または移動方向を検出する検出部で検出された前記走行速度及び／または移動方向を含み、
前記サーバ装置は、前記発信情報に含まれる前記走行速度及び／または移動方向を考慮して、前記情報取得要求の受信時点において前記情報提供要求に含まれる前記提供情報受信装置の現在位置の情報を基準にした所定の領域範囲に存在する１または複数の自動車の位置を算出する
ことを特徴とする請求項１〜請求項２１のいずれかに記載の情報提供システム。
【請求項２３】
前記発信情報には、前記自装置を搭載する搭載車または前記自車が備える時計部が提供する現在時刻の時間情報を含み、
前記サーバ装置は、前記発信情報に含まれる前記走行速度及び／または移動方向に加えて、前記現在時刻の時間情報をも考慮して、前記情報取得要求の受信時点において前記情報提供要求に含まれる前記提供情報受信装置の現在位置の情報を基準にした所定の領域範囲に存在する１または複数の自動車の位置を算出する
ことを特徴とする請求項２２に記載の情報提供システム。
【請求項２４】
前記発信情報には、前記搭載車または前記自車が無人運転中であるか否かの情報を含み、
前記サーバ装置は、前記搭載車または前記自車が無人運転中であるか否かの情報から、無人運転中であると判別したときには、前記自動運転モードを備えるか否かを示す付加表示として、無人運転中であることを示す表示をするようにする
ことを特徴とする請求項１〜請求項２３のいずれかに記載の情報提供システム。
【請求項２５】
前記発信情報は、暗号化及び／または改竄防止処理が施されている
ことを特徴とする請求項１〜請求項２４のいずれかに記載の情報提供システム。
【請求項２６】
前記発信情報には、エラー訂正符号及び／またはエラー検出符号が付加されている
ことを特徴とする請求項１〜請求項２５のいずれかに記載の情報提供システム。
【請求項２７】
自動運転モードを備えるか否かの情報を含む搭載車状況情報または自車状況情報には、自動運転モードを備える場合の自動運転モードの詳細情報も含まれる
ことを特徴とする請求項１〜請求項２６のいずれかに記載の情報提供システム。
【請求項２８】
前記自動運転モードの詳細情報には、手動運転モードを備えずに自動運転モードのみを備える完全自動運転車である旨の情報を含む
ことを特徴とする請求項２７に記載の情報提供システム。
【請求項２９】
前記自動運転モードの詳細情報には、手動運転モードに切り替えることができない強制自動運転モードである旨の情報を含む
ことを特徴とする請求項２８に記載の情報提供システム。
【請求項３０】
車載装置と、前記車載装置または前記自動車と無線接続されるサーバ装置とを備え、前記サーバ装置が、
１または複数の前記車載装置または前記自動車からの発信情報を収集し、前記発信情報を前記車載装置毎または前記自動車毎に蓄積してバッファリングする手段と、
前記バッファリングしている前記車載装置毎または前記自動車毎の前記発信情報に含まれる前記現在位置の情報と、前記カメラで撮影された前記撮影画像情報とに基づいて、所定の領域範囲に存在する１または複数の自動車の位置関係を算出する算出手段と、
前記算出手段で算出した１または複数の自動車の位置関係とを、前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する提供情報生成手段と、
前記提供情報生成手段で生成した前記提供情報を、情報提供要求をしてきた相手に送出する提供情報送出手段と、を備える情報提供システムにおける前記車載装置であって、
現在位置を検出する現在位置検出部と、
自装置を搭載する搭載車の周囲の他車と、前記搭載車との位置関係が検出可能な前記撮影画像情報を得るためのカメラと、
少なくとも、前記搭載車が自動運転モードを備えるか否かの情報を含む搭載車状況情報と、前記カメラで撮影された撮影画像情報から前記搭載車を他車と区別して特定させるための情報とを含む搭載車情報を記憶する記憶部と、
前記記憶部から読み出した前記搭載車情報と、前記現在位置検出部で検出された現在位置の情報と、前記カメラで撮影された前記撮影画像情報とを含む発信情報を、前記搭載車の外部の前記サーバ装置に送出する発信情報送出手段と、
を備えることを特徴とする車載装置。
【請求項３１】
車載装置または自動車と、前記車載装置または前記自動車と無線接続されるサーバ装置とを備え、前記サーバ装置が、
１または複数の前記車載装置または前記自動車からの発信情報を収集し、前記発信情報を前記車載装置毎または前記自動車毎に蓄積してバッファリングする手段と、
前記バッファリングしている前記車載装置毎または前記自動車毎の前記発信情報に含まれる前記現在位置の情報と、前記カメラで撮影された前記撮影画像情報とに基づいて、所定の領域範囲に存在する１または複数の自動車の位置関係を算出する算出手段と、
前記算出手段で算出した１または複数の自動車の位置関係とを、前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する提供情報生成手段と、
前記提供情報生成手段で生成した前記提供情報を、情報提供要求をしてきた相手に送出する提供情報送出手段と、を備える情報提供システムにおける前記車載装置であって、少なくとも、前記搭載車が自動運転モードを備えるか否かの情報を含む搭載車状況情報と、撮影画像情報から前記搭載車を他車と区別して特定させるための情報とを含む搭載車情報を記憶する記憶部と、カメラとを備える前記車載装置が備えるコンピュータを、
現在位置を検出する現在位置検出部、
前記カメラにより自装置を搭載する搭載車の周囲の他車と、前記搭載車との位置関係が検出可能な撮影画像情報を得る手段、
前記記憶部から読み出した前記搭載車情報と、前記現在位置検出部で検出された現在位置の情報と、前記カメラで撮影された前記撮影画像情報とを含む発信情報を、前記搭載車の外部の前記サーバ装置に送出する発信情報送出手段、
として機能させるための車載装置用プログラム。
【請求項３２】
車載装置または自動車と、前記車載装置または前記自動車と無線接続されるサーバ装置とを備え、前記サーバ装置が、
１または複数の前記車載装置または前記自動車からの発信情報を収集し、前記発信情報を前記車載装置毎または前記自動車毎に蓄積してバッファリングする手段と、
前記バッファリングしている前記車載装置毎または前記自動車毎の前記発信情報に含まれる前記現在位置の情報と、前記カメラで撮影された前記撮影画像情報とに基づいて、所定の領域範囲に存在する１または複数の自動車の位置関係を算出する算出手段と、
前記算出手段で算出した１または複数の自動車の位置関係とを、前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する提供情報生成手段と、
前記提供情報生成手段で生成した前記提供情報を、情報提供要求をしてきた相手に送出する提供情報送出手段と、を備える情報提供システムにおける前記自動車であって、
現在位置を検出する現在位置検出部と、
自車の周囲の他車と、前記自車との位置関係が検出可能な撮影画像情報を得るためのカメラと、
少なくとも、前記自車が自動運転モードを備えるか否かの情報を含む自車状況情報と、撮影画像情報から前記自車を他車と区別して特定させるための情報とを含む自車情報を記憶する記憶部と、
前記記憶部から読み出した前記自車情報と、前記現在位置検出部で検出された現在位置の情報と、前記カメラで撮影された前記撮影画像情報とを含む発信情報を、前記自車の外部の前記サーバ装置に送出する発信情報送出手段と、
を備えることを特徴とする自動車。
【請求項３３】
車載装置または自動車と、前記車載装置または前記自動車と無線接続されるサーバ装置とを備え、前記サーバ装置が、
１または複数の前記車載装置または前記自動車からの発信情報を収集し、前記発信情報を前記車載装置毎または前記自動車毎に蓄積してバッファリングする手段と、
前記バッファリングしている前記車載装置毎または前記自動車毎の前記発信情報に含まれる前記現在位置の情報と、前記カメラで撮影された前記撮影画像情報とに基づいて、所定の領域範囲に存在する１または複数の自動車の位置関係を算出する算出手段と、
前記算出手段で算出した１または複数の自動車の位置関係とを、前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する提供情報生成手段と、
前記提供情報生成手段で生成した前記提供情報を、情報提供要求をしてきた相手に送出する提供情報送出手段と、を備える情報提供システムにおける前記自動車であって、少なくとも、自車が自動運転モードを備えるか否かの情報を含む自車状況情報と、撮影画像情報から自車を他車と区別して特定させるための情報とを含む自車情報を記憶する記憶部と、カメラとを備える前記自動車が備えるコンピュータを、
現在位置を検出する現在位置検出部と、
前記カメラにより自車の周囲の他車と、前記自車との位置関係が検出可能な撮影画像情報を得る手段、
前記記憶部から読み出した前記自車情報と、前記現在位置検出部で検出された現在位置の情報と、前記カメラで撮影された前記撮影画像情報とを含む発信情報を、前記自車の外部の前記サーバ装置に送出する発信情報送出手段、
として機能させるための自動車用プログラム。
【請求項３４】
予め定められた所定の位置に設置されているサーバ装置と、前記サーバ装置と無線接続される車載装置または自動車とからなり、前記サーバ装置が、
前記車載装置または前記自動車からの発信情報を収集し、前記発信情報を前記車載装置毎または前記自動車毎に蓄積してバッファリングする手段と、
前記バッファリングしている前記車載装置毎または前記自動車毎の前記発信情報に含まれる現在位置の情報と撮影画像情報とに基づいて、前記サーバ装置が設置されている位置の周辺の所定の領域範囲に存在する１または複数の自動車の位置関係を算出する手段と、
前記算出した１または複数の自動車の位置関係を前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する手段と、
前記生成した提供情報を、無線通信可能となっている相手に送出する手段と、
を備える情報提供システムにおける前記車載装置であって、
現在位置を検出する現在位置検出部と、
自装置を搭載する搭載車の周囲の他車と、前記搭載車との位置関係が検出可能な撮影画像情報を得るためのカメラと、
少なくとも、前記搭載車が自動運転モードを備えるか否かの情報を含む搭載車状況情報と、撮影画像情報から前記搭載車を他車と区別して特定させるための情報とを含む搭載車情報を記憶する記憶部と、
前記サーバ装置との通信が可能な領域に入ったか否かを判断する通信可否判断手段と、
前記通信可否判断手段で、前記サーバ装置との通信が可能な領域に入ったと判別したときに、前記サーバ装置との無線通信を開始する手段と、
前記記憶部から読み出した前記搭載車情報または前記自車情報と、前記現在位置検出部で検出された現在位置の情報と、前記カメラで撮影された前記撮影画像情報とを含む発信情報を生成する発信情報生成手段と、
前記発信情報生成手段で生成された前記発信情報を、前記サーバ装置に送出する発信情報送出手段と、
を備えることを特徴とする車載装置。
【請求項３５】
予め定められた所定の位置に設置されているサーバ装置と、前記サーバ装置と無線接続される車載装置または自動車とからなり、前記サーバ装置が、
前記車載装置または前記自動車からの発信情報を収集し、前記発信情報を前記車載装置毎または前記自動車毎に蓄積してバッファリングする手段と、
前記バッファリングしている前記車載装置毎または前記自動車毎の前記発信情報に含まれる現在位置の情報と撮影画像情報とに基づいて、前記サーバ装置が設置されている位置の周辺の所定の領域範囲に存在する１または複数の自動車の位置関係を算出する手段と、
前記算出した１または複数の自動車の位置関係を前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する手段と、
前記生成した提供情報を、無線通信可能となっている相手に送出する手段と、
を備える情報提供システムにおける前記車載装置であって、少なくとも、前記搭載車が自動運転モードを備えるか否かの情報を含む搭載車状況情報と、撮影画像情報から前記搭載車を他車と区別して特定させるための情報とを含む搭載車情報を記憶する記憶部と、カメラとを備える前記車載装置が備えるコンピュータに、
現在位置を検出する現在位置検出部、
前記カメラにより自装置を搭載する搭載車の周囲の他車と、前記搭載車との位置関係が検出可能な撮影画像情報を得る手段、
前記サーバ装置との通信が可能な領域に入ったか否かを判断する通信可否判断手段、
前記通信可否判断手段で、前記サーバ装置との通信が可能な領域に入ったと判別したときに、前記サーバ装置との無線通信を開始する手段、
前記記憶部から読み出した前記搭載車情報または前記自車情報と、前記現在位置検出部で検出された現在位置の情報と、前記カメラで撮影された前記撮影画像情報とを含む発信情報を生成する発信情報生成手段、
前記発信情報生成手段で生成された前記発信情報を、前記サーバ装置に送出する発信情報送出手段、
としての機能を実行させるための車載装置用プログラム。
【請求項３６】
予め定められた所定の位置に設置されているサーバ装置と、前記サーバ装置と無線接続される車載装置または自動車とからなり、前記サーバ装置が、
前記車載装置または前記自動車からの発信情報を収集し、前記発信情報を前記車載装置毎または前記自動車毎に蓄積してバッファリングする手段と、
前記バッファリングしている前記車載装置毎または前記自動車毎の前記発信情報に含まれる現在位置の情報と撮影画像情報とに基づいて、前記サーバ装置が設置されている位置の周辺の所定の領域範囲に存在する１または複数の自動車の位置関係を算出する手段と、
前記算出した１または複数の自動車の位置関係を前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する手段と、
前記生成した提供情報を、無線通信可能となっている相手に送出する手段と、
を備える情報提供システムにおけるにおける前記自動車であって、
現在位置を検出する現在位置検出部と、
自車の周囲の他車と、自車との位置関係が検出可能な前記撮影画像情報を得るためのカメラと、
少なくとも、自車が自動運転モードを備えるか否かの情報を含む自車状況情報と、撮影画像情報から自車を他車と区別して特定させるための情報とを含む搭載車情報または自車情報を記憶する記憶部と、
前記サーバ装置との通信が可能な領域に入ったか否かを判断する通信可否判断手段と、
前記通信可否判断手段で、前記サーバ装置との通信が可能な領域に入ったと判別したときに、前記サーバ装置との無線通信を開始する手段と、
前記記憶部から読み出した前記自車情報と、前記現在位置検出部で検出された現在位置の情報と、前記カメラで撮影された前記撮影画像情報とを含む発信情報を生成する発信情報生成手段と、
前記発信情報生成手段で生成された前記発信情報を、前記サーバ装置に送出する発信情報送出手段と、
を備えることを特徴とする自動車。
【請求項３７】
予め定められた所定の位置に設置されているサーバ装置と、前記サーバ装置と無線接続される車載装置または自動車とからなり、前記サーバ装置が、
前記車載装置または前記自動車からの発信情報を収集し、前記発信情報を前記車載装置毎または前記自動車毎に蓄積してバッファリングする手段と、
前記バッファリングしている前記車載装置毎または前記自動車毎の前記発信情報に含まれる現在位置の情報と撮影画像情報とに基づいて、前記サーバ装置が設置されている位置の周辺の所定の領域範囲に存在する１または複数の自動車の位置関係を算出する手段と、
前記算出した１または複数の自動車の位置関係を前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する手段と、
前記生成した提供情報を、無線通信可能となっている相手に送出する手段と、
を備える情報提供システムにおけるにおける前記自動車であって、少なくとも、自車が自動運転モードを備えるか否かの情報を含む自車状況情報と、前記撮影画像情報から自車を他車と区別して特定させるための情報とを含む搭載車情報または自車情報を記憶する記憶部を備える前記自動車が備えるコンピュータに、
現在位置を検出する現在位置検出部、
カメラにより自車の周囲の他車と、自車との位置関係が検出可能な前記撮影画像情報を得る手段、
前記サーバ装置との通信が可能な領域に入ったか否かを判断する通信可否判断手段、
前記通信可否判断手段で、前記サーバ装置との通信が可能な領域に入ったと判別したときに、前記サーバ装置との無線通信を開始する手段、
前記記憶部から読み出した前記自車情報と、前記現在位置検出部で検出された現在位置の情報と、前記カメラで撮影された前記撮影画像情報とを含む発信情報を生成する発信情報生成手段、
前記発信情報生成手段で生成された前記発信情報を、前記サーバ装置に送出する発信情報送出手段、
として機能させるための自動車用プログラム。
【手続補正２】
【補正対象書類名】明細書
【補正対象項目名】００１０
【補正方法】変更
【補正の内容】
【００１０】
上記の課題を解決するために、請求項１の発明は、
車載装置または自動車と、前記車載装置または前記自動車と無線接続されるサーバ装置とを備える情報提供システムであって、
前記車載装置または前記自動車は、
現在位置を検出する現在位置検出部と、
自装置を搭載する搭載車または自車の周囲の他車と、前記搭載車または前記自車との位置関係が検出可能な撮影画像情報を得るためのカメラと、
少なくとも、前記搭載車または前記自車が自動運転モードを備えるか否かの情報を含む搭載車状況情報または自車状況情報と、撮影画像情報から前記搭載車または前記自車を他車と区別して特定させるための情報とを含む搭載車情報または自車情報を記憶する記憶部と、
前記記憶部から読み出した前記搭載車情報または前記自車情報と、前記現在位置検出部で検出された現在位置の情報と、前記カメラで撮影された撮影画像情報とを含む発信情報を、前記搭載車または前記自車の外部の前記サーバ装置に送出する発信情報送出手段と、
を備え、
前記サーバ装置は、
１または複数の前記車載装置または前記自動車からの前記発信情報を収集し、前記発信情報を前記車載装置毎または前記自動車毎に蓄積してバッファリングする手段と、
前記バッファリングしている前記車載装置毎または前記自動車毎の前記発信情報に含まれる前記現在位置の情報と、前記カメラで撮影された前記撮影画像情報とに基づいて、所定の領域範囲に存在する１または複数の自動車の位置関係を算出する算出手段と、
前記算出手段で算出した１または複数の自動車の位置関係とを、前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する提供情報生成手段と、
前記提供情報生成手段で生成した前記提供情報を、情報提供要求をしてきた相手に送出する提供情報送出手段と、
を備えることを特徴とする情報提供システムを提供する。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
上記の構成の請求項１の発明の情報提供システムにおいては、車載装置または自動車は、少なくとも、自装置を搭載する搭載車または自車が自動運転モードを備えるか否かの情報を含む搭載車状況情報または自車状況情報と、撮影画像情報から前記搭載車または自車を他車と区別して特定させるための情報とを含む搭載車情報または自車情報と、現在位置の情報と、周囲の他車と搭載車または自車との位置関係が検出可能な、カメラで撮影された撮像画像情報とを含む発信情報を送出し、サーバ装置は、当該発信情報を収集してバッファリングする。
【手続補正７】
【補正対象書類名】明細書
【補正対象項目名】００１５
【補正方法】変更
【補正の内容】
【００１５】
そして、サーバ装置は、情報取得要求を受信したときに、バッファリングしている車載装置毎または自動車毎の発信情報に含まれる現在位置の情報と、カメラで撮影された撮影画像情報とに基づいて、所定の領域範囲に存在する１または複数の自動車の位置関係を算出する。そして、算出した１または複数の自動車の位置関係と情報取得要求側の位置とを、所定の領域範囲の地図上において表示すると共に、少なくとも、バッファリングされている発信情報から自動運転モードを備えるか否かの情報が既知となる自動車については、自動運転モードを備えるか否かを示す付加表示がなされた表示情報からなる提供情報を生成する。そして、生成した提供情報を、情報取得要求をしてきた相手に送出する。
【手続補正８】
【補正対象書類名】明細書
【補正対象項目名】００１６
【補正方法】変更
【補正の内容】
【００１６】
したがって、情報取得要求を発信する機能と、提供情報を受信して少なくとも自動運転モードを備えるか否かの情報を含む自車状況情報を認識することができる提供情報受信装置の所持者（無人運転の自動運転モードを備える自動運転車を含む）は、自己の現在位置の周辺に存在する車が自動運転モードを備える自動車か否かを判断することができるので、自身の行動や振る舞いを、周辺の自動車が自動運転車かマニュアル仕様車かに応じて適切に決定することができて、交通安全の向上を図ることが期待できる。
【手続補正９】
【補正対象書類名】明細書
【補正対象項目名】００１７
【補正方法】変更
【補正の内容】
【００１７】
また、さらに、請求項１４の発明は、
予め定められた所定の位置に設置されているサーバ装置と、前記サーバ装置と無線接続される車載装置または自動車とからなり、
前記車載装置または前記自動車は、
現在位置を検出する現在位置検出部と、
自装置を搭載する搭載車または自車の周囲の他車と、前記搭載車または前記自車との位置関係が検出可能な撮影画像情報を得るためのカメラと、
少なくとも、前記搭載車または前記自車が自動運転モードを備えるか否かの情報を含む搭載車状況情報または自車状況情報と、撮影画像情報から前記搭載車または前記自車を他車と区別して特定させるための情報とを含む搭載車情報または自車情報を記憶する記憶部と、
前記サーバ装置との通信が可能な領域に入ったか否かを判断する通信可否判断手段と、
前記通信可否判断手段で、前記サーバ装置との通信が可能な領域に入ったと判別したときに、前記サーバ装置との無線通信を開始する手段と、
前記記憶部から読み出した前記搭載車情報または前記自車情報と、前記現在位置検出部で検出された現在位置の情報と、前記カメラで撮影された前記撮影画像情報とを含む発信情報を生成する発信情報生成手段と、
前記発信情報生成手段で生成された前記発信情報を、前記サーバ装置に送出する発信情報送出手段と、
を備え、
前記サーバ装置は、前記車載装置または前記自動車からの前記発信情報を収集し、前記発信情報を前記車載装置毎または前記自動車毎に蓄積してバッファリングする手段と、
前記バッファリングしている前記車載装置毎または前記自動車毎の前記発信情報に含まれる前記現在位置の情報と、前記カメラで撮影された前記撮影画像情報とに基づいて、前記サーバ装置が設置されている位置の周辺の所定の領域範囲に存在する１または複数の自動車の位置関係を算出する手段と、
前記算出した１または複数の自動車の位置関係を前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する手段と、
前記生成した提供情報を、無線通信可能となっている相手に送出する手段と、
を備えることを特徴とする情報提供システムを提供する。
【手続補正１０】
【補正対象書類名】明細書
【補正対象項目名】００１８
【補正方法】変更
【補正の内容】
【００１８】
上記の構成の請求項１４の発明の情報提供システムにおいては、所定の位置、例えば交差点など自動車が走行する道路の近傍の位置にサーバ装置が設置されている。そして、車載装置または自動車は、所定の位置に設置されたサーバ装置との通信が可能な領域に入ったか否かを判断し、サーバ装置との通信が可能な領域に入ったと判別したときには、自装置を搭載する搭載車または自車が自動運転モードを備えるか否かの情報を含む搭載車状況情報または自車状況情報と、搭載車または自車を他車と区別して特定させるための情報とを含む搭載車情報または自車情報を含む発信情報を、サーバ装置に送信する。
【手続補正１１】
【補正対象書類名】明細書
【補正対象項目名】００１９
【補正方法】変更
【補正の内容】
【００１９】
サーバ装置は、自装置と通信が可能な領域に入った車載装置または自動車のそれぞれからの発信情報を収集して、バッファリングする。そして、サーバ装置は、バッファリングしている車載装置毎または自動車毎の発信情報に含まれる現在位置の情報と、カメラで撮影された撮影画像情報とに基づいて、サーバ装置が設置されている位置の周辺の所定の領域範囲に存在する１または複数の自動車の位置関係を算出する。そして、算出した１または複数の自動車の位置関係を前記所定の領域範囲の地図上において表示すると共に、少なくとも、前記バッファリングされている前記発信情報から前記自動運転モードを備えるか否かの情報が既知となる自動車については、前記自動運転モードを備えるか否かを示す付加表示がなされた表示情報からなる提供情報を生成する。そして、生成した提供情報を、情報提供要求をしてきた相手に送出する。
【手続補正１２】
【補正対象書類名】明細書
【補正対象項目名】００２０
【補正方法】変更
【補正の内容】
【００２０】
したがって、サーバ装置と通信が可能な領域に存在する提供情報受信装置においては、このサーバ装置からの提供情報を受信することができるので、当該受信装置を所持する歩行者や、当該受信装置を搭載する自動車の乗車者は、周辺に存在する他車と、自己の位置との位置関係を把握することができると共に、それらの周辺の自動車について、少なくとも自動運転モードを備えるか否かを認識することができるようになる。また、当該受信装置を搭載する自動車が無人運転が可能な自動運転モードを備える自動運転車であれば、周辺に存在する他車に関して、少なくとも自動運転モードを備えるか否かを認識し、その認識結果に応じた自動運転を行うように制御することができる。
【手続補正１３】
【補正対象書類名】明細書
【補正対象項目名】００２１
【補正方法】変更
【補正の内容】
【００２１】
（０１２８段落）
この発明による情報提供システムによれば、サーバ装置は、車載装置や自動車から収集した発信情報に含まれる位置情報に基づいて管理しているので、情報提供要求した者に対する提供情報として、当該情報提供要求した者の位置の周辺に存在する車載装置を搭載する搭載車や自動車の位置情報と、それぞれの搭載車や自動車が自動運転モードを備える自動車であるか否かを通知することができる。したがって、情報提供要求した者は、自分の周辺の自動車が、マニュアル仕様車か、自動運転モードを備える自動車かに応じた行動をすることが可能になり、交通安全の向上を期待することができる。
【手続補正１４】
【補正対象書類名】明細書
【補正対象項目名】００２２
【補正方法】変更
【補正の内容】
【００２２】
（０１２９段落）
そして、この発明による情報提供システムによれば、サーバ装置は、車載装置の搭載車や自動車からの発信情報に含まれる撮影画像情報から、搭載車や自動車の周囲の自動車を特定することが可能となり、車載装置を搭載していない自動車や車載装置の機能を搭載していない自動車の存在位置も推定することができる。更に、車載装置を搭載していない自動車や車載装置の機能を搭載していない自動車についても、撮影画像情報から、自動運転モードを備える自動車であるかどうかを判定することができる場合もある。これにより、情報提供要求した者の周辺の自動車に関する情報量が多くなるので、より交通安全の向上が期待することができる。
【手続補正１５】
【補正対象書類名】明細書
【補正対象項目名】０１２８
【補正方法】変更
【補正の内容】
【０１２８】
また、上述した実施形態の車載装置２と、情報提供サーバ装置３とからなる情報提供システムによれば、情報提供サーバ装置３は、車載装置２からの発信情報を収集して、その発信情報に含まれる位置情報に基づいて管理し、情報提供要求した者に対する提供情報として、その位置の周辺に存在する搭載車の位置情報と、それぞれの搭載車が自動運転モードを備える自動車であるか否かを通知することができる。したがって、情報提供要求した者は、自分の周辺の自動車が、マニュアル仕様車か、自動運転モードを備える自動車かに応じた行動をすることが可能になり、交通安全の向上を期待することができる。
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
車載装置または自動車と、前記車載装置または前記自動車と無線接続されるサーバ装置とを備える情報提供システムであって、
前記車載装置または前記自動車は、
自装置または自車の現在位置を検出する現在位置検出部と、
前記自装置を搭載する搭載車または前記自車の周囲の他車と、前記搭載車または前記自車との位置関係が検出可能な撮影画像情報を得るためのカメラと、
少なくとも、前記搭載車または前記自車が自動運転モードを備えるか否かの情報を含む搭載車状況情報または自車状況情報と、撮影画像情報から前記搭載車または前記自車を他車と区別して特定させるための情報とを含む搭載車情報または自車情報を記憶する記憶部と、
前記記憶部から読み出した前記搭載車情報または前記自車情報と、前記現在位置検出部で検出された前記自装置または前記自車の現在位置の情報と、前記カメラで撮影された前記撮影画像情報とを含む発信情報を、前記搭載車または前記自車の外部の前記サーバ装置に送出する発信情報送出手段と、
を備え、
前記サーバ装置は、
１または複数の前記車載装置または前記自動車からの前記発信情報を収集し、前記発信情報を前記車載装置毎または前記自動車毎に蓄積してバッファリングする手段と、
要求者の現在位置の情報を含む情報提供要求を受信したときに、前記バッファリングしている前記車載装置毎または前記自動車毎の前記発信情報に含まれる前記自装置または前記自車の現在位置の情報と、前記カメラで撮影された前記撮影画像情報とに基づいて、前記受信した前記情報提供要求に含まれる前記要求者の現在位置を基準として定められる所定の領域範囲に存在する１または複数の自動車のそれぞれの位置を算出すると共に、前記１または複数の自動車のそれぞれについて、少なくとも、前記バッファリングしている前記車載装置毎または前記自動車毎の前記発信情報に含まれる前記搭載車状況情報または前記自車状況情報に基づいて、前記自動運転モードを備えるか否かを判断する算出判断手段と、
前記所定の領域範囲の地図上に、前記算出判断手段で算出した１または複数の自動車のそれぞれの位置を表示すると共に、前記１または複数の自動車のうち、前記自動運転モードを備えるか否かの情報が判断された自動車の前記位置の近傍には、前記自動運転モードを備えるか否かを示す付加表示がなされた表示情報からなる提供情報を生成する提供情報生成手段と、
前記提供情報生成手段で生成した前記提供情報を、情報提供要求を送信してきた前記要求者に送出する提供情報送出手段と、
を備えることを特徴とする情報提供システム。
【請求項２】
前記サーバ装置の前記提供情報生成手段は、前記情報提供要求に含まれる前記要求者の現在位置に対応する位置を、前記地図上に表示するように前記提供情報を生成する
ことを特徴とする請求項１に記載の情報提供システム。
【請求項３】
前記サーバ装置の前記算出判断手段は、前記サーバ装置と無線接続する機能を備えない自動車または前記車載装置の非搭載車の位置を、前記発信情報に含まれる前記自装置または前記自車の現在位置の情報と、前記カメラで撮影された前記撮像画像情報とから算出する
ことを特徴とする請求項１または請求項２に記載の情報提供システム。
【請求項４】
前記サーバ装置の前記算出判断手段は、前記カメラで撮影された前記撮影画像情報から前記周辺の他車のナンバープレートのナンバーを認識することにより、前記周辺の他車を認識し、その認識結果を用いて、前記サーバ装置と無線接続する機能を備えない自動車または前記車載装置の非搭載車の位置を算出する
ことを特徴とする請求項３に記載の情報提供システム。
【請求項５】
前記サーバ装置は、前記サーバ装置と無線接続する機能を備えない自動車または前記車載装置の非搭載車と前記自装置または前記自車との位置関係と、前記発信情報に含まれる前記自装置または前記自車の現在位置の情報とから、前記サーバ装置と無線接続する機能を備えない自動車または前記車載装置の非搭載車の位置を推定する
ことを特徴とする請求項３または請求項４に記載の情報提供システム。
【請求項６】
前記サーバ装置は、前記カメラで撮影された前記撮影画像情報に含まれる前記他車の車体のデザインやエンブレムなどの特徴情報と、自動車会社のホームページの情報とから、前記サーバ装置と無線接続する機能を備えない自動車または前記車載装置の非搭載車が前記自動運転モードを備えるか否かを判別する手段を備え、
前記提供情報には、前記自動運転モードを備えるか否かが判明した前記サーバ装置と無線接続する機能を備えない自動車または前記車載装置の非搭載車については前記自動運転モードを備えるか否かを示す付加表示が含まれている
ことを特徴とする請求項３〜請求項５のいずれかに記載の情報提供システム。
【請求項７】
前記車載装置または前記自動車は、
前記情報提供要求を前記サーバ装置に対して送出する手段と、
前記情報提供要求に応じて前記サーバ装置から送られてくる前記提供情報を受信して、前記提供情報に基づく表示画像を表示する表示手段を備え、
前記表示画像には、自車載装置が搭載されている搭載車または自車の位置を示す表示を含む
ことを特徴とする請求項１〜請求項６のいずれかに記載の情報提供システム。
【請求項８】
前記サーバ装置と無線接続される提供情報受信装置を備え、
前記提供情報受信装置は、
自装置の現在位置の情報を含む前記情報提供要求を前記サーバ装置に対して送出する手段と、
前記情報提供要求に応じて前記サーバ装置から送信されてくる前記提供情報を受信して、前記提供情報に基づく表示画像を表示する表示手段と
を備え、
前記表示画像には、自端末の位置を示す表示を含む
ことを特徴とする請求項１〜請求項７のいずれかに記載の情報提供システム。
【請求項９】
前記提供情報受信装置は、携帯端末である
ことを特徴とする請求項８に記載の情報提供システム。
【請求項１０】
前記提供情報受信装置は、前記車載装置または前記自動車及び前記サーバ装置と無線接続される携帯端末であって、
前記情報提供要求には、前記車載装置または前記自動車と、前記携帯端末のいずれであるかを示す識別情報を含み、
前記サーバ装置は、前記情報提供要求に含まれる前記識別情報により、前記情報提供要求してきたのは、前記前記車載装置または前記自動車か、あるいは、前記携帯端末かを判別し、その判別結果に基づいて、前記提供情報受信装置の現在位置の情報を基準にした前記所定の領域範囲を、前記車載装置または前記自動車と、前記携帯端末とで異なるものとする
ことを特徴とする請求項８または請求項９に記載の情報提供システム。
【請求項１１】
前記発信情報送出手段は、所定の時間間隔で前記発信情報を繰り返し送出する
ことを特徴とする請求項１〜請求項１０のいずれかに記載の情報提供システム。
【請求項１２】
前記発信情報送出手段は、現在位置が、前回の前記発信情報の送出時点における位置から所定距離離れるごとに、前記発信情報を繰り返し送出する
ことを特徴とする請求項１〜請求項１１のいずれかに記載の情報提供システム。
【請求項１３】
予め定められた所定の位置に設置されているサーバ装置と、前記サーバ装置と無線接続される車載装置または自動車とからなり、
前記車載装置または前記自動車は、
自装置または自車の現在位置を検出する現在位置検出部と、
自装置を搭載する搭載車または自車の周囲の他車と、前記搭載車または前記自車との位置関係が検出可能な撮影画像情報を得るためのカメラと、
少なくとも、前記搭載車または前記自車が自動運転モードを備えるか否かの情報を含む搭載車状況情報または自車状況情報と、撮影画像情報から前記搭載車または前記自車を他車と区別して特定させるための情報とを含む搭載車情報または自車情報を記憶する記憶部と、
自装置または自車が、前記サーバ装置との通信が可能な領域に存在しているか否かを判断する通信可否判断手段と、
前記記憶部から読み出した前記搭載車情報または前記自車情報と、前記現在位置検出部で検出された前記自装置または前記自車の現在位置の情報と、前記カメラで撮影された前記撮影画像情報とを含む発信情報を生成する発信情報生成手段と、
前記通信可否判断手段で、前記サーバ装置との通信が可能な領域に存在していると判別したときに、前記発信情報生成手段で生成された前記発信情報を、前記サーバ装置に送出する発信情報送出手段と、
を備え、
前記サーバ装置は、
前記車載装置または前記自動車からの前記発信情報を収集し、前記発信情報を前記車載装置毎または前記自動車毎に蓄積してバッファリングする手段と、
前記バッファリングしている前記車載装置毎または前記自動車毎の前記発信情報に含まれる前記自装置または前記自車の現在位置の情報と、前記カメラで撮影された前記撮影画像情報とに基づいて、前記サーバ装置が設置されている位置の周辺の所定の領域範囲に存在する１または複数の自動車のそれぞれの位置を算出すると共に、前記１または複数の自動車のそれぞれについて、少なくとも、前記バッファリングしている前記車載装置毎または前記自動車毎の前記発信情報に含まれる前記搭載車状況情報または前記自車状況情報に基づいて、前記自動運転モードを備えるか否かを判断する算出判断手段と、
前記所定の領域範囲の地図上に、前記算出した１または複数の自動車のそれぞれの位置を表示すると共に、前記１または複数の自動車のうち、前記自動運転モードを備えるか否かの情報が判断された自動車の前記位置の近傍には、前記自動運転モードを備えるか否かを示す付加表示がなされた表示情報からなる提供情報を生成する手段と、
前記生成した提供情報を、無線通信可能となっている相手に送出する手段と、
を備えることを特徴とする情報提供システム。
【請求項１４】
前記サーバ装置の前記算出判断手段は、前記サーバ装置と無線接続する機能を備えない自動車または前記車載装置の非搭載車の位置を、前記発信情報に含まれる前記自装置または前記自車の現在位置の情報と、前記カメラで撮影された前記撮像画像情報とから算出する
ことを特徴とする請求項１３に記載の情報提供システム。
【請求項１５】
前記サーバ装置の前記算出判断手段は、前記カメラで撮影された前記撮影画像情報から前記周辺の他車のナンバープレートのナンバーを認識することにより、前記周辺の他車を認識し、その認識結果を用いて、前記サーバ装置と無線接続する機能を備えない自動車または前記車載装置の非搭載車の位置を算出する
ことを特徴とする請求項１４に記載の情報提供システム。
【請求項１６】
前記サーバ装置は、前記サーバ装置と無線接続する機能を備えない自動車または前記車載装置の非搭載車と前記自装置または前記自車との位置関係と、前記発信情報に含まれる前記自装置または前記自車の現在位置の情報とから、前記前記サーバ装置と無線接続する機能を備えない自動車または前記車載装置の非搭載車の位置を推定する
ことを特徴とする請求項１４または請求項１５に記載の情報提供システム。
【請求項１７】
前記サーバ装置は、前記カメラで撮影された前記撮影画像情報に含まれる前記他車の車体のデザインやエンブレムなどの特徴情報と、自動車会社のホームページの情報とから、前記サーバ装置と無線接続する機能を備えない自動車または前記車載装置の非搭載車が前記自動運転モードを備えるか否かを判別する手段を備え、
前記提供情報には、前記自動運転モードを備えるか否かが判明した前記サーバ装置と無線接続する機能を備えない自動車または前記車載装置の非搭載車については前記記自動運転モードを備えるか否かを示す付加表示が含まれている
ことを特徴とする請求項１３〜請求項１６のいずれかに記載の情報提供システム。
【請求項１８】
前記車載装置または前記自動車は、前記通信可否判断手段で、前記サーバ装置との通信が可能な領域に存在していると判別したときに、前記サーバ装置から送信されてくる前記提供情報を受信して、前記提供情報に基づく表示画像を表示する表示手段を備え、
前記表示画像には、前記自動運転モードを備えるか否かを示す付加表示が、前記所定の領域に存在する自動車について反映されていると共に、自車載装置が搭載されている搭載車または自車の位置を示す表示を含む
ことを特徴とする請求項１３〜請求項１７のいずれかに記載の情報提供システム。
【請求項１９】
前記サーバ装置と無線接続される提供情報受信装置を備え、
前記提供情報受信装置は、
前記所定の位置に設置されたサーバ装置との通信が可能な領域に入ったか否かを判断する通信可否判断手段と、
前記通信可否判断手段により前記通信が可能な領域に存在していると判断したときに、前記サーバ装置との無線通信を開始し、前記サーバ装置から送信されてくる前記提供情報を受信して、前記自動運転モードを備えるか否かを示す付加表示が、前記所定の領域に存在する自動車について反映されていると共に、自装置の位置を示す表示を含む表示画像を表示する表示手段と
を備える提供情報受信装置が設けられることを特徴とする請求項１３〜請求項１８のいずれかに記載の情報提供システム。
【請求項２０】
前記提供情報受信装置は、携帯端末である
ことを特徴とする請求項１９に記載の情報提供システム。
【請求項２１】
前記発信情報には、前記自装置を搭載する搭載車または前記自車の走行速度及び／または移動方向を検出する検出部で検出された前記走行速度及び／または移動方向を含み、
前記サーバ装置は、前記発信情報に含まれる前記走行速度及び／または移動方向を考慮して、前記情報取得要求の受信時点において前記情報提供要求に含まれる前記提供情報受信装置の現在位置の情報を基準にした所定の領域範囲に存在する１または複数の自動車の位置を算出する
ことを特徴とする請求項１〜請求項２０のいずれかに記載の情報提供システム。
【請求項２２】
前記発信情報には、前記自装置を搭載する搭載車または前記自車が備える時計部が提供する現在時刻の時間情報を含み、
前記サーバ装置は、前記発信情報に含まれる前記走行速度及び／または移動方向に加えて、前記現在時刻の時間情報をも考慮して、前記情報取得要求の受信時点において前記情報提供要求に含まれる前記提供情報受信装置の現在位置の情報を基準にした所定の領域範囲に存在する１または複数の自動車の位置を算出する
ことを特徴とする請求項２１に記載の情報提供システム。
【請求項２３】
前記発信情報には、前記搭載車または前記自車が無人運転中であるか否かの情報を含み、
前記サーバ装置は、前記搭載車または前記自車が無人運転中であるか否かの情報から、無人運転中であると判別したときには、前記自動運転モードを備えるか否かを示す付加表示として、無人運転中であることを示す表示をするようにする
ことを特徴とする請求項１〜請求項２２のいずれかに記載の情報提供システム。
【請求項２４】
前記発信情報は、暗号化及び／または改竄防止処理が施されている
ことを特徴とする請求項１〜請求項２３のいずれかに記載の情報提供システム。
【請求項２５】
前記発信情報には、エラー訂正符号及び／またはエラー検出符号が付加されている
ことを特徴とする請求項１〜請求項２４のいずれかに記載の情報提供システム。
【請求項２６】
自動運転モードを備えるか否かの情報を含む搭載車状況情報または自車状況情報には、自動運転モードを備える場合の自動運転モードの詳細情報も含まれる
ことを特徴とする請求項１〜請求項２５のいずれかに記載の情報提供システム。
【請求項２７】
前記自動運転モードの詳細情報には、手動運転モードを備えずに自動運転モードのみを備える完全自動運転車である旨の情報を含む
ことを特徴とする請求項２６に記載の情報提供システム。
【請求項２８】
前記自動運転モードの詳細情報には、手動運転モードに切り替えることができない強制自動運転モードである旨の情報を含む
ことを特徴とする請求項２７に記載の情報提供システム。
【請求項２９】
車載装置または自動車と、前記車載装置または前記自動車と無線接続されるサーバ装置とを備える情報提供システムにおける前記車載装置であって、
自装置の前記現在位置を検出する第１の現在位置検出部と、
前記自装置を搭載する搭載車の周囲の他車と、前記搭載車との位置関係が検出可能な撮影画像情報を得るための第１のカメラと、
少なくとも、前記搭載車が自動運転モードを備えるか否かの情報を含む搭載車状況情報と、撮影画像情報から前記搭載車を他車と区別して特定させるための情報とを含む搭載車情報を記憶する第１の記憶部と、
前記第１の記憶部から読み出した前記搭載車情報と、前記第１の現在位置検出部で検出された前記自装置の現在位置の情報と、前記第１のカメラで撮影された前記撮影画像情報とを含む第１の発信情報を、前記搭載車の外部の前記サーバ装置に送出する第１の発信情報送出手段と、
を備えることを特徴とする車載装置であり、
前記自動車は、
自車の現在位置を検出する第２の現在位置検出部と、
前記自車の周囲の他車と、前記自車との位置関係が検出可能な撮影画像情報を得るための第２のカメラと、
少なくとも、前記自車が自動運転モードを備えるか否かの情報を含む自車状況情報と、撮影画像情報から前記自車を他車と区別して特定させるための情報とを含む自車情報を記憶する第２の記憶部と、
前記第２の記憶部から読み出した前記自車情報と、前記第２の現在位置検出部で検出された前記自車の現在位置の情報と、前記第２のカメラで撮影された撮影画像情報とを含む第２の発信情報を、前記自車の外部の前記サーバ装置に送出する第２の発信情報送出手段と、
を備え、
前記サーバ装置は、
１または複数の前記車載装置からの前記第１の発信情報または前記自動車からの第２の発信情報を収集し、前記第１の発信情報及び前記第２の発信情報を前記車載装置毎または前記自動車毎に蓄積してバッファリングする手段と、
要求者の現在位置の情報を含む情報提供要求を受信したときに、前記バッファリングしている前記車載装置毎の前記第１の発信情報または前記自動車毎の前記第２の発信情報に含まれる前記車載装置または前記自動車の現在位置の情報と、前記車載装置を搭載する搭載車または前記自動車が備える前記第１のカメラまたは前記第２のカメラで撮影された撮影画像情報とに基づいて、前記受信した前記情報提供要求に含まれる前記要求者の現在位置を基準として定められる所定の領域範囲に存在する１または複数の自動車のそれぞれの位置を算出すると共に、前記１または複数の自動車のそれぞれについて、少なくとも、前記第１の発信情報に含まれる前記車載装置を搭載する搭載車が自動運転モードを備えるか否かの情報及び前記第２の発信情報に含まれる前記自動車が自動運転モードを備えるか否かの情報に基づいて、前記自動運転モードを備えるか否かを判断する算出判断手段と、
前記所定の領域範囲の地図上に、前記算出判断手段で算出した１または複数の自動車のそれぞれの位置と、前記情報提供要求に含まれる前記要求者の現在位置に対応する位置とを、表示すると共に、前記１または複数の自動車のうち、前記自動運転モードを備えるか否かの情報が判断された自動車の前記位置の近傍には、前記自動運転モードを備えるか否かを示す付加表示がなされた表示情報からなる提供情報を生成する提供情報生成手段と、
前記提供情報生成手段で生成した前記提供情報を、情報提供要求を送信してきた前記要求者に送出する提供情報送出手段とを備える
ことを特徴とする前記情報提供システムにおける車載装置。
【請求項３０】
車載装置または自動車と、前記車載装置または前記自動車と無線接続されるサーバ装置とを備える情報提供システムにおける前記車載装置であって、前記車載装置を搭載する搭載車の周囲の他車と、前記搭載車との位置関係が検出可能な撮影画像情報を得るための第１のカメラと、少なくとも、前記搭載車が自動運転モードを備えるか否かの情報を含む搭載車状況情報と、撮影画像情報から前記搭載車を他車と区別して特定させるための情報とを含む搭載車情報を記憶する第１の記憶部とを備える前記車載装置が備えるコンピュータを、
自装置の前記現在位置を検出する第１の現在位置検出部、
前記第１の記憶部から読み出した前記搭載車情報と、前記第１の現在位置検出部で検出された前記自装置の現在位置の情報と、前記第１のカメラで撮影された前記撮影画像情報とを含む第１の発信情報を、前記搭載車の外部の前記サーバ装置に送出する第１の発信情報送出手段、
として機能させるための車載装置用プログラムであり、
前記自動車は、
自車の現在位置を検出する第２の現在位置検出部と、
自車の周囲の他車と、前記自車との位置関係が検出可能な撮影画像情報を得るための第２のカメラと、
少なくとも、前記自車が自動運転モードを備えるか否かの情報を含む自車状況情報と、撮影画像情報から前記自車を他車と区別して特定させるための情報とを含む自車情報を記憶する第２の記憶部と、
前記第２の記憶部から読み出した前記自車情報と、前記第２の現在位置検出部で検出された前記自車の現在位置の情報と、前記第２のカメラで撮影された撮影画像情報とを含む第２の発信情報を、前記自車の外部の前記サーバ装置に送出する第２の発信情報送出手段と、
を備え、
前記サーバ装置は、
１または複数の前記車載装置からの前記第１の発信情報または前記自動車からの第２の発信情報を収集し、前記第１の発信情報及び前記第２の発信情報を前記車載装置毎または前記自動車毎に蓄積してバッファリングする手段と、
要求者の現在位置の情報を含む情報提供要求を受信したときに、前記バッファリングしている前記車載装置毎の前記第１の発信情報または前記自動車毎の前記第２の発信情報に含まれる前記車載装置または前記自動車の現在位置の情報と、前記車載装置を搭載する搭載車または前記自動車が備える第１または第２のカメラで撮影された撮影画像情報とに基づいて、前記受信した前記情報提供要求に含まれる前記要求者の現在位置を基準として定められる所定の領域範囲に存在する１または複数の自動車のそれぞれの位置を算出すると共に、前記１または複数の自動車のそれぞれについて、少なくとも、前記第１の発信情報に含まれる前記車載装置を搭載する搭載車が自動運転モードを備えるか否かの情報及び前記第２の発信情報に含まれる前記自動車が自動運転モードを備えるか否かの情報に基づいて、前記自動運転モードを備えるか否かを判断する算出判断手段と、
前記所定の領域範囲の地図上に、前記算出判断手段で算出した１または複数の自動車のそれぞれの位置と、前記情報提供要求に含まれる前記要求者の現在位置に対応する位置とを、表示すると共に、前記１または複数の自動車のうち、前記自動運転モードを備えるか否かの情報が判断された自動車の前記位置の近傍には、前記自動運転モードを備えるか否かを示す付加表示がなされた表示情報からなる提供情報を生成する提供情報生成手段と、
前記提供情報生成手段で生成した前記提供情報を、情報提供要求を送信してきた前記要求者に送出する提供情報送出手段とを備える
ことを特徴とする前記情報提供システムにおける車載装置用プログラム。
【請求項３１】
車載装置または自動車と、前記車載装置または前記自動車と無線接続されるサーバ装置とを備える情報提供システムにおける前記自動車であって、
自車の現在位置を検出する第１の現在位置検出部と、
前記自車の周囲の他車と、前記自車との位置関係が検出可能な撮影画像情報を得るための第１のカメラと、
少なくとも、前記自車が自動運転モードを備えるか否かの情報を含む自車状況情報と、撮影画像情報から前記自車を他車と区別して特定させるための情報とを含む自車情報を記憶する第１の記憶部と、
前記第１の記憶部から読み出した前記自車情報と、前記第１の現在位置検出部で検出された前記自車の現在位置の情報と、前記第１のカメラで撮影された撮影画像情報とを含む第１の発信情報を、前記自車の外部の前記サーバ装置に送出する第１の発信情報送出手段と、
を備えることを特徴とする自動車であり、
前記車載装置は、
自装置の前記現在位置を検出する第２の現在位置検出部と、
自装置を搭載する搭載車の周囲の他車と、前記搭載車との位置関係が検出可能な撮影画像情報を得るための第２のカメラと、
少なくとも、前記搭載車が自動運転モードを備えるか否かの情報を含む搭載車状況情報と、撮影画像情報から前記搭載車を他車と区別して特定させるための情報とを含む搭載車情報を記憶する第２の記憶部と、
前記第２の記憶部から読み出した前記搭載車情報と、前記第２の現在位置検出部で検出された前記自装置の現在位置の情報と、前記第２のカメラで撮影された前記撮影画像情報とを含む第２の発信情報を、前記搭載車の外部の前記サーバ装置に送出する第２の発信情報送出手段と、
を備え、
前記サーバ装置は、
１または複数の前記車載装置からの前記第２の発信情報または前記自動車からの第１の発信情報を収集し、前記第１の発信情報及び前記第２の発信情報を前記車載装置毎または前記自動車毎に蓄積してバッファリングする手段と、
要求者の現在位置の情報を含む情報提供要求を受信したときに、前記バッファリングしている前記車載装置毎の前記第２の発信情報または前記自動車毎の前記第１の発信情報に含まれる前記車載装置または前記自動車の現在位置の情報と、前記車載装置を搭載する搭載車または前記自動車が備える第２または第１のカメラで撮影された撮影画像情報とに基づいて、前記受信した前記情報提供要求に含まれる前記要求者の現在位置を基準として定められる所定の領域範囲に存在する１または複数の自動車のそれぞれの位置を算出すると共に、前記１または複数の自動車のそれぞれについて、少なくとも、前記第２の発信情報に含まれる前記車載装置を搭載する搭載車が自動運転モードを備えるか否かの情報及び前記第１の発信情報に含まれる前記自動車が自動運転モードを備えるか否かの情報に基づいて、前記自動運転モードを備えるか否かを判断する算出判断手段と、
前記所定の領域範囲の地図上に、前記算出判断手段で算出した１または複数の自動車のそれぞれの位置と、前記情報提供要求に含まれる前記要求者の現在位置に対応する位置とを、表示すると共に、前記１または複数の自動車のうち、前記自動運転モードを備えるか否かの情報が判断された自動車の前記位置の近傍には、前記自動運転モードを備えるか否かを示す付加表示がなされた表示情報からなる提供情報を生成する提供情報生成手段と、
前記提供情報生成手段で生成した前記提供情報を、情報提供要求を送信してきた前記要求者に送出する提供情報送出手段とを備える
ことを特徴とする前記情報提供システムにおける自動車。
【請求項３２】
車載装置または自動車と、前記車載装置または前記自動車と無線接続されるサーバ装置とを備える情報提供システムにおける前記自動車であって、前記自車の周囲の他車と、前記自車との位置関係が検出可能な撮影画像情報を得るための第１のカメラと、少なくとも、前記自車が自動運転モードを備えるか否かの情報を含む自車状況情報と、撮影画像情報から前記自車を他車と区別して特定させるための情報とを含む自車情報を記憶する第１の記憶部とを備える前記自動車が備えるコンピュータを、
自車の現在位置を検出する第１の現在位置検出部、
前記第１の記憶部から読み出した前記自車情報と、前記第１の現在位置検出部で検出された前記自車の現在位置の情報と、前記第１のカメラで撮影された撮影画像情報とを含む第１の発信情報を、前記自車の外部の前記サーバ装置に送出する第１の発信情報送出手段、
として機能させるための自動車用プログラムであり、
前記車載装置は、
自装置の前記現在位置を検出する第２の現在位置検出部と、
自装置を搭載する搭載車の周囲の他車と、前記搭載車との位置関係が検出可能な撮影画像情報を得るための第２のカメラと、
少なくとも、前記搭載車が自動運転モードを備えるか否かの情報を含む搭載車状況情報と、撮影画像情報から前記搭載車を他車と区別して特定させるための情報とを含む搭載車情報を記憶する第２の記憶部と、
前記第２の記憶部から読み出した前記搭載車情報と、前記第２の現在位置検出部で検出された前記自装置の現在位置の情報と、前記第２のカメラで撮影された前記撮影画像情報とを含む第２の発信情報を、前記搭載車の外部の前記サーバ装置に送出する第２の発信情報送出手段と、
を備え、
前記サーバ装置は、
１または複数の前記車載装置からの前記第２の発信情報または前記自動車からの第１の発信情報を収集し、前記第１の発信情報及び前記第２の発信情報を前記車載装置毎または前記自動車毎に蓄積してバッファリングする手段と、
要求者の現在位置の情報を含む情報提供要求を受信したときに、前記バッファリングしている前記車載装置毎の前記第２の発信情報または前記自動車毎の前記第１の発信情報に含まれる前記車載装置または前記自動車の現在位置の情報と、前記車載装置を搭載する搭載車または前記自動車が備える第２または第１のカメラで撮影された撮影画像情報とに基づいて、前記受信した前記情報提供要求に含まれる前記要求者の現在位置を基準として定められる所定の領域範囲に存在する１または複数の自動車のそれぞれの位置を算出すると共に、前記１または複数の自動車のそれぞれについて、少なくとも、前記第２の発信情報に含まれる前記車載装置を搭載する搭載車が自動運転モードを備えるか否かの情報及び前記第１の発信情報に含まれる前記自動車が自動運転モードを備えるか否かの情報に基づいて、前記自動運転モードを備えるか否かを判断する算出判断手段と、
前記所定の領域範囲の地図上に、前記算出判断手段で算出した１または複数の自動車のそれぞれの位置と、前記情報提供要求に含まれる前記要求者の現在位置に対応する位置とを、表示すると共に、前記１または複数の自動車のうち、前記自動運転モードを備えるか否かの情報が判断された自動車の前記位置の近傍には、前記自動運転モードを備えるか否かを示す付加表示がなされた表示情報からなる提供情報を生成する提供情報生成手段と、
前記提供情報生成手段で生成した前記提供情報を、情報提供要求を送信してきた前記要求者に送出する提供情報送出手段とを備える
ことを特徴とする前記情報提供システムにおける自動車用プログラム。
【請求項３３】
予め定められた所定の位置に設置されているサーバ装置と、前記サーバ装置と無線接続される車載装置または自動車とからなる情報提供システムにおける前記車載装置であって、
自装置の現在位置を検出する第１の現在位置検出部と、
前記自装置を搭載する搭載車の周囲の他車と、前記搭載車との位置関係が検出可能な撮影画像情報を得るための第１のカメラと、
少なくとも、前記搭載車が自動運転モードを備えるか否かの情報を含む搭載車状況情報と、撮影画像情報から前記搭載車を他車と区別して特定させるための情報とを含む搭載車情報を記憶する第１の記憶部と、
前記自装置が、前記サーバ装置との通信が可能な領域に存在しているか否かを判断する第１の通信可否判断手段と、
前記第１の記憶部から読み出した前記搭載車情報と、前記第１の現在位置検出部で検出された前記自装置の現在位置の情報と、前記第１のカメラで撮影された前記撮影画像情報とを含む第１の発信情報を生成する第１の発信情報生成手段と、
前記第１の通信可否判断手段で、前記サーバ装置との通信が可能な領域に存在していると判別したときに、前記第１の発信情報生成手段で生成された前記第１の発信情報を、前記サーバ装置に送出する第１の発信情報送出手段と、
を備えることを特徴とする車載装置であり、
前記自動車は、
自車の現在位置を検出する第２の現在位置検出部と、
前記自車の周囲の他車と、前記自車との位置関係が検出可能な撮影画像情報を得るための第２のカメラと、
少なくとも、前記自車が自動運転モードを備えるか否かの情報を含む自車状況情報と、撮影画像情報から前記自車を他車と区別して特定させるための情報とを含む自車情報を記憶する第２の記憶部と、
前記自車が、前記サーバ装置との通信が可能な領域に存在しているか否かを判断する第２の通信可否判断手段と、
前記第２の記憶部から読み出した前記自車情報と、前記第２の現在位置検出部で検出された前記自車の現在位置の情報と、前記第２のカメラで撮影された前記撮影画像情報とを含む第２の発信情報を生成する第２の発信情報生成手段と、
前記第２の通信可否判断手段で、前記サーバ装置との通信が可能な領域に存在していると判別したときに、前記第２の発信情報生成手段で生成された前記第２の発信情報を、前記サーバ装置に送出する第２の発信情報送出手段と、
を備え、
前記サーバ装置は、
前記車載装置または前記自動車からの前記第１の発信情報または前記第２の発信情報を収集し、前記第１の発信情報または前記第２の発信情報を前記車載装置毎または前記自動車毎に蓄積してバッファリングする手段と、
前記バッファリングしている前記車載装置毎または前記自動車毎の前記第１の発信情報または前記第２の発信情報に含まれる前記車載装置または前記自動車の現在位置の情報と撮影画像情報とに基づいて、前記サーバ装置が設置されている位置の周辺の所定の領域範囲に存在する１または複数の自動車のそれぞれの位置を算出すると共に、前記１または複数の自動車のそれぞれについて、少なくとも、前記バッファリングしている前記車載装置毎または前記自動車毎の前記第１の発信情報または前記第２の発信情報に含まれる前記搭載車状況情報または前記自車状況情報に基づいて、前記自動運転モードを備えるか否かを判断する算出判断手段と、
前記所定の領域範囲の地図上に、前記算出した１または複数の自動車のそれぞれの位置を表示すると共に、前記１または複数の自動車のうち、前記自動運転モードを備えるか否かの情報が判断された自動車の前記位置の近傍には、前記自動運転モードを備えるか否かを示す付加表示がなされた表示情報からなる提供情報を生成する手段と、
前記生成した提供情報を、無線通信可能となっている相手に送出する手段とを備える
ことを特徴とする前記情報提供システムにおける車載装置。
【請求項３４】
予め定められた所定の位置に設置されているサーバ装置と、前記サーバ装置と無線接続される車載装置または自動車とからなる情報提供システムにおける前記車載装置であって、自装置を搭載する搭載車の周囲の他車と、前記搭載車との位置関係が検出可能な撮影画像情報を得るための第１のカメラと、少なくとも、前記搭載車が自動運転モードを備えるか否かの情報を含む搭載車状況情報と、撮影画像情報から前記搭載車を他車と区別して特定させるための情報とを含む搭載車情報を記憶する第１の記憶部とを備える前記車載装置が備えるコンピュータに、
前記自装置の現在位置を検出する第１の現在位置検出部、
前記自装置が、前記サーバ装置との通信が可能な領域に存在しているか否かを判断する第１の通信可否判断手段、
前記第１の記憶部から読み出した前記搭載車情報と、前記第１の現在位置検出部で検出された前記自装置の現在位置の情報と、前記第１のカメラで撮影された前記撮影画像情報とを含む第１の発信情報を生成する第１の発信情報生成手段、
前記第１の発信情報生成手段で生成された前記第１の発信情報を、前記サーバ装置に送出する第１の発信情報送出手段、
としての機能を実行させるための車載装置用プログラムであり、
前記自動車は、
自車の現在位置を検出する第２の現在位置検出部と、
前記自車の周囲の他車と、前記自車との位置関係が検出可能な撮影画像情報を得るための第２のカメラと、
少なくとも、前記自車が自動運転モードを備えるか否かの情報を含む自車状況情報と、撮影画像情報から前記自車を他車と区別して特定させるための情報とを含む自車情報を記憶する第２の記憶部と、
前記自車が、前記サーバ装置との通信が可能な領域に存在しているか否かを判断する第２の通信可否判断手段と、
前記第２の記憶部から読み出した前記自車情報と、前記第２の現在位置検出部で検出された前記自車の現在位置の情報と、前記第２のカメラで撮影された前記撮影画像情報とを含む第２の発信情報を生成する第２の発信情報生成手段と、
前記第２の通信可否判断手段で、前記サーバ装置との通信が可能な領域に存在していると判別したときに、前記第２の発信情報生成手段で生成された前記第２の発信情報を、前記サーバ装置に送出する第２の発信情報送出手段と、
を備え、
前記サーバ装置は、
前記車載装置または前記自動車からの前記第１の発信情報または前記第２の発信情報を収集し、前記第１の発信情報または前記第２の発信情報を前記車載装置毎または前記自動車毎に蓄積してバッファリングする手段と、
前記バッファリングしている前記車載装置毎または前記自動車毎の前記第１の発信情報または前記第２の発信情報に含まれる前記車載装置または前記自動車の現在位置の情報と撮影画像情報とに基づいて、前記サーバ装置が設置されている位置の周辺の所定の領域範囲に存在する１または複数の自動車のそれぞれの位置を算出すると共に、前記１または複数の自動車のそれぞれについて、少なくとも、前記バッファリングしている前記車載装置毎または前記自動車毎の前記第１の発信情報または前記第２の発信情報に含まれる前記搭載車状況情報または前記自車状況情報に基づいて、前記自動運転モードを備えるか否かを判断する算出判断手段と、
前記所定の領域範囲の地図上に、前記算出した１または複数の自動車のそれぞれの位置を表示すると共に、前記１または複数の自動車のうち、前記自動運転モードを備えるか否かの情報が判断された自動車の前記位置の近傍には、前記自動運転モードを備えるか否かを示す付加表示がなされた表示情報からなる提供情報を生成する手段と、
前記生成した提供情報を、無線通信可能となっている相手に送出する手段とを備える
ことを特徴とする前記情報提供システムにおける車載装置用プログラム。
【請求項３５】
予め定められた所定の位置に設置されているサーバ装置と、前記サーバ装置と無線接続される車載装置または自動車とからなる情報提供システムにおける前記自動車であって、
自車の現在位置を検出する第１の現在位置検出部と、
前記自車の周囲の他車と、前記自車との位置関係が検出可能な撮影画像情報を得るための第１のカメラと、
少なくとも、前記自車が自動運転モードを備えるか否かの情報を含む自車状況情報と、撮影画像情報から前記自車を他車と区別して特定させるための情報とを含む自車情報を記憶する第１の記憶部と、
前記自車が、前記サーバ装置との通信が可能な領域に存在しているか否かを判断する第１の通信可否判断手段と、
前記第１の記憶部から読み出した前記自車情報と、前記第１の現在位置検出部で検出された前記自車の現在位置の情報と、前記第１のカメラで撮影された前記撮影画像情報とを含む第１の発信情報を生成する第１の発信情報生成手段と、
前記第１の通信可否判断手段で、前記サーバ装置との通信が可能な領域に存在していると判別したときに、前記第１の発信情報生成手段で生成された前記第１の発信情報を、前記サーバ装置に送出する第１の発信情報送出手段と、
を備えることを特徴とする自動車であり、
前記車載装置は、
自装置の現在位置を検出する第２の現在位置検出部と、
前記自装置を搭載する搭載車の周囲の他車と、前記搭載車との位置関係が検出可能な撮影画像情報を得るための第２のカメラと、
少なくとも、前記搭載車が自動運転モードを備えるか否かの情報を含む搭載車状況情報と、撮影画像情報から前記搭載車を他車と区別して特定させるための情報とを含む搭載車情報を記憶する第２の記憶部と、
前記自装置が、前記サーバ装置との通信が可能な領域に存在しているか否かを判断する第２の通信可否判断手段と、
前記第２の記憶部から読み出した前記搭載車情報と、前記第２の現在位置検出部で検出された前記自装置の現在位置の情報と、前記第２のカメラで撮影された前記撮影画像情報とを含む第２の発信情報を生成する第２の発信情報生成手段と、
前記第２の通信可否判断手段で、前記サーバ装置との通信が可能な領域に存在していると判別したときに、前記第２の発信情報生成手段で生成された前記第２の発信情報を、前記サーバ装置に送出する第２の発信情報送出手段と、
を備え、
前記サーバ装置は、
前記車載装置または前記自動車からの前記第２の発信情報または前記第１の発信情報を収集し、前記第２の発信情報または前記第１の発信情報を前記車載装置毎または前記自動車毎に蓄積してバッファリングする手段と、
前記バッファリングしている前記車載装置毎または前記自動車毎の前記第２の発信情報または前記第１の発信情報に含まれる前記車載装置または前記自動車の現在位置の情報と撮影画像情報とに基づいて、前記サーバ装置が設置されている位置の周辺の所定の領域範囲に存在する１または複数の自動車のそれぞれの位置を算出すると共に、前記１または複数の自動車のそれぞれについて、少なくとも、前記バッファリングしている前記車載装置毎または前記自動車毎の前記第２の発信情報または前記第１の発信情報に含まれる前記搭載車状況情報または前記自車状況情報に基づいて、前記自動運転モードを備えるか否かを判断する算出判断手段と、
前記所定の領域範囲の地図上に、前記算出した１または複数の自動車のそれぞれの位置を表示すると共に、前記１または複数の自動車のうち、前記自動運転モードを備えるか否かの情報が判断された自動車の前記位置の近傍には、前記自動運転モードを備えるか否かを示す付加表示がなされた表示情報からなる提供情報を生成する手段と、
前記生成した提供情報を、無線通信可能となっている相手に送出する手段とを備える
ことを特徴とする前記情報提供システムにおける自動車。
【請求項３６】
予め定められた所定の位置に設置されているサーバ装置と、前記サーバ装置と無線接続される車載装置または自動車とからなる情報提供システムにおける前記自動車であって、自車の周囲の他車と、前記自車との位置関係が検出可能な撮影画像情報を得る第１のカメラと、少なくとも、前記自車が自動運転モードを備えるか否かの情報を含む自車状況情報と、撮影画像情報から自車を他車と区別して特定させるための情報とを含む自車情報を記憶する第１の記憶部を備える前記自動車が備えるコンピュータに、
自車の現在位置を検出する第１の現在位置検出部と、
前記自車が、前記サーバ装置との通信が可能な領域に存在しているか否かを判断する第１の通信可否判断手段、
前記第１の記憶部から読み出した前記自車情報と、前記第１の現在位置検出部で検出された前記自車の現在位置の情報と、前記第１のカメラで撮影された前記撮影画像情報とを含む第１の発信情報を生成する第１の発信情報生成手段、
前記第１の通信可否判断手段で、前記サーバ装置との通信が可能な領域に存在していると判別したときに、前記第１の発信情報生成手段で生成された前記第１の発信情報を、前記サーバ装置に送出する第１の発信情報送出手段、
として機能させるための自動車用プログラムであり、
前記車載装置は、
自装置の現在位置を検出する第２の現在位置検出部と、
前記自装置を搭載する搭載車の周囲の他車と、前記搭載車との位置関係が検出可能な撮影画像情報を得るための第２のカメラと、
少なくとも、前記搭載車が自動運転モードを備えるか否かの情報を含む搭載車状況情報と、撮影画像情報から前記搭載車を他車と区別して特定させるための情報とを含む搭載車情報を記憶する第２の記憶部と、
前記自装置が、前記サーバ装置との通信が可能な領域に存在しているか否かを判断する第２の通信可否判断手段と、
前記第２の記憶部から読み出した前記搭載車情報と、前記第２の現在位置検出部で検出された前記自装置の現在位置の情報と、前記第２のカメラで撮影された前記撮影画像情報とを含む第２の発信情報を生成する第２の発信情報生成手段と、
前記第２の通信可否判断手段で、前記サーバ装置との通信が可能な領域に存在していると判別したときに、前記第２の発信情報生成手段で生成された前記第２の発信情報を、前記サーバ装置に送出する第２の発信情報送出手段と、
を備え、
前記サーバ装置は、
前記車載装置または前記自動車からの前記第２の発信情報または前記第１の発信情報を収集し、前記第２の発信情報または前記第１の発信情報を前記車載装置毎または前記自動車毎に蓄積してバッファリングする手段と、
前記バッファリングしている前記車載装置毎または前記自動車毎の前記第２の発信情報または前記第１の発信情報に含まれる前記車載装置または前記自動車の現在位置の情報と撮影画像情報とに基づいて、前記サーバ装置が設置されている位置の周辺の所定の領域範囲に存在する１または複数の自動車のそれぞれの位置を算出すると共に、前記１または複数の自動車のそれぞれについて、少なくとも、前記バッファリングしている前記車載装置毎または前記自動車毎の前記第２の発信情報または前記第１の発信情報に含まれる前記搭載車状況情報または前記自車状況情報に基づいて、前記自動運転モードを備えるか否かを判断する算出判断手段と、
前記所定の領域範囲の地図上に、前記算出した１または複数の自動車のそれぞれの位置を表示すると共に、前記１または複数の自動車のうち、前記自動運転モードを備えるか否かの情報が判断された自動車の前記位置の近傍には、前記自動運転モードを備えるか否かを示す付加表示がなされた表示情報からなる提供情報を生成する手段と、
前記生成した提供情報を、無線通信可能となっている相手に送出する手段とを備える
ことを特徴とする前記情報提供システムにおける自動車用プログラム。
【手続補正２】
【補正対象書類名】明細書
【補正対象項目名】００１０
【補正方法】変更
【補正の内容】
【００１０】
上記の課題を解決するために、請求項１の発明は、
車載装置または自動車と、前記車載装置または前記自動車と無線接続されるサーバ装置とを備える情報提供システムであって、
前記車載装置または前記自動車は、
自装置または自車の現在位置を検出する現在位置検出部と、
前記自装置を搭載する搭載車または前記自車の周囲の他車と、前記搭載車または前記自車との位置関係が検出可能な撮影画像情報を得るためのカメラと、
少なくとも、前記搭載車または前記自車が自動運転モードを備えるか否かの情報を含む搭載車状況情報または自車状況情報と、撮影画像情報から前記搭載車または前記自車を他車と区別して特定させるための情報とを含む搭載車情報または自車情報を記憶する記憶部と、
前記記憶部から読み出した前記搭載車情報または前記自車情報と、前記現在位置検出部で検出された前記自装置または前記自車の現在位置の情報と、前記カメラで撮影された前記撮影画像情報とを含む発信情報を、前記搭載車または前記自車の外部の前記サーバ装置に送出する発信情報送出手段と、
を備え、
前記サーバ装置は、
１または複数の前記車載装置または前記自動車からの前記発信情報を収集し、前記発信情報を前記車載装置毎または前記自動車毎に蓄積してバッファリングする手段と、
要求者の現在位置の情報を含む情報提供要求を受信したときに、前記バッファリングしている前記車載装置毎または前記自動車毎の前記発信情報に含まれる前記自装置または前記自車の現在位置の情報と、前記カメラで撮影された前記撮影画像情報とに基づいて、前記受信した前記情報提供要求に含まれる前記要求者の現在位置を基準として定められる所定の領域範囲に存在する１または複数の自動車のそれぞれの位置を算出すると共に、前記１または複数の自動車のそれぞれについて、少なくとも、前記バッファリングしている前記車載装置毎または前記自動車毎の前記発信情報に含まれる前記搭載車状況情報または前記自車状況情報に基づいて、前記自動運転モードを備えるか否かを判断する算出判断手段と、
前記所定の領域範囲の地図上に、前記算出判断手段で算出した１または複数の自動車のそれぞれの位置を表示すると共に、前記１または複数の自動車のうち、前記自動運転モードを備えるか否かの情報が判断された自動車の前記位置の近傍には、前記自動運転モードを備えるか否かを示す付加表示がなされた表示情報からなる提供情報を生成する提供情報生成手段と、
前記提供情報生成手段で生成した前記提供情報を、情報提供要求を送信してきた前記要求者に送出する提供情報送出手段と、
を備えることを特徴とする情報提供システムを提供する。
【国際調査報告】
2018020604.tif 000028
2018020604.tif 000029
2018020604.tif 000030
2018020604.tif 000031